(57)【特許請求の範囲】
【請求項１】
無線ローカルエリアネットワーク（ＷＬＡＮ）通信チャネルのための複数の異なる直交周波数分割多重（ＯＦＤＭ）トーンブロックを第１のデバイスおよび第２のデバイスを含む複数のデバイスに割り当てる段階と、
前記ＷＬＡＮ通信チャネルのための直交周波数分割多元接続（ＯＦＤＭＡ）データユニットを生成する段階とを備え、
前記複数の異なるＯＦＤＭトーンブロックは、前記第１のデバイスに割り当てられた第１のＯＦＤＭトーンブロックと、前記第２のデバイスに割り当てられた第２のＯＦＤＭトーンブロックとを少なくとも含み、
前記第１のＯＦＤＭトーンブロックおよび前記第２のＯＦＤＭトーンブロックはあわせて、レガシＷＬＡＮ通信プロトコルの最小チャネル帯域幅に等しい帯域幅にわたり、
前記ＯＦＤＭＡデータユニットは、プリアンブル部分およびデータ部分を含み、
前記プリアンブル部分は、ｉ）前記ＷＬＡＮ通信チャネル全体にわたる少なくともレガシ部分、ｉｉ）前記第１のＯＦＤＭトーンブロックにわたる第１の非レガシ部分、およびｉｉｉ）前記第２のＯＦＤＭトーンブロックにわたる第２の非レガシ部分を含む、方法。
【請求項２】
前記ＷＬＡＮ通信チャネルのための前記ＯＦＤＭＡデータユニットを生成する段階は、
ｉ）前記第１のデバイスについて受信された第１のデータを用いる前記データ部分の第１のＯＦＤＭデータユニットと、ｉｉ）前記第２のデバイスについて受信された第２のデータを用いる前記データ部分の第２のＯＦＤＭデータユニットとを生成する段階と、
ｉ）前記第１のＯＦＤＭトーンブロックにおける複数のトーン上の前記第１のＯＦＤＭデータユニットと、ｉｉ）前記第２のＯＦＤＭトーンブロックにおける複数のトーン上の前記第２のＯＦＤＭデータユニットとを変調する段階とを有し、
前記第１のデータは、前記第２のデータから独立している、請求項１に記載の方法。
【請求項３】
前記ＷＬＡＮ通信チャネルのための前記ＯＦＤＭＡデータユニットを生成する段階は、前記ＷＬＡＮ通信チャネルの帯域幅全体にわたるように前記ＯＦＤＭＡデータユニットを変調する段階を有する、請求項２に記載の方法。
【請求項４】
前記第１のＯＦＤＭデータユニットおよび前記第２のＯＦＤＭデータユニットを変調する段階は、ｉ）第１のトーンプランを用いる前記第１のＯＦＤＭトーンブロックにおける複数のトーンに基づく前記第１のＯＦＤＭデータユニットと、ｉｉ）第２のトーンプランを用いる前記第２のＯＦＤＭトーンブロックにおける複数のトーンに基づく前記第２のＯＦＤＭデータユニットとを変調する段階を有し、
前記レガシ部分は、少なくとも前記第１のトーンプランとは異なるレガシトーンプランを用いて変調される、請求項２または３に記載の方法。
【請求項５】
第１の非レガシトーンプランまたは第２の非レガシトーンプランのうちの１または複数は、前記ＷＬＡＮ通信チャネルの高速フーリエ変換（ＦＦＴ）幅よりも小さいＦＦＴ幅に対応する、請求項２〜４のいずれか１項に記載の方法。
【請求項６】
前記第１のＯＦＤＭデータユニットおよび前記第２のＯＦＤＭデータユニットを生成する段階は、
前記第１のデータを用いる複数の第１のデータトーンおよび前記第１のＯＦＤＭトーンブロックのための複数の第１のパイロットトーンを生成する段階と、
前記第２のデータを用いる複数の第２のデータトーンおよび前記第２のＯＦＤＭトーンブロックのための複数の第２のパイロットトーンを別個に生成する段階と、
前記複数の第１のデータトーン、前記複数の第１のパイロットトーン、前記複数の第２のデータトーン、および前記複数の第２のパイロットトーンに逆高速フーリエ変換（ＩＦＦＴ）を共に実行する段階とを有する、請求項２〜５のいずれか１項に記載の方法。
【請求項７】
前記第１のＯＦＤＭデータユニットおよび前記第２のＯＦＤＭデータユニットを生成する段階は、前記第１のＯＦＤＭデータユニットおよび前記第２のＯＦＤＭデータユニットが同一の数のＯＦＤＭシンボルを有するように、少なくとも１つのパディングＯＦＤＭシンボルを含む前記第２のＯＦＤＭデータユニットを生成する段階を有する、請求項２〜６のいずれか１項に記載の方法。
【請求項８】
前記第２のＯＦＤＭデータユニットに含まれるべきパディングＯＦＤＭシンボルの数を、前記第１のＯＦＤＭデータユニットのＯＦＤＭシンボルの全数と前記第２のＯＦＤＭデータユニットのＯＦＤＭシンボルの全数との間の差として決定する段階を更に備える、請求項７に記載の方法。
【請求項９】
前記第１のＯＦＤＭデータユニットおよび前記第２のＯＦＤＭデータユニットを生成する段階は、前記第１の非レガシ部分のＯＦＤＭシンボルの数および前記第１のＯＦＤＭデータユニットのＯＦＤＭシンボルの数の合計が前記第２の非レガシ部分のＯＦＤＭシンボルの数および前記第２のＯＦＤＭデータユニットのＯＦＤＭシンボルの数の合計に等しくなるように、少なくとも１つのパディングＯＦＤＭシンボルを含む前記第２のＯＦＤＭデータユニットを生成する段階を有する、請求項２〜８のいずれか１項に記載の方法。
【請求項１０】
前記第１の非レガシ部分および前記第２の非レガシ部分は、対応する複数の前記ＯＦＤＭＡデータユニットがｉ）シングルユーザデータユニット、ｉｉ）前記複数のデバイスのうちの示されたデバイスによりデコードされるべきマルチユーザ多入力多出力データユニット、またはｉｉｉ）前記複数のデバイスのうちの示されたデバイスによりデコードされるべき前記ＯＦＤＭＡデータユニットの一部のうちのいずれかであるか否かを示す各グループ識別子（ＩＤ）サブフィールドを有する複数の非レガシ信号フィールドを含む、請求項２〜９のいずれか１項に記載の方法。
【請求項１１】
前記第１の非レガシ部分および前記第２の非レガシ部分は、前記第１のＯＦＤＭトーンブロックの前記第１のデバイスに対する前記割り当ておよび前記第２のＯＦＤＭトーンブロックの前記第２のデバイスに対する前記割り当てを示す、各トーンブロック割り当て識別子を有する複数の非レガシ信号フィールドを含む、請求項２〜１０のいずれか１項に記載の方法。
【請求項１２】
前記第１のＯＦＤＭデータユニットおよび前記第２のＯＦＤＭデータユニットを変調する段階は、ｉ）複数のトーンおよび対応する低減されたトーンの間隔の整数倍の前記第１のＯＦＤＭトーンブロックと同一の帯域幅を用いる前記第１のＯＦＤＭデータユニットと、ｉｉ）複数のトーンおよび対応する低減されたトーンの間隔の前記整数倍の前記第２のＯＦＤＭトーンブロックと同一の帯域幅を用いる前記第２のＯＦＤＭデータユニットとを変調する段階を有する、請求項２〜１１のいずれか１項に記載の方法。
【請求項１３】
無線ローカルエリアネットワーク（ＷＬＡＮ）通信チャネルのための複数の異なる直交周波数分割多重（ＯＦＤＭ）トーンブロックを第１のデバイスおよび第２のデバイスを含む複数のデバイスに割り当てる１または複数の集積回路を有するネットワークインターフェースデバイスを備え、
前記複数の異なるＯＦＤＭトーンブロックは、前記第１のデバイスに割り当てられた第１のＯＦＤＭトーンブロックと、前記第２のデバイスに割り当てられた第２のＯＦＤＭトーンブロックとを少なくとも含み、
前記第１のＯＦＤＭトーンブロックおよび前記第２のＯＦＤＭトーンブロックはあわせて、レガシＷＬＡＮ通信プロトコルの最小チャネル帯域幅に等しい帯域幅にわたり、
前記１または複数の集積回路は、前記ＷＬＡＮ通信チャネルのための直交周波数分割多元接続（ＯＦＤＭＡ）データユニットを更に生成し、
前記ＯＦＤＭＡデータユニットは、プリアンブル部分およびデータ部分を含み、
前記プリアンブル部分は、ｉ）前記ＷＬＡＮ通信チャネル全体にわたる少なくともレガシ部分、ｉｉ）前記第１のＯＦＤＭトーンブロックにわたる第１の非レガシ部分、およびｉｉｉ）前記第２のＯＦＤＭトーンブロックにわたる第２の非レガシ部分を含む、装置。
【請求項１４】
前記１または複数の集積回路は、ｉ）前記第１のデバイスについて受信された第１のデータを用いる前記データ部分の第１のＯＦＤＭデータユニットと、ｉｉ）前記第２のデバイスについて受信された第２のデータを用いる前記データ部分の第２のＯＦＤＭデータユニットとを生成し、
ｉ）前記第１のＯＦＤＭトーンブロックにおける複数のトーン上の前記第１のＯＦＤＭデータユニットと、ｉｉ）前記第２のＯＦＤＭトーンブロックにおける複数のトーン上の前記第２のＯＦＤＭデータユニットとを変調し、
前記第１のデータは、前記第２のデータから独立している、請求項１３に記載の装置。
【請求項１５】
前記ＯＦＤＭＡデータユニットは、前記ＷＬＡＮ通信チャネルの帯域幅全体にわたる、請求項１４に記載の装置。
【請求項１６】
前記１または複数の集積回路は、ｉ）第１のトーンプランを用いる前記第１のＯＦＤＭトーンブロックにおける複数のトーン上の第１のＯＦＤＭデータユニットと、ｉｉ）第２のトーンプランを用いる前記第２のＯＦＤＭトーンブロックにおける複数のトーン上の第２のＯＦＤＭデータユニットとを変調し、
前記レガシ部分は、少なくとも前記第１のトーンプランとは異なるレガシトーンプランを用いて変調される、請求項１３〜１５のいずれか１項に記載の装置。
【請求項１７】
第１の非レガシトーンプランまたは第２の非レガシトーンプランのうちの１または複数は、前記ＷＬＡＮ通信チャネルの高速フーリエ変換（ＦＦＴ）幅よりも小さいＦＦＴ幅に対応する、請求項１３〜１６のいずれか１項に記載の装置。
【請求項１８】
前記１または複数の集積回路は、
第１のデータを用いる複数の第１のデータトーンおよび前記第１のＯＦＤＭトーンブロックのための複数の第１のパイロットトーンを生成し、
第２のデータを用いる複数の第２のデータトーンおよび前記第２のＯＦＤＭトーンブロックのための複数の第２のパイロットトーンを別個に生成し、
前記複数の第１のデータトーン、前記複数の第１のパイロットトーン、前記複数の第２のデータトーン、および前記複数の第２のパイロットトーンに逆高速フーリエ変換（ＩＦＦＴ）を共に実行する、請求項１３〜１７のいずれか１項に記載の装置。
【請求項１９】
前記１または複数の集積回路は、第１のＯＦＤＭデータユニットおよび第２のＯＦＤＭデータユニットが同一の数のＯＦＤＭシンボルを有するように、少なくとも１つのパディングＯＦＤＭシンボルを含む前記第２のＯＦＤＭデータユニットを生成する、請求項１３〜１８のいずれか１項に記載の装置。
【請求項２０】
前記第１の非レガシ部分および前記第２の非レガシ部分は、対応する複数の前記ＯＦＤＭＡデータユニットがｉ）シングルユーザデータユニット、ｉｉ）前記複数のデバイスのうちの示されたデバイスによりデコードされるべきマルチユーザ多入力多出力データユニット、またはｉｉｉ）前記複数のデバイスのうちの示されたデバイスによりデコードされるべき前記ＯＦＤＭＡデータユニットの一部のうちのいずれかであるか否かを示す各グループ識別子（ＩＤ）サブフィールドを有する複数の非レガシ信号フィールドを含む、請求項１３〜１９のいずれか１項に記載の装置。
【請求項２１】
無線ローカルエリアネットワーク（ＷＬＡＮ）通信チャネル内で第１の直交周波数分割多重（ＯＦＤＭ）トーンブロックの割り当てを決定する段階と、
第１の通信デバイスにおいて、前記第１のＯＦＤＭトーンブロック内で複数のデータトーンおよび複数のパイロットトーンを用いた前記ＷＬＡＮ通信チャネル上での送信のための直交周波数分割多元接続（ＯＦＤＭＡ）データユニットの第１の部分を生成する段階とを備え、
前記第１のＯＦＤＭトーンブロックの帯域幅は、レガシＷＬＡＮ通信プロトコルの最小帯域幅よりも小さい、方法。
【請求項２２】
前記ＯＦＤＭＡデータユニットの前記第１の部分を生成する段階は、前記第１のＯＦＤＭトーンブロックに等しいＦＦＴサイズを有する前記ＯＦＤＭＡデータユニットの前記第１の部分に対する逆高速フーリエ変換（ＩＦＦＴ）を実行する段階を有する、請求項２１に記載の方法。
【請求項２３】
前記ＯＦＤＭＡデータユニットの前記第１の部分を生成する段階は、前記第１のＯＦＤＭトーンブロック内に存在しない複数のデータトーンおよび複数のパイロットトーンに対する複数のゼロの値を用いて前記ＷＬＡＮ通信チャネルに等しいＦＦＴサイズを有する前記ＯＦＤＭＡデータユニットの前記第１の部分に対するＩＦＦＴを実行する段階を有する、請求項２１または２２に記載の方法。
【請求項２４】
前記第１の通信デバイスにより前記ＷＬＡＮ通信チャネル上で前記ＯＦＤＭＡデータユニットの前記第１の部分を、第２の通信デバイスにより前記ＷＬＡＮ通信チャネル上で前記ＯＦＤＭＡデータユニットの第２の部分を送信するのと同時に送信する段階を更に備え、
前記ＯＦＤＭＡデータユニットの前記第２の部分は、前記ＷＬＡＮ通信チャネル内の第２のＯＦＤＭトーンブロックにわたる、請求項２１〜２３のいずれか１項に記載の方法。
【請求項２５】
前記第１の通信デバイスにより前記第１のＯＦＤＭトーンブロックおよび前記第２のＯＦＤＭトーンブロックを用いる前記ＯＦＤＭＡデータユニットにおけるプリアンブル部分のレガシ部分を、前記第１のＯＦＤＭトーンブロックおよび前記第２のＯＦＤＭトーンブロックを用いる前記第２の通信デバイスにより前記プリアンブル部分の前記レガシ部分を送信するのと同時に送信する段階を更に備える、請求項２４に記載の方法。
【請求項２６】
前記ＯＦＤＭＡデータユニットの前記第１の部分を送信する段階は、前記第１の通信デバイスにより前記第１のＯＦＤＭトーンブロックのみを用いる第１のＯＦＤＭデータユニットを、前記第２の通信デバイスにより前記第２のＯＦＤＭトーンブロックのみを用いる第２のＯＦＤＭデータユニットを送信するのと同時に送信する段階を有する、請求項２５に記載の方法。
【請求項２７】
前記レガシ部分および前記第１のＯＦＤＭデータユニットは、同一の総電力を用いる前記第１の通信デバイスにより送信される、請求項２６に記載の方法。
【請求項２８】
前記レガシ部分および前記第１のＯＦＤＭデータユニットは、同一の１トーン当たりの電力を用いる前記第１の通信デバイスにより送信される、請求項２６または２７に記載の方法。
【請求項２９】
無線ローカルエリアネットワーク（ＷＬＡＮ）通信チャネル内で第１の直交周波数分割多重（ＯＦＤＭ）トーンブロックの割り当てを決定する１または複数の集積回路を有するネットワークインターフェースデバイスを備え、
前記第１のＯＦＤＭトーンブロックの帯域幅は、レガシＷＬＡＮ通信プロトコルの最小帯域幅よりも小さく、
前記１または複数の集積回路は、第１の通信デバイスにおいて、前記第１のＯＦＤＭトーンブロック内で複数のデータトーンおよび複数のパイロットトーンを用いた前記ＷＬＡＮ通信チャネル上での送信のための直交周波数分割多元接続（ＯＦＤＭＡ）データユニットの第１の部分を更に生成する、第１の通信デバイス。
【請求項３０】
前記１または複数の集積回路は、前記第１のＯＦＤＭトーンブロックに等しいＦＦＴサイズを有する前記ＯＦＤＭＡデータユニットの前記第１の部分に対する逆高速フーリエ変換（ＩＦＦＴ）を実行することを含む、前記ＯＦＤＭＡデータユニットの前記第１の部分を生成する、請求項２９に記載の第１の通信デバイス。
【請求項３１】
前記１または複数の集積回路は、前記第１のＯＦＤＭトーンブロック内に存在しない複数のデータトーンおよび複数のパイロットトーンに対する複数のゼロの値を用いて前記ＷＬＡＮ通信チャネルに等しいＦＦＴサイズを有する前記ＯＦＤＭＡデータユニットの前記第１の部分に対するＩＦＦＴを実行することを含む、前記ＯＦＤＭＡデータユニットの前記第１の部分を生成する、請求項２９または３０に記載の第１の通信デバイス。
【請求項３２】
前記１または複数の集積回路は、前記第１の通信デバイスにより前記ＷＬＡＮ通信チャネル上で前記ＯＦＤＭＡデータユニットの前記第１の部分を、第２の通信デバイスにより前記ＷＬＡＮ通信チャネル上で前記ＯＦＤＭＡデータユニットの第２の部分を送信するのと同時に送信し、
前記ＯＦＤＭＡデータユニットの前記第２の部分は、前記ＷＬＡＮ通信チャネル内の第２のＯＦＤＭトーンブロックにわたる、請求項２９〜３１のいずれか１項に記載の第１の通信デバイス。
【請求項３３】
前記１または複数の集積回路は、前記第１のＯＦＤＭトーンブロックおよび前記第２のＯＦＤＭトーンブロックを用いる前記ＯＦＤＭＡデータユニットにおけるプリアンブル部分のレガシ部分を、前記第１のＯＦＤＭトーンブロックおよび前記第２のＯＦＤＭトーンブロックを用いる前記第２の通信デバイスにより前記プリアンブル部分の前記レガシ部分を送信するのと同時に送信する、請求項３２に記載の第１の通信デバイス。
【請求項３４】
無線ローカルエリアネットワーク（ＷＬＡＮ）通信チャネルのための複数の異なる直交周波数分割多重（ＯＦＤＭ）トーンブロックを、第１のデバイスおよび第２のデバイスを含む複数のデバイスに割り当てる段階と、
前記ＷＬＡＮ通信チャネルのための直交周波数分割多元接続（ＯＦＤＭＡ）データユニットを生成する段階とを備え、
前記複数の異なるＯＦＤＭトーンブロックは、前記第１のデバイスに割り当てられた第１のＯＦＤＭトーンブロックおよび第２のＯＦＤＭトーンブロックと、前記第２のデバイスに割り当てられた第３のＯＦＤＭトーンブロックとを少なくとも含み、
前記第１のＯＦＤＭトーンブロックおよび前記第２のＯＦＤＭトーンブロックは、少なくとも前記第３のＯＦＤＭトーンブロックにより周波数において分離され、
前記ＯＦＤＭＡデータユニットは、プリアンブル部分およびデータ部分を含み、
前記プリアンブル部分は、ｉ）少なくとも前記第１のＯＦＤＭトーンブロックに対応する第１のレガシ部分と、ｉｉ）前記第２のＯＦＤＭトーンブロックに対応する第２のレガシ部分と、ｉｉｉ）前記第１のＯＦＤＭトーンブロックに対応する第１の非レガシ部分と、ｉｖ）前記第２のＯＦＤＭトーンブロックに対応する第２の非レガシ部分と、ｖ）前記第３のＯＦＤＭトーンブロックに対応する第３の非レガシ部分とを少なくとも含み、
前記第１のレガシ部分は、少なくとも前記第１のＯＦＤＭトーンブロック上で変調され、
前記第１の非レガシ部分は、前記第１のＯＦＤＭトーンブロック上で変調され、
前記第２のレガシ部分は、少なくとも前記第２のＯＦＤＭトーンブロック上で変調され、
前記第２の非レガシ部分は、前記第２のＯＦＤＭトーンブロック上で変調され、
前記第３の非レガシ部分は、前記第３のＯＦＤＭトーンブロック上で変調される、方法。
【請求項３５】
前記第１のＯＦＤＭトーンブロックおよび前記第３のＯＦＤＭトーンブロックは共に、レガシＷＬＡＮ通信プロトコルの最小チャネル帯域幅に等しい帯域幅にわたる、請求項３４に記載の方法。
【請求項３６】
前記第１のレガシ部分は、レガシＷＬＡＮ通信プロトコルの最小チャネル帯域幅に対応するレガシトーンブロック上で変調され、
前記レガシトーンブロックは、ｉ）前記第１のＯＦＤＭトーンブロックと周波数において重複し、ｉｉ）前記第１のＯＦＤＭトーンブロックの帯域幅よりも大きい帯域幅を有する、請求項３４または３５に記載の方法。
【請求項３７】
前記レガシトーンブロックは、前記第１のデバイスに割り当てられた前記第１のＯＦＤＭトーンブロックと、前記第２のデバイスに割り当てられた前記第３のＯＦＤＭトーンブロックとを含み、
前記第１のレガシ部分は、少なくとも前記第１のＯＦＤＭトーンブロックおよび前記第３のＯＦＤＭトーンブロック上で変調される、請求項３６に記載の方法。
【請求項３８】
前記データ部分は、前記第１のＯＦＤＭトーンブロック上で変調された、前記第１のデバイスに対する第１のＯＦＤＭデータユニットと、前記第３のＯＦＤＭトーンブロック上で変調された、前記第２のデバイスに対する第２のＯＦＤＭデータユニットとを含み、
前記第１のＯＦＤＭデータユニットおよび前記第２のＯＦＤＭデータユニットのうちの少なくとも１つは、前記第１の非レガシ部分および前記第１のＯＦＤＭデータユニットの全長が前記第３の非レガシ部分および前記第２のＯＦＤＭデータユニットの全長に等しくなるように、パディングを含む、請求項３７に記載の方法。
【請求項３９】
前記データ部分は、前記第１のＯＦＤＭトーンブロック上で変調された前記第１のデバイスに対する第１のＯＦＤＭデータユニットと、前記第２のＯＦＤＭトーンブロック上で変調された前記第１のデバイスに対する第２のＯＦＤＭデータユニットとを含み、
前記第１のレガシ部分および前記第２のレガシ部分は、ｉ）前記第１の非レガシ部分および前記第１のＯＦＤＭデータユニット、ならびにｉｉ）前記第２の非レガシ部分および前記第２のＯＦＤＭデータユニットに対する同一の全持続時間を示す複数のレガシ信号フィールドを含む、請求項３４〜３８のいずれか１項に記載の方法。
【請求項４０】
前記第１のＯＦＤＭトーンブロックおよび前記第２のＯＦＤＭトーンブロックは、同一の変調符号化スキームを用いる、請求項３４〜３９のいずれか１項に記載の方法。
【請求項４１】
前記第１のＯＦＤＭトーンブロックは、前記第２のＯＦＤＭトーンブロックとは異なる変調符号化スキーム（ＭＣＳ）を用いる、請求項３４〜４０のいずれか１項に記載の方法。
【請求項４２】
前記第１のＯＦＤＭトーンブロックおよび前記第２のＯＦＤＭトーンブロックは、同一の数の時空間ストリームを用いる、請求項４１に記載の方法。
【請求項４３】
前記第１のＯＦＤＭトーンブロックおよび前記第２のＯＦＤＭトーンブロックは、異なる数の時空間ストリームを用いる、請求項４１または４２に記載の方法。
【請求項４４】
前記ＷＬＡＮ通信チャネルのための前記ＯＦＤＭＡデータユニットを生成する段階は、前記第１のＯＦＤＭトーンブロックに対する第１のデータを、前記第２のＯＦＤＭトーンブロックに対する第２のデータとは別個にエンコードする段階を有する、請求項３４〜４３のいずれか１項に記載の方法。
【請求項４５】
前記ＷＬＡＮ通信チャネルのための前記ＯＦＤＭＡデータユニットを生成する段階は、前記第１のＯＦＤＭトーンブロックに対する第１のデータを前記第２のＯＦＤＭトーンブロックに対する第２のデータと共にエンコードおよびインターリーブする段階を含む、請求項３４〜４４のいずれか１項に記載の方法。
【請求項４６】
無線ローカルエリアネットワーク（ＷＬＡＮ）通信チャネルのための複数の異なる直交周波数分割多重（ＯＦＤＭ）トーンブロックを、第１のデバイスおよび第２のデバイスを含む複数のデバイスに割り当て、
前記ＷＬＡＮ通信チャネルのための直交周波数分割多元接続（ＯＦＤＭＡ）データユニットを生成する１または複数の集積回路を有するネットワークインターフェースデバイスを備え、  前記複数の異なるＯＦＤＭトーンブロックは、前記第１のデバイスに割り当てられた第１のＯＦＤＭトーンブロックおよび第２のＯＦＤＭトーンブロックと、前記第２のデバイスに割り当てられた第３のＯＦＤＭトーンブロックとを少なくとも含み、
前記第１のＯＦＤＭトーンブロックおよび前記第２のＯＦＤＭトーンブロックは、少なくとも前記第３のＯＦＤＭトーンブロックにより周波数において分離され、
前記ＯＦＤＭＡデータユニットは、プリアンブル部分およびデータ部分を含み、
前記プリアンブル部分は、ｉ）少なくとも前記第１のＯＦＤＭトーンブロックに対応する第１のレガシ部分と、ｉｉ）前記第２のＯＦＤＭトーンブロックに対応する第２のレガシ部分と、ｉｉｉ）前記第１のＯＦＤＭトーンブロックに対応する第１の非レガシ部分と、ｉｖ）前記第２のＯＦＤＭトーンブロックに対応する第２の非レガシ部分と、ｖ）前記第３のＯＦＤＭトーンブロックに対応する第３の非レガシ部分とを少なくとも含み、
前記第１のレガシ部分は、少なくとも前記第１のＯＦＤＭトーンブロック上で変調され、
前記第１の非レガシ部分は、前記第１のＯＦＤＭトーンブロック上で変調され、
前記第２のレガシ部分は、少なくとも前記第２のＯＦＤＭトーンブロック上で変調され、
前記第２の非レガシ部分は、前記第２のＯＦＤＭトーンブロック上で変調され、
前記第３の非レガシ部分は、前記第３のＯＦＤＭトーンブロック上で変調される、装置。
【請求項４７】
前記第１のＯＦＤＭトーンブロックおよび前記第３のＯＦＤＭトーンブロックは共に、レガシＷＬＡＮ通信プロトコルの最小チャネル帯域幅に等しい帯域幅にわたる、請求項４６に記載の装置。
【請求項４８】
前記第１のレガシ部分は、レガシＷＬＡＮ通信プロトコルの最小チャネル帯域幅に対応するレガシトーンブロック上で変調され、
前記レガシトーンブロックは、ｉ）前記第１のＯＦＤＭトーンブロックと周波数において重複し、ｉｉ）前記第１のＯＦＤＭトーンブロックの帯域幅よりも大きい帯域幅を有する、請求項４６または４７に記載の装置。
【請求項４９】
前記レガシトーンブロックは、前記第１のデバイスに割り当てられた前記第１のＯＦＤＭトーンブロックと、前記第２のデバイスに割り当てられた前記第３のＯＦＤＭトーンブロックとを含み、
前記第１のレガシ部分は、少なくとも前記第１のＯＦＤＭトーンブロックおよび前記第３のＯＦＤＭトーンブロック上で変調される、請求項４８に記載の装置。
【請求項５０】
前記データ部分は、前記第１のＯＦＤＭトーンブロック上で変調された、前記第１のデバイスに対する第１のＯＦＤＭデータユニットと、前記第３のＯＦＤＭトーンブロック上で変調された、前記第２のデバイスに対する第２のＯＦＤＭデータユニットとを含み、
前記第１のＯＦＤＭデータユニットおよび前記第２のＯＦＤＭデータユニットのうちの少なくとも１つは、前記第１の非レガシ部分および前記第１のＯＦＤＭデータユニットの全長が前記第３の非レガシ部分および前記第２のＯＦＤＭデータユニットの全長に等しくなるように、パディングを含む、請求項４９に記載の装置。
【請求項５１】
前記１または複数の集積回路は、前記第１のＯＦＤＭトーンブロックに対する第１のデータを、前記第２のＯＦＤＭトーンブロックに対する第２のデータとは別個にエンコードする、請求項４６〜５０のいずれか１項に記載の装置。
【請求項５２】
無線ローカルエリアネットワーク（ＷＬＡＮ）通信チャネルのための第１の直交周波数分割多重（ＯＦＤＭ）トーンブロックおよび第２のＯＦＤＭトーンブロックの割り当てを決定する段階と、
第１の通信デバイスにおいて、前記第１のＯＦＤＭトーンブロックおよび前記第２のＯＦＤＭトーンブロック内で複数のデータトーンおよび複数のパイロットトーンを用いた前記ＷＬＡＮ通信チャネル上での送信のための直交周波数分割多元接続（ＯＦＤＭＡ）データユニットの一部を生成する段階とを備え、
前記第１のＯＦＤＭトーンブロックは、前記ＷＬＡＮ通信チャネルに対応する高速フーリエ変換（ＦＦＴ）サイズよりも小さい第１のＦＦＴサイズに対応し、
前記第２のＯＦＤＭトーンブロックは、前記ＷＬＡＮ通信チャネルに対応する前記ＦＦＴサイズよりも小さい第２のＦＦＴサイズに対応し、
前記第１のＯＦＤＭトーンブロックおよび前記第２のＯＦＤＭトーンブロックは、少なくとも第３のＯＦＤＭトーンブロックにより周波数において分離される、方法。
【請求項５３】
前記ＯＦＤＭＡデータユニットの前記一部を生成する段階は、
ｉ）前記第１のＦＦＴサイズを有する前記ＯＦＤＭＡデータユニットの第１のＯＦＤＭデータユニットに対する逆高速フーリエ変換（ＩＦＦＴ）、およびｉｉ）前記第２のＦＦＴサイズを有する前記ＯＦＤＭＡデータユニットの第２のＯＦＤＭデータユニットに対するＩＦＦＴを実行する段階と、
前記第１の通信デバイスの複数の別個の無線トランスミッタからの前記第１のＯＦＤＭデータユニットおよび前記第２のＯＦＤＭデータユニットをフィルタリングして送信する段階とを有する、請求項５２に記載の方法。
【請求項５４】
前記ＯＦＤＭＡデータユニットの前記一部を生成する段階は、
ｉ）前記第１のＦＦＴサイズに対応するＩＦＦＴサイズを有する前記ＯＦＤＭＡデータユニットの第１のＯＦＤＭデータユニットに対する逆高速フーリエ変換（ＩＦＦＴ）、およびｉｉ）前記第２のＦＦＴサイズに対応するＩＦＦＴサイズを有する前記ＯＦＤＭＡデータユニットの第２のＯＦＤＭデータユニットに対するＩＦＦＴを実行する段階と、
前記第１のＯＦＤＭデータユニットおよび前記第２のＯＦＤＭデータユニットをフィルタリングしてシフトさせる段階と、
前記第１のＯＦＤＭデータユニットおよび前記第２のＯＦＤＭデータユニットを組み合わせて送信する段階とを有する、請求項５２または５３に記載の方法。
【請求項５５】
前記ＯＦＤＭＡデータユニットの前記一部を生成する段階は、前記第１のＯＦＤＭトーンブロックまたは前記第２のＯＦＤＭトーンブロック内に存在しない複数のデータトーンおよび複数のパイロットトーンに対する複数のゼロの値を用いて前記ＷＬＡＮ通信チャネルに対応するＦＦＴサイズを有する前記ＯＦＤＭＡデータユニットの前記一部に対するＩＦＦＴを実行する段階を有する、請求項５２〜５４のいずれか１項に記載の方法。
【請求項５６】
前記第１の通信デバイスにより前記ＷＬＡＮ通信チャネル上で前記ＯＦＤＭＡデータユニットの前記一部を、第２の通信デバイスにより前記ＷＬＡＮ通信チャネル上でＯＦＤＭＡデータユニットの別の一部を送信するのと同時に送信する段階を更に備え、
前記ＯＦＤＭＡデータユニットの前記別の一部は、前記ＷＬＡＮ通信チャネルの第３のＯＦＤＭトーンブロックにわたる、請求項５２〜５５のいずれか１項に記載の方法。
【請求項５７】
無線ローカルエリアネットワーク（ＷＬＡＮ）通信チャネルのための複数の異なる直交周波数分割多重（ＯＦＤＭ）周波数サブバンドを、第１のデバイスおよび第２のデバイスを含む複数のデバイスに割り当てる段階と、
前記ＷＬＡＮ通信チャネルのための直交周波数分割多元接続（ＯＦＤＭＡ）データユニットを生成する段階とを備え、
前記複数の異なるＯＦＤＭ周波数サブバンドは、前記第１のデバイスに割り当てられた第１のＯＦＤＭ周波数サブバンドと、前記第２のデバイスに割り当てられた第２のＯＦＤＭ周波数サブバンドとを少なくとも含み、
前記ＯＦＤＭＡデータユニットは、プリアンブル部分およびデータ部分を含み、
前記プリアンブル部分は、
レガシトーンの間隔およびレガシトーンプランを用いる前記第１のＯＦＤＭ周波数サブバンドおよび前記第２のＯＦＤＭ周波数サブバンドにわたるレガシ部分と、
前記レガシトーンの間隔および前記レガシトーンプランを用いる前記第１のＯＦＤＭ周波数サブバンドおよび前記第２のＯＦＤＭ周波数サブバンドにわたる第１の非レガシ部分と、
非レガシトーンの間隔および非レガシトーンプランを用いる前記第１のＯＦＤＭ周波数サブバンドにわたる第２の非レガシ部分と、
前記非レガシトーンの間隔および前記非レガシトーンプランを用いる前記第２のＯＦＤＭ周波数サブバンドにわたる第３の非レガシ部分とを含む、方法。
【請求項５８】
前記ＷＬＡＮ通信チャネルのための前記ＯＦＤＭＡデータユニットを生成する段階は、
ｉ）前記第１のデバイスについて受信された第１のデータを用いる前記データ部分の第１のＯＦＤＭデータユニットと、ｉｉ）前記第２のデバイスについて受信された第２のデータを用いる前記データ部分の第２のＯＦＤＭデータユニットとを生成する段階と、
ｉ）前記第１のＯＦＤＭ周波数サブバンドの前記非レガシトーンプランを用いる前記第１のＯＦＤＭデータユニットと、ｉｉ）前記第２のＯＦＤＭ周波数サブバンドの前記非レガシトーンプランを用いる前記第２のＯＦＤＭデータユニットとを変調する段階とを有し、
前記第１のデータは、前記第２のデータから独立している、請求項５７に記載の方法。
【請求項５９】
前記レガシトーンの間隔は、前記非レガシトーンの間隔の整数倍である、請求項５７または５８に記載の方法。
【請求項６０】
無線ローカルエリアネットワーク（ＷＬＡＮ）通信チャネルのための複数の異なる直交周波数分割多重（ＯＦＤＭ）周波数サブバンドを、第１のデバイスおよび第２のデバイスを含む複数のデバイスに割り当て、
前記ＷＬＡＮ通信チャネルのための直交周波数分割多元接続（ＯＦＤＭＡ）データユニットを生成する１または複数の集積回路を有するネットワークインターフェースデバイスを備え、
前記複数の異なるＯＦＤＭ周波数サブバンドは、前記第１のデバイスに割り当てられた第１のＯＦＤＭ周波数サブバンドと、前記第２のデバイスに割り当てられた第２のＯＦＤＭ周波数サブバンドとを少なくとも含み、
前記ＯＦＤＭＡデータユニットは、プリアンブル部分およびデータ部分を含み、
前記プリアンブル部分は、
レガシトーンの間隔およびレガシトーンプランを用いる前記第１のＯＦＤＭ周波数サブバンドおよび前記第２のＯＦＤＭ周波数サブバンドにわたるレガシ部分と、
前記レガシトーンの間隔および前記レガシトーンプランを用いる前記第１のＯＦＤＭ周波数サブバンドおよび前記第２のＯＦＤＭ周波数サブバンドにわたる第１の非レガシ部分と、
非レガシトーンの間隔および非レガシトーンプランを用いる前記第１のＯＦＤＭ周波数サブバンドにわたる第２の非レガシ部分と、
前記非レガシトーンの間隔および前記非レガシトーンプランを用いる前記第２のＯＦＤＭ周波数サブバンドにわたる第３の非レガシ部分とを含む、装置。
【請求項６１】
前記１または複数の集積回路は、
ｉ）前記第１のデバイスについて受信された第１のデータを用いる前記データ部分の第１のＯＦＤＭデータユニットと、ｉｉ）前記第２のデバイスについて受信された第２のデータを用いる前記データ部分の第２のＯＦＤＭデータユニットとを生成し、
ｉ）前記第１のＯＦＤＭ周波数サブバンドの前記非レガシトーンプランを用いる前記第１のＯＦＤＭデータユニットと、ｉｉ）前記第２のＯＦＤＭ周波数サブバンドの前記非レガシトーンプランを用いる前記第２のＯＦＤＭデータユニットとを変調し、
前記第１のデータは、前記第２のデータから独立している、請求項６０に記載の装置。
【請求項６２】
前記レガシトーンの間隔は、前記非レガシトーンの間隔の整数倍である、請求項６０または６１に記載の装置。
【発明の詳細な説明】
【技術分野】
【０００１】
［関連出願に対する相互参照］
本開示は、２０１３年１１月２７日に出願された「ＯＦＤＭＡ  ｆｏｒ  ＷＬＡＮ：ＰＨＹ  Ｆｏｒｍａｔｓ」という名称の米国仮特許出願第６１／９０９，６１６号、および２０１４年５月２日に出願された「Ｒａｎｇｅ  Ｅｘｔｅｎｓｉｏｎ  ＰＨＹ」という名称の米国仮特許出願第６１／９８７，７７８号に対する利益を主張し、これらの各々の開示は、その全体が参照により本明細書に組み込まれる。
【０００２】
本開示は、概ね通信ネットワークに関し、より具体的には直交周波数分割多元接続を使用する無線ローカルエリアネットワークに関する。
【背景技術】
【０００３】
通常、あるインフラストラクチャモードで動作する場合、無線ローカルエリアネットワーク（ＷＬＡＮ）は、アクセスポイント（ＡＰ）および１または複数のクライアント局を含む。ＷＬＡＮは、過去十年で急速に進化した。米国電気電子学会（ＩＥＥＥ）８０２．１１ａ、８０２．１１ｂ、８０２．１１ｇおよび８０２．１１ｎ規格等のＷＬＡＮ規格の発展により、シングルユーザピークデータスループットは、改善されてきている。例えば、ＩＥＥＥ８０２．１１ｂ規格は１１メガビット／秒（Ｍｂｐｓ）のシングルユーザピークスループットを規定し、ＩＥＥＥ８０２．１１ａおよび８０２．１１ｇ規格は、５４Ｍｂｐｓのシングルユーザピークスループットを規定し、ＩＥＥＥ８０２．１１ｎ規格は、６００Ｍｂｐｓのシングルユーザピークスループットを規定し、ＩＥＥＥ８０２．１１ａｃ規格は、ギガビット／秒（Ｇｂｐｓ）範囲のシングルユーザピークスループットを規定する。将来的な規格は、数十Ｇｂｐｓの範囲のスループット等、より大きいスループットを提供することを保証する。
【発明の概要】
【０００４】
一実施形態において、直交周波数分割多元接続（ＯＦＤＭＡ）データユニットを生成する方法は、無線ローカルエリアネットワーク（ＷＬＡＮ）通信チャネルのための複数の異なる直交周波数分割多重（ＯＦＤＭ）トーンブロックを、第１のデバイスおよび第２のデバイスを含む複数のデバイスに割り当てる段階を備える。複数の異なるＯＦＤＭトーンブロックは、第１のデバイスに割り当てられた第１のＯＦＤＭトーンブロックと、第２のデバイスに割り当てられた第２のＯＦＤＭトーンブロックとを少なくとも含む。第１のＯＦＤＭトーンブロックおよび第２のＯＦＤＭトーンブロックは共に、レガシＷＬＡＮ通信プロトコルの最小チャネル帯域幅に等しい帯域幅にわたる。また本方法は、ＷＬＡＮ通信チャネルのためのＯＦＤＭＡデータユニットを生成する段階を備える。ＯＦＤＭＡデータユニットは、プリアンブル部分およびデータ部分を含む。プリアンブル部分は、ｉ）ＷＬＡＮ通信チャネル全体にわたる少なくともレガシ部分、ｉｉ）第１のＯＦＤＭトーンブロックにわたる第１の非レガシ部分、およびｉｉｉ）第２のＯＦＤＭトーンブロックにわたる第２の非レガシ部分を有する。
【０００５】
別の実施形態において、装置は、１または複数の集積回路を有するネットワークインターフェースデバイスを備える。１または複数の集積回路は、無線ローカルエリアネットワーク（ＷＬＡＮ）通信チャネルのための複数の異なる直交周波数分割多重（ＯＦＤＭ）トーンブロックを、第１のデバイスおよび第２のデバイスを含む複数のデバイスに割り当てるように構成される。複数の異なるＯＦＤＭトーンブロックは、第１のデバイスに割り当てられた第１のＯＦＤＭトーンブロックと、第２のデバイスに割り当てられた第２のＯＦＤＭトーンブロックとを少なくとも含む。第１のＯＦＤＭトーンブロックおよび第２のＯＦＤＭトーンブロックは共に、レガシＷＬＡＮ通信プロトコルの最小チャネル帯域幅に等しい帯域幅にわたる。１または複数の集積回路は、ＷＬＡＮ通信チャネルのための直交周波数分割多元接続（ＯＦＤＭＡ）データユニットを生成するように更に構成され、ＯＦＤＭＡデータユニットは、プリアンブル部分およびデータ部分を含み、プリアンブル部分は、ｉ）ＷＬＡＮ通信チャネル全体にわたる少なくともレガシ部分、ｉｉ）第１のＯＦＤＭトーンブロックにわたる第１の非レガシ部分、およびｉｉｉ）第２のＯＦＤＭトーンブロックにわたる第２の非レガシ部分を有する。
【０００６】
なおも別の実施形態において、ＯＦＤＭＡデータユニットの一部を生成する方法は、無線ローカルエリアネットワーク（ＷＬＡＮ）通信チャネル内の第１の直交周波数分割多重（ＯＦＤＭ）トーンブロックの割り当てを決定する段階を備える。第１のＯＦＤＭトーンブロックの帯域幅は、レガシＷＬＡＮ通信プロトコルの最小帯域幅よりも小さい。また本方法は、第１の通信デバイスにおいて、第１のＯＦＤＭトーンブロック内で複数のデータトーンおよびパイロットトーンを用いたＷＬＡＮ通信チャネル上での送信のための直交周波数分割多元接続（ＯＦＤＭＡ）データユニットの第１の部分を生成する段階を備える。
【０００７】
一実施形態において、第１の通信デバイスは、１または複数の集積回路を有するネットワークインターフェースデバイスを含む。１または複数の集積回路は、無線ローカルエリアネットワーク（ＷＬＡＮ）通信チャネル内の第１の直交周波数分割多重（ＯＦＤＭ）トーンブロックの割り当てを決定するように構成される。第１のＯＦＤＭトーンブロックの帯域幅は、レガシＷＬＡＮ通信プロトコルの最小帯域幅よりも小さい。１または複数の集積回路は、第１の通信デバイスにおいて、第１のＯＦＤＭトーンブロック内で複数のデータトーンおよびパイロットトーンを用いたＷＬＡＮ通信チャネル上での送信のための直交周波数分割多元接続（ＯＦＤＭＡ）データユニットの第１の部分を生成するように更に構成される。
【０００８】
一実施形態において、ＯＦＤＭＡデータユニットを生成する方法は、ＷＬＡＮ通信チャネルのための複数の異なるＯＦＤＭトーンブロックを、第１のデバイスおよび第２のデバイスを含む複数のデバイスに割り当てる段階を備える。複数の異なるＯＦＤＭトーンブロックは、第１のデバイスに割り当てられた第１のＯＦＤＭトーンブロックおよび第２のＯＦＤＭトーンブロックと、ならびに第２のデバイスに割り当てられた第３のＯＦＤＭトーンブロックを少なくとも含む。第１のＯＦＤＭトーンブロックおよび第２のＯＦＤＭトーンブロックは、少なくとも第３のＯＦＤＭトーンブロックにより周波数において分離されている。また本方法は、ＷＬＡＮ通信チャネルのためのＯＦＤＭＡデータユニットを生成する段階を備える。ＯＦＤＭＡデータユニットは、プリアンブル部分およびデータ部分を含む。プリアンブル部分は、ｉ）少なくとも第１のＯＦＤＭトーンブロックに対応する第１のレガシ部分、ｉｉ）第２のＯＦＤＭトーンブロックに対応する第２のレガシ部分、ｉｉｉ）第１のＯＦＤＭトーンブロックに対応する第１の非レガシ部分、ｉｖ）第２のＯＦＤＭトーンブロックに対応する第２の非レガシ部分、およびｖ）第３のＯＦＤＭトーンブロックに対応する第３の非レガシ部分を少なくとも有する。第１のレガシ部分は、少なくとも第１のＯＦＤＭトーンブロック上で変調される。第１の非レガシ部分は、第１のＯＦＤＭトーンブロック上で変調される。第２のレガシ部分は、少なくとも第２のＯＦＤＭトーンブロック上で変調される。第２の非レガシ部分は、第２のＯＦＤＭトーンブロック上で変調される。第３の非レガシ部分は、第３のＯＦＤＭトーンブロック上で変調される。
【０００９】
別の実施形態において、装置は、１または複数の集積回路を有するネットワークインターフェースデバイスを備える。１または複数の集積回路は、ＷＬＡＮ通信チャネルのための複数の異なるＯＦＤＭトーンブロックを、第１のデバイスおよび第２のデバイスを含む複数のデバイスに割り当てるように構成される。複数の異なるＯＦＤＭトーンブロックは、第１のデバイスに割り当てられた第１のＯＦＤＭトーンブロックおよび第２のＯＦＤＭトーンブロック、ならびに第２のデバイスに割り当てられた第３のＯＦＤＭトーンブロックを少なくとも含む。第１のＯＦＤＭトーンブロックおよび第２のＯＦＤＭトーンブロックは、少なくとも第３のＯＦＤＭトーンブロックにより周波数において分離されている。また１または複数の集積回路は、ＷＬＡＮ通信チャネルのためのＯＦＤＭＡデータユニットを生成するように構成される。ＯＦＤＭＡデータユニットは、プリアンブル部分およびデータ部分を含む。プリアンブル部分は、ｉ）少なくとも第１のＯＦＤＭトーンブロックに対応する第１のレガシ部分、ｉｉ）第２のＯＦＤＭトーンブロックに対応する第２のレガシ部分、ｉｉｉ）第１のＯＦＤＭトーンブロックに対応する第１の非レガシ部分、ｉｖ）第２のＯＦＤＭトーンブロックに対応する第２の非レガシ部分、およびｖ）第３のＯＦＤＭトーンブロックに対応する第３の非レガシ部分を少なくとも有する。第１のレガシ部分は、少なくとも第１のＯＦＤＭトーンブロック上で変調される。第１の非レガシ部分は、第１のＯＦＤＭトーンブロック上で変調される。第２のレガシ部分は、少なくとも第２のＯＦＤＭトーンブロック上で変調される。第２の非レガシ部分は、第２のＯＦＤＭトーンブロック上で変調される。第３の非レガシ部分は、第３のＯＦＤＭトーンブロック上で変調される。
【００１０】
なおも別の実施形態において、ＯＦＤＭＡデータユニットの一部を生成する方法は、ＷＬＡＮ通信チャネルのための第１のＯＦＤＭトーンブロックおよび第２のＯＦＤＭトーンブロックの割り当てを決定する段階を備える。第１のＯＦＤＭトーンブロックは、ＷＬＡＮ通信チャネルに対応するＦＦＴサイズよりも小さい第１の高速フーリエ変換（ＦＦＴ）サイズに対応する。第２のＯＦＤＭトーンブロックは、ＷＬＡＮ通信チャネルに対応するＦＦＴサイズよりも小さい第２のＦＦＴサイズに対応する。第１のＯＦＤＭトーンブロックおよび第２のＯＦＤＭトーンブロックは、少なくとも第３のＯＦＤＭトーンブロックにより周波数において分離されている。本方法は、第１の通信デバイスにおいて、第１のＯＦＤＭトーンブロックおよび第２のＯＦＤＭトーンブロック内で複数のデータトーンおよびパイロットトーンを用いたＷＬＡＮ通信チャネル上での送信のためのＯＦＤＭＡデータユニットの一部を生成する段階を更に備える。
【００１１】
一実施形態において、ＯＦＤＭＡデータユニットを生成する方法は、ＷＬＡＮ通信チャネルのための複数の異なるＯＦＤＭ周波数サブバンドを、第１のデバイスおよび第２のデバイスを含む複数のデバイスに割り当てる段階を備える。複数の異なるＯＦＤＭ周波数サブバンドは、第１のデバイスに割り当てられた第１のＯＦＤＭ周波数サブバンドと、第２のデバイスに割り当てられた第２のＯＦＤＭ周波数サブバンドとを少なくとも含む。また本方法は、ＷＬＡＮ通信チャネルのためのＯＦＤＭＡデータユニットを生成する段階を備える。ＯＦＤＭＡデータユニットは、プリアンブル部分およびデータ部分を含む。プリアンブル部分は、レガシトーンの間隔およびレガシトーンプランを用いる第１のＯＦＤＭ周波数サブバンドおよび第２のＯＦＤＭ周波数サブバンドにわたるレガシ部分と、レガシトーンの間隔およびレガシトーンプランを用いる第１のＯＦＤＭ周波数サブバンドおよび第２のＯＦＤＭ周波数サブバンドにわたる第１の非レガシ部分と、非レガシトーンの間隔および非レガシトーンプランを用いる第１のＯＦＤＭ周波数サブバンドにわたる第２の非レガシ部分と、非レガシトーンの間隔および非レガシトーンプランを用いる第２のＯＦＤＭ周波数サブバンドにわたる第３の非レガシ部分とを含む。
【００１２】
別の実施形態において、装置は、１または複数の集積回路を有するネットワークインターフェースデバイスを備える。１または複数の集積回路は、ＷＬＡＮ通信チャネルのための複数の異なるＯＦＤＭ周波数サブバンドを、第１のデバイスおよび第２のデバイスを含む複数のデバイスに割り当てるように構成される。複数の異なるＯＦＤＭ周波数サブバンドは、第１のデバイスに割り当てられた第１のＯＦＤＭ周波数サブバンドと、第２のデバイスに割り当てられた第２のＯＦＤＭ周波数サブバンドとを少なくとも含む。また１または複数の集積回路は、ＷＬＡＮ通信チャネルのためのＯＦＤＭＡデータユニットを生成するように構成される。ＯＦＤＭＡデータユニットは、プリアンブル部分およびデータ部分を含む。プリアンブル部分は、レガシトーンの間隔およびレガシトーンプランを用いる第１のＯＦＤＭ周波数サブバンドおよび第２のＯＦＤＭ周波数サブバンドにわたるレガシ部分と、レガシトーンの間隔およびレガシトーンプランを用いる第１のＯＦＤＭ周波数サブバンドおよび第２のＯＦＤＭ周波数サブバンドにわたる第１の非レガシ部分と、非レガシトーンの間隔および非レガシトーンプランを用いる第１のＯＦＤＭ周波数サブバンドにわたる第２の非レガシ部分と、非レガシトーンの間隔および非レガシトーンプランを用いる第２のＯＦＤＭ周波数サブバンドにわたる第３の非レガシ部分とを含む。
【図面の簡単な説明】
【００１３】
【図１】一実施形態による例示的な無線ローカルエリアネットワーク（ＷＬＡＮ）のブロック図である。
【００１４】
【図２Ａ】従来技術のデータユニットフォーマットの図である。
【図２Ｂ】従来技術のデータユニットフォーマットの図である。
【００１５】
【図３】別の従来技術のデータユニットフォーマットの図である。
【００１６】
【図４】別の従来技術のデータユニットフォーマットの図である。
【００１７】
【図５】別の従来技術のデータユニットフォーマットの図である。
【００１８】
【図６Ａ】従来技術のデータユニットにおいて複数のシンボルを変調するべく用いられる複数の変調の図のグループである。
【００１９】
【図６Ｂ】一実施形態による、例示的なデータユニットにおいて複数のシンボルを変調するべく用いられる複数の変調の図のグループである。
【００２０】
【図７Ａ】一実施形態による、８０ＭＨｚの通信チャネルのための直交周波数分割多元接続（ＯＦＤＭＡ）データユニットの例示的な複数の直交周波数分割多重（ＯＦＤＭ）サブチャネルブロックを図示する図である。
【図７Ｂ】一実施形態による、８０ＭＨｚの通信チャネルのための直交周波数分割多元接続（ＯＦＤＭＡ）データユニットの例示的な複数の直交周波数分割多重（ＯＦＤＭ）サブチャネルブロックを図示する図である。
【図７Ｃ】一実施形態による、８０ＭＨｚの通信チャネルのための直交周波数分割多元接続（ＯＦＤＭＡ）データユニットの例示的な複数の直交周波数分割多重（ＯＦＤＭ）サブチャネルブロックを図示する図である。
【００２１】
【図８】一実施形態による３２点ＦＦＴトーンプランのための例示的なトーンプランの図である。
【００２２】
【図９Ａ】一実施形態による例示的なＯＦＤＭＡデータユニットを図示する図である。
【００２３】
【図９Ｂ】別の実施形態による、ＯＦＤＭＡデータユニットの例示的な部分を図示する図である。
【００２４】
【図１０】別の実施形態による、複数のＯＦＤＭＡデータユニットまたはそれらの部分を生成する例示的なＰＨＹ処理ユニットのブロック図である。
【００２５】
【図１１】一実施形態による、チャネル結合を用いて複数のＯＦＤＭＡデータユニットまたはそれらの部分を生成する例示的なＰＨＹ処理ユニットのブロック図である。
【００２６】
【図１２】別の実施形態による、チャネル結合を用いて複数のＯＦＤＭＡデータユニットまたはそれらの部分を生成する例示的なＰＨＹ処理ユニットのブロック図である。
【００２７】
【図１３】なおも別の実施形態による、チャネル結合を用いて複数のＯＦＤＭＡデータユニットまたはそれらの部分を生成する例示的なＰＨＹ処理ユニットのブロック図である。
【００２８】
【図１４Ａ】一実施形態による、チャネル結合のシナリオのための例示的なＯＦＤＭＡデータユニットを図示する図である。
【００２９】
【図１４Ｂ】別の実施形態による、チャネル結合のシナリオのためのＯＦＤＭＡデータユニットの例示的な部分を図示する図である。
【００３０】
【図１５Ａ】一実施形態による、チャネル結合を用いて複数のＯＦＤＭＡデータユニットまたはそれらの部分を生成する例示的なＰＨＹ処理ユニットのブロック図である。
【００３１】
【図１５Ｂ】別の実施形態による、チャネル結合を用いて複数のＯＦＤＭＡデータユニットまたはそれらの部分を生成する例示的なＰＨＹ処理ユニットのブロック図である。
【００３２】
【図１６】一実施形態による、例示的なダウンリンクＯＦＤＭＡデータユニットのブロック図である。
【００３３】
【図１７Ａ】一実施形態による標準モードデータユニットを図示する図である。
【００３４】
【図１７Ｂ】一実施形態による多元接続モードデータユニットを図示する図である。
【００３５】
【図１８Ａ】２つの例示的な実施形態による、ロングトレーニングフィールドの２つの可能なフォーマットを各々図示する図である。
【図１８Ｂ】２つの例示的な実施形態による、ロングトレーニングフィールドの２つの可能なフォーマットを各々図示する図である。
【００３６】
【図１９Ａ】一実施形態による、図１７Ａの標準モードデータユニットの非レガシ信号フィールドを図示する図である。
【００３７】
【図１９Ｂ】一実施形態による、図１７Ｂの多元接続モードデータユニットの非レガシ信号フィールドを図示する図である。
【００３８】
【図２０Ａ】一実施形態による、多元接続モードデータユニットを図示するブロック図である。
【００３９】
【図２０Ｂ】一実施形態による、図２０Ａの多元接続モードデータユニットのレガシ信号フィールドを図示する図である。
【００４０】
【図２０Ｃ】一実施形態による、レガシ受信デバイスにおける図１４Ｂのレガシ信号フィールドのための高速フーリエ変換（ＦＦＴ）ウィンドウを図示する図である。
【００４１】
【図２１】一実施形態による、非レガシ信号フィールドのフォーマットを図示するブロック図である。
【００４２】
【図２２】別の実施形態による、例示的なダウンリンクＯＦＤＭＡデータユニットのブロック図である。
【００４３】
【図２３】一実施形態による、低減されたトーンの間隔を用いる例示的なダウンリンクＯＦＤＭＡデータユニットのブロック図である。
【００４４】
【図２４】一実施形態による、例示的なアップリンクＯＦＤＭＡデータユニットのブロック図である。
【００４５】
【図２５Ａ】一実施形態による、複数の異なるクライアント局からの例示的な複数のアップリンクＯＦＤＭ信号のブロック図である。
【図２５Ｂ】一実施形態による、複数の異なるクライアント局からの例示的な複数のアップリンクＯＦＤＭ信号のブロック図である。
【００４６】
【図２６Ａ】一実施形態による、レガシＯＦＤＭ信号を含む例示的なＯＦＤＭＡデータユニットのブロック図である。
【００４７】
【図２６Ｂ】別の実施形態による、レガシＯＦＤＭ信号を含む例示的なＯＦＤＭＡデータユニットのブロック図である。
【００４８】
【図２７Ａ】様々な実施形態による、ＯＦＤＭＡデータユニットのための複数のショートトレーニングフィールドの例示的な図である。
【図２７Ｂ】様々な実施形態による、ＯＦＤＭＡデータユニットのための複数のショートトレーニングフィールドの例示的な図である。
【図２７Ｃ】様々な実施形態による、ＯＦＤＭＡデータユニットのための複数のショートトレーニングフィールドの例示的な図である。
【図２７Ｄ】様々な実施形態による、ＯＦＤＭＡデータユニットのための複数のショートトレーニングフィールドの例示的な図である。
【００４９】
【図２８】一実施形態による、ＯＦＤＭＡデータユニットを生成する例示的な方法のフロー図である。
【００５０】
【図２９】別の実施形態による、ＯＦＤＭＡデータユニットを生成する例示的な方法のフロー図である。
【００５１】
【図３０】一実施形態による、ＯＦＤＭＡデータユニットを生成する例示的な方法のフロー図である。
【００５２】
【図３１】一実施形態による、ＯＦＤＭＡデータユニットの一部を生成する例示的な方法のフロー図である。
【００５３】
【図３２】別の実施形態による、ＯＦＤＭＡデータユニットの一部を生成する例示的な方法のフロー図である。
【発明を実施するための形態】
【００５４】
下記の実施形態において、無線ローカルエリアネットワーク（ＷＬＡＮ）のアクセスポイント（ＡＰ）等の無線ネットワークデバイスは、複数のクライアント局にデータストリームを送信する。ＡＰは、少なくとも第１の通信プロトコルに準拠して、複数のクライアント局と動作するように構成されている。第１の通信プロトコルは、本明細書において「高効率Ｗｉ‐Ｆｉ」、「ＨＥＷ」通信プロトコル、または８０２．１１ａｘ通信プロトコルと称される場合がある。下記のいくつかの実施形態において、１または複数のクライアント局は、各データストリームをＡＰに送信する。いくつかの実施形態において、ＡＰ付近の複数の異なるクライアント局は、ＨＥＷ通信プロトコルと同一の周波数帯域であるが、一般により低い複数のデータスループットによる動作を規定する１または複数の他の通信プロトコルに準拠して動作するように構成されている。より低い複数のデータスループットの通信プロトコル（例えば、ＩＥＥＥ８０２．１１ａ、ＩＥＥＥ８０２．１１ｎ、および／またはＩＥＥＥ８０２．１１ａｃ）は、本明細書において集合的に「レガシ」通信プロトコルと称される。少なくともいくつかの実施形態において、複数のレガシ通信プロトコルは一般に、屋内通信チャネルにおいて使用され、ＨＥＷ通信プロトコルは、屋外通信に少なくとも時々使用される。
【００５５】
一実施形態によれば、ＡＰにより送信された複数の直交周波数分割多重（ＯＦＤＭ）シンボルは、複数のクライアント局と同時に通信するべく、ＷＬＡＮ通信チャネルを複数のＯＦＤＭトーンブロックに分割する多元接続モードに準拠して生成される。いくつかの実施形態において、複数のクライアント局と同時に送信することにより、トレーニングフィールドおよび信号フィールドのようなデータユニット内の非ユーザデータによるオーバーヘッドの低減を提供する。一実施形態において、ＨＥＷ通信プロトコルは、標準モードおよび多元接続モードを規定する。一実施形態において、標準モードは一般に、単一のクライアント局に送信されるデータユニットに用いられるが、多元接続モードは一般に、複数のクライアント局に送信される複数のデータユニットに用いられる。
【００５６】
一実施形態において、ＷＬＡＮ通信チャネルのための複数のＯＦＤＭトーンブロックは、複数のデバイスに割り当てられる。直交周波数分割多元接続（ＯＦＤＭＡ）データユニットは、ＷＬＡＮ通信チャネルに対して生成される。いくつかの実施形態において、ＯＦＤＭＡデータユニットは、プリアンブル部分およびデータ部分を含み、プリアンブル部分は、ｉ）ＷＬＡＮ通信チャネル全体にわたる少なくともレガシ部分、ｉｉ）第１のＯＦＤＭトーンブロックにわたる第１の非レガシ部分、およびｉｉｉ）第２のＯＦＤＭトーンブロックにわたる第２の非レガシ部分を有する。いくつかの実施形態において、プリアンブルは、データ部分の送信に用いられる様々なパラメータを受信デバイスにシグナリングするべく、少なくとも部分的に用いられる。様々な実施形態において、データユニットのプリアンブルは、ＯＦＤＭＡデータユニットに使用されるモードおよび／またはどの受信デバイスがＯＦＤＭＡデータユニットの特定の部分をデコードすることが意図されるかを、受信デバイスにシグナリングするべく用いられる。いくつかの実施形態において、多元接続モードにおけるのと同一のプリアンブルフォーマットが、標準モードにおいて用いられる。そのような一実施形態において、プリアンブルは、標準モードまたは多元接続モードのいずれが用いられているかを示すように設定された指示を含む。一実施形態において、受信デバイスは、データユニットのプリアンブルにおける指示に基づいて使用されているモードを判断して、次にデータユニットの示された部分（例えば、データ部分、またはプリアンブルおよびデータ部分の一部）をデコードする。別の実施形態において、多元接続モードにおいて用いられるプリアンブルは、標準モードにおいて用いられるプリアンブルとは異なるようにフォーマットされる。例えば、多元接続モードにおいて用いられるプリアンブルは、データユニットが多元接続モードに対応することを、受信デバイスが自動的に（例えばデコードする前に）検出し得るようにフォーマットされる。
【００５７】
更に、少なくともいくつかの実施形態において、標準モードおよび／または多元接続モードにおけるＯＦＤＭＡデータユニットのプリアンブルは、ＨＥＷ通信プロトコルではなくレガシプロトコルに準拠して動作するクライアント局が、データユニットの持続時間等、ＯＦＤＭＡデータユニットに関する特定の情報を判断し、および／またはデータユニットがレガシプロトコルに準拠しないことを判断することができるようにフォーマットされる。更にデータユニットのプリアンブルは、一実施形態において、データユニットがＨＥＷ通信プロトコルに準拠すること、およびデータユニットが標準モードまたは多元接続モードのいずれかに準拠してフォーマットされているか否かを、ＨＥＷプロトコルに準拠して動作するクライアント局が判断し得るようにフォーマットされる。同様に、ＨＥＷ通信プロトコルに準拠して動作するように構成されたクライアント局は、一実施形態において上記のような複数のデータユニットも送信する。
【００５８】
少なくともいくつかの実施形態において、例えば、複数の異なる通信プロトコルに準拠して複数のクライアント局と共に動作するように構成されたＡＰ、および／または複数のクライアント局が複数の異なる通信プロトコルに準拠して動作する複数のＷＬＡＮを用いる、上記のようにフォーマットされた複数のデータユニットが有用である。上記の例を続けると、ＨＥＷ通信プロトコル（標準モードおよび多元接続モードを含む）およびレガシ通信プロトコルの双方に準拠して動作するように構成された通信デバイスは、所与のデータユニットがレガシ通信プロトコルではなくＨＥＷ通信プロトコルに準拠してフォーマットされていると判断し、更に、データユニットが標準モードではなく多元接続モードに準拠してフォーマットされていると判断することができる。同様に、ＨＥＷ通信プロトコルではなく、レガシ通信プロトコルに準拠して動作するように構成された通信デバイスは、データユニットがレガシ通信プロトコルに準拠してフォーマットされていないと判断し、および／またはデータユニットの持続時間を決定し得る。
【００５９】
図１は、一実施形態による例示的な無線ローカルエリアネットワーク（ＷＬＡＮ）１０のブロック図である。ＡＰ１４は、ネットワークインターフェース１６に結合されたホストプロセッサ１５を含む。ネットワークインターフェース１６は、媒体アクセス制御（ＭＡＣ）処理ユニット１８および物理層（ＰＨＹ）処理ユニット２０を含む。ＰＨＹ処理ユニット２０は、複数のトランシーバ２１を含み、複数のトランシーバ２１は、複数のアンテナ２４に結合されている。３つのトランシーバ２１および３つのアンテナ２４が図１に図示されているが、複数の他の実施形態において、ＡＰ１４は他の好適な数（例えば、１、２、４、５等）のトランシーバ２１およびアンテナ２４を含む。一実施形態において、ＭＡＣ処理ユニット１８およびＰＨＹ処理ユニット２０は、第１の通信プロトコルの少なくとも第１のモードおよび第２のモードを含む第１の通信プロトコル（例えば、ＨＥＷ通信プロトコル）に準拠して動作するように構成されている。いくつかの実施形態において、第１のモードは、より広い通信チャネルをより狭い複数のサブバンドまたはＯＦＤＭサブチャネルブロックに分割する多元接続モードに対応し、複数の異なるデータストリームは、各ＯＦＤＭサブチャネルブロックにおいて各クライアント局に送信される。複数のＯＦＤＭサブチャネルブロックは、本明細書において「ＯＦＤＭトーンブロック」（例えば、隣接トーンまたはサブキャリアのブロック）と称される場合がある。多元接続モードは、別個の複数のデータストリームの少なくとも一部を含む直交周波数分割多元接続（ＯＦＤＭＡ）データユニットを、各クライアント局に提供するように構成されている。また、別の実施形態において、ＭＡＣ処理ユニット１８およびＰＨＹ処理ユニット２０は、第２の通信プロトコル（例えば、ＩＥＥＥ８０２．１１ａｃ規格）に準拠して動作するように構成されている。なおも別の実施形態において、ＭＡＣ処理ユニット１８およびＰＨＹ処理ユニット２０は、第２の通信プロトコル、第３の通信プロトコル、および／または第４の通信プロトコル（例えば、ＩＥＥＥ８０２．１１ａ規格および／またはＩＥＥＥ８０２．１１ｎ規格）に準拠して動作するように更に構成される。
【００６０】
ＷＬＡＮ１０は、複数のクライアント局２５を含む。４つのクライアント局２５が図１に図示されているが、様々なシナリオおよび実施形態において、ＷＬＡＮ１０は他の好適な数（例えば、１、２、３、５、６等）のクライアント局２５を含む。複数のクライアント局２５のうちの少なくとも１つ（例えば、クライアント局２５‐１）は、少なくとも第１の通信プロトコルに準拠して動作するように構成されている。いくつかの実施形態において、複数のクライアント局２５のうちの少なくとも１つは、第１の通信プロトコルに準拠して動作するように構成されないが、第２の通信プロトコル、第３の通信プロトコル、および／または第４の通信プロトコルのうちの少なくとも１つに準拠して動作するように構成されている（本明細書において「レガシクライアント局」と称される）。
【００６１】
クライアント局２５‐１は、ネットワークインターフェース２７に結合されたホストプロセッサ２６を含む。ネットワークインターフェース２７は、ＭＡＣ処理ユニット２８およびＰＨＹ処理ユニット２９を含む。ＰＨＹ処理ユニット２９は、複数のトランシーバ３０を含み、複数のトランシーバ３０は、複数のアンテナ３４に結合されている。３つのトランシーバ３０および３つのアンテナ３４が図１に図示されているが、複数の他の実施形態において、クライアント局２５‐１は他の好適な数（例えば、１、２、４、５等）のトランシーバ３０およびアンテナ３４を含む。
【００６２】
一実施形態によれば、クライアント局２５‐４は、レガシクライアント局であり、すなわちクライアント局２５‐４は、第１の通信プロトコルに準拠してＡＰ１４または別のクライアント局２５により送信されるデータユニットを受信して完全にデコードすることを可能にされない。同様に、一実施形態によれば、レガシクライアント局２５‐４が、第１の通信プロトコルに準拠して複数のデータユニットを送信することを可能にされない。他方、レガシクライアント局２５‐４は、第２の通信プロトコル、第３の通信プロトコル、および／または第４の通信プロトコルに準拠してデータユニットを受信して完全にデコードし、送信することを可能にされる。
【００６３】
一実施形態において、クライアント局２５‐２および２５‐３の一方または双方は、クライアント局２５‐１と同一またはこれに類似する構造を有する。一実施形態において、クライアント局２５‐４は、クライアント局２５‐１に類似する構造を有する。これらの実施形態において、クライアント局２５‐１と同一または類似する構造の複数のクライアント局２５は、同一または異なる数のトランシーバおよびアンテナを有する。例えば、一実施形態によれば、クライアント局２５‐２は、２つのトランシーバおよび２つのアンテナ（図示せず）のみを有する。
【００６４】
様々な実施形態において、ＡＰ１４のＰＨＹ処理ユニット２０は、第１の通信プロトコルに準拠し、本明細書に説明される複数のフォーマットを有する複数のデータユニットを生成するように構成されている。トランシーバ２１は、アンテナ２４を介して複数の生成されたデータユニットを送信するように構成されている。同様に、トランシーバ２１は、アンテナ２４を介して複数のデータユニットを受信するように構成されている。様々な実施形態によれば、ＡＰ１４のＰＨＹ処理ユニット２０は、第１の通信プロトコルに準拠し、本明細書の以下に説明される複数のフォーマットを有する複数の受信されたデータユニットを処理し、複数のそのようなデータユニットが第１の通信プロトコルに準拠していることを判断するように構成されている。
【００６５】
様々な実施形態において、クライアントデバイス２５‐１のＰＨＹ処理ユニット２９は、第１の通信プロトコルに準拠し、本明細書に説明される複数のフォーマットを有する複数のデータユニットを生成するように構成されている。トランシーバ３０は、アンテナ３４を介して複数の生成されたデータユニットを送信するように構成されている。同様に、トランシーバ３０は、アンテナ３４を介して複数のデータユニットを受信するように構成されている。様々な実施形態によれば、クライアントデバイス２５‐１のＰＨＹ処理ユニット２９は、第１の通信プロトコルに準拠し、本明細書の以下に説明される複数のフォーマットを有する複数の受信されたデータユニットを処理し、複数のそのようなデータユニットが第１の通信プロトコルに準拠していることを判断するように構成されている。
【００６６】
図２Ａは、一実施形態による、ＡＰ１４が直交周波数分割多重（ＯＦＤＭ）変調によりレガシクライアント局２５‐４に送信するように構成された従来技術のＯＦＤＭデータユニット２００の図である。また一実施形態において、レガシクライアント局２５‐４は、データユニット２００をＡＰ１４に送信するように構成され得る。データユニット２００は、ＩＥＥＥ８０２．１１ａ規格に準拠し、２０メガヘルツ（ＭＨｚ）の帯域を占有する。データユニット２００は、一般にパケット検出、初期同期および自動利得制御等に用いられるレガシショートトレーニングフィールド（Ｌ‐ＳＴＦ）２０２、ならびに一般にチャネル推定および微同期に用いられるレガシロングトレーニングフィールド（Ｌ‐ＬＴＦ）２０４を有するプリアンブルを含む。また、データユニット２００は、レガシ信号フィールド（Ｌ‐ＳＩＧ）２０６も含み、これは例えば、データユニットを送信するべく用いられる変調の種類および符号化レート等、データユニット２００に関する特定の物理層（ＰＨＹ）パラメータを搬送するべく用いられる。データユニット２００は、データ部分２０８も含む。図２Ｂは、例示的なデータ部分２０８の図であり（低密度パリティ検査はエンコードされていない）、例示的なデータ部分２０８は、必要であればサービスフィールド、スクランブル物理層サービスデータユニット（ＰＳＤＵ）、複数のテールビットおよびパディングビットを含む。データユニット２００は、シングル入力シングル出力（ＳＩＳＯ）チャネル構成の１つの空間または時空間ストリームを介する送信用に設計されている。
【００６７】
図３は、一実施形態による、ＡＰ１４が直交周波数分割多重（ＯＦＤＭ）変調によりレガシクライアント局２５‐４に送信するように構成された従来技術のＯＦＤＭデータユニット３００の図である。また一実施形態において、レガシクライアント局２５‐４は、データユニット３００をＡＰ１４に送信するように構成されている。データユニット３００はＩＥＥＥ８０２．１１ｎ規格に準拠し、２０ＭＨｚの帯域を占有し、混合モードの状況、すなわちＷＬＡＮがＩＥＥＥ８０２．１１ａ規格には準拠するが、ＩＥＥＥ８０２．１１ｎ規格には準拠しない１または複数のクライアント局を含む場合のために設計されている。データユニット３００は、Ｌ‐ＳＴＦ３０２、Ｌ‐ＬＴＦ３０４、Ｌ‐ＳＩＧ３０６、高スループット信号フィールド（ＨＴ‐ＳＩＧ）３０８、高スループットショートトレーニングフィールド（ＨＴ‐ＳＴＦ）３１０、およびＭ個のデータの高スループットロングトレーニングフィールド（ＨＴ‐ＬＴＦ）３１２を有するプリアンブルを含む。一般に、Ｍは、多入力多出力（ＭＩＭＯ）チャネル構成のデータユニット３００を送信するべく用いられる空間ストリームの数（Ｎｓｔｓ）により、決定される整数である。具体的には、ＩＥＥＥ８０２．１１ｎ規格に準拠して、データユニット３００は、データユニット３００が２つの空間ストリームを用いて送信される場合に２つのＨＴ‐ＬＴＦ３１２を含み、データユニット３００が３つまたは４つの空間ストリームを用いて送信される場合には、４つのＨＴ‐ＬＴＦ３１２を含む。使用される特定の数の空間ストリームの指示は、ＨＴ‐ＳＩＧフィールド３０８に含まれる。データユニット３００は、データ部分３１４も含む。
【００６８】
図４は、一実施形態による、ＡＰ１４が直交周波数分割多重（ＯＦＤＭ）変調によりレガシクライアント局２５‐４に送信するように構成された従来技術のＯＦＤＭデータユニット４００の図である。また一実施形態において、レガシクライアント局２５‐４は、データユニット４００をＡＰ１４に送信するように構成され得る。データユニット４００は、ＩＥＥＥ８０２．１１ｎ規格に準拠し、２０ＭＨｚの帯域を占有し、「グリーンフィールド」の状況、すなわちＷＬＡＮがＩＥＥＥ８０２．１１ａ規格に準拠するクライアント局を含まず、ＩＥＥＥ８０２．１１ｎ規格に準拠する複数のクライアント局のみを含む場合のために設計されている。データユニット４００は、高スループットグリーンフィールドショートトレーニングフィールド（ＨＴ‐ＧＦ‐ＳＴＦ）４０２、第１の高スループットロングトレーニングフィールド（ＨＴ‐ＬＴＦ１）４０４、ＨＴ‐ＳＩＧ４０６およびＭ個のデータＨＴ‐ＬＴＦ４０８を有するプリアンブルを含む。一般に、Ｍは、多入力多出力（ＭＩＭＯ）チャネル構成のデータユニット４００を送信するべく用いられる空間ストリームの数に対応する整数である。データユニット４００は、データ部分４１０も含む。
【００６９】
図５は、一実施形態による、ＡＰ１４が直交周波数分割多重（ＯＦＤＭ）変調によりレガシクライアント局２５‐４に送信するように構成された従来技術のＯＦＤＭデータユニット５００の図である。また一実施形態において、レガシクライアント局２５‐４は、データユニット５００をＡＰ１４に送信するように構成されている。データユニット５００は、ＩＥＥＥ８０２．１１ａｃ規格に準拠し、「混合フィールド」の状況のために設計されている。データユニット５００は、２０ＭＨｚの帯域幅を占有する。複数の他の実施形態またはシナリオにおいて、データユニット５００に類似するデータユニットは、４０ＭＨｚ、８０ＭＨｚまたは１６０ＭＨｚの帯域幅等、複数の異なる帯域幅を占有する。データユニット５００は、Ｌ‐ＳＴＦ５０２、Ｌ‐ＬＴＦ５０４、Ｌ‐ＳＩＧ５０６、第１の超高スループット信号フィールド（ＶＨＴ‐ＳＩＧＡ１）５０８‐１および第２の超高スループット信号フィールド（ＶＨＴ‐ＳＩＧＡ２）５０８‐２を含む２つの第１の超高スループット信号フィールド（ＶＨＴ‐ＳＩＧＡ）５０８、超高スループットショートトレーニングフィールド（ＶＨＴ‐ＳＴＦ）５１０、Ｍ個の超高スループットロングトレーニングフィールド（ＶＨＴ‐ＬＴＦ）５１２、第２の超高スループット信号フィールド（ＶＨＴ‐ＳＩＧ‐Ｂ）５１４を有するプリアンブルを含む。Ｍは、整数である。データユニット５００は、データ部分５１６も含む。
【００７０】
図６Ａは、ＩＥＥＥ８０２．１１ｎ規格により規定される、図３におけるデータユニット３００のＬ‐ＳＩＧ、ＨＴ‐ＳＩＧ１およびＨＴ‐ＳＩＧ２フィールドの変調を図示する１セットの図である。Ｌ‐ＳＩＧフィールドは、二位相偏移変調（ＢＰＳＫ）により変調され、ＨＴ‐ＳＩＧ１およびＨＴ‐ＳＩＧ２フィールドは、ＢＰＳＫによるが、直交軸上で変調される（Ｑ‐ＢＰＳＫ）。換言すれば、ＨＴ‐ＳＩＧ１およびＨＴ‐ＳＩＧ２フィールドの変調は、Ｌ‐ＳＩＧフィールドの変調と比較して９０°回転される。
【００７１】
図６Ｂは、ＩＥＥＥ８０２．１１ａｃ規格により規定された図５におけるデータユニット５００のＬ‐ＳＩＧ、ＶＨＴ‐ＳＩＧＡ１およびＶＨＴ‐ＳＩＧＡ２フィールドの変調を図示する１セットの図である。図６ＡにおけるＨＴ‐ＳＩＧ１フィールドと異なり、ＶＨＴ‐ＳＩＧＡ１フィールドは、Ｌ‐ＳＩＧフィールドの変調と同一のＢＰＳＫにより変調される。他方、ＶＨＴ‐ＳＩＧＡ２フィールドは、Ｌ‐ＳＩＧフィールドの変調と比較して９０°回転される。
【００７２】
図７Ａ、７Ｂおよび７Ｃは、一実施形態による、８０ＭＨｚの通信チャネルのための例示的な複数のＯＦＤＭサブチャネルブロック（またはＯＦＤＭトーンブロック）を図示する図である。様々な実施形態において、通信チャネルは、ＡＰ１４のようなＡＰにより複数のＯＦＤＭトーンブロックに分割される。一実施形態において、ＡＰは、複数のＯＦＤＭトーンブロックを、クライアント局２５‐１、２５‐２、２５‐３または２５‐４のような１または複数のクライアント局に割り当てる。一実施形態では、ダウンリンク方向において、ＡＰは通信チャネルにわたり、１または複数のクライアント局用のＯＦＤＭデータユニットを含むＯＦＤＭＡデータユニットを生成して送信する。本実施形態において、ＯＦＤＭＡデータユニットは、対応するトーンブロックを介してＯＦＤＭトーンブロックに割り当てられた各クライアント局用のＯＦＤＭデータユニットを含む。一実施形態において、ＯＦＤＭＡデータユニットは、例えばアイドル状態のクライアント局に送信されるべきデータがない場合に、クライアント局用のＯＦＤＭデータユニットを省略する。本実施形態において、アイドル状態のクライアント局用の対応するＯＦＤＭトーンブロックはゼロに設定され、またはＯＦＤＭＡデータユニットは、対応するＯＦＤＭトーンブロックを省略する。
【００７３】
図７Ａにおいて、通信チャネル７００は、４つの隣接ＯＦＤＭトーンブロック７０１、７０２、７０３および７０４に分割され、その各々は、一実施形態によれば２０ＭＨｚの帯域幅を有する。様々な実施形態によれば、ＯＦＤＭトーンブロック７０１、７０２、７０３および７０４は、１または複数のクライアント局に割り当てられる。図７Ａに示される実施形態において、ＯＦＤＭトーンブロック７０１、７０２、７０３および７０４は、ＳＴＡ１、ＳＴＡ２、ＳＴＡ３、およびＳＴＡ４の４つのクライアント局に対する独立したデータストリームを各々含む。図７Ｂにおいて、通信チャネル７１０は、一実施形態によれば３つの隣接ＯＦＤＭトーンブロック７１１、７１２、および７１３に分割される。２つのＯＦＤＭトーンブロック７１１および７１２は各々、２０ＭＨｚの帯域幅を有する。残りのＯＦＤＭトーンブロック７１３は、４０ＭＨｚの帯域幅を有する。ＯＦＤＭトーンブロック７１１、７１２および７１３は、３つのクライアント局ＳＴＡ１、ＳＴＡ２、およびＳＴＡ３に対する独立したデータストリームに各々割り当てられ、またこれらを含む。図７Ｃにおいて、通信チャネル７２０は、一実施形態によれば４つの隣接ＯＦＤＭトーンブロック７２１、７２２、７２３、および７２４に分割される。ＯＦＤＭトーンブロック７２１および７２２は各々、１０ＭＨｚの帯域幅を有し、従って共に、レガシＷＬＡＮ通信プロトコル（すなわち２０ＭＨｚ）の最小チャネル帯域幅に等しい帯域幅にわたる。ＯＦＤＭトーンブロック７２３は、２０ＭＨｚの帯域幅を有する。ＯＦＤＭトーンブロック７２４は、４０ＭＨｚの帯域幅を有する。ＯＦＤＭトーンブロック７２２および７２４は、２つのクライアント局ＳＴＡ２およびＳＴＡ３に対する独立したデータストリームに各々割り当てられ、またこれらを含む。本明細書において説明されるように、ＯＦＤＭトーンブロック７２１および７２３は、ＯＦＤＭトーンブロック７２２により周波数において分離されており、クライアント局ＳＴＡ１のためのデータストリームの複数の部分に割り当てられて、これらを含み、チャネル結合技術を用いる。
【００７４】
図７Ａ、７Ｂおよび７Ｃにおいては、複数のＯＦＤＭトーンブロックが対応する通信チャネルに隣接するが、複数の他の実施形態においては、複数のＯＦＤＭトーンブロックは、通信チャネル全体にわたって隣接しない（すなわち、複数のＯＦＤＭトーンブロック間には１または複数のギャップが存在する）。一実施形態において、各ギャップは、複数のＯＦＤＭトーンブロックのうちの１つと少なくとも同程度の広さである。別の実施形態において、少なくとも１つのギャップは、ＯＦＤＭトーンブロックの帯域幅よりも小さい。別の実施形態において、少なくとも１つのギャップが、少なくとも１ＭＨｚの広さである。一実施形態において、複数の異なるＯＦＤＭトーンブロックが、ＩＥＥＥ８０２．１１ａおよび／または８０２．１１ｎ規格により規定される複数の異なるチャネルで送信される。一実施形態において、ＡＰは複数の無線機を含み、複数の異なるＯＦＤＭトーンブロックは複数の異なる無線を用いて送信される。
【００７５】
一実施形態において、複数の異なるＯＦＤＭトーンブロックにおいてＡＰにより送信される複数のデータストリームについては、複数の異なるデータストリームは、例えば信号強度、ＳＮＲ、干渉電力等が複数のクライアントデバイス間で異なる場合に複数の異なるデータレートで送信される。更に、複数の異なるＯＦＤＭトーンブロックにおいてＡＰにより送信される複数のデータストリームについては、複数の異なるデータストリームのデータ量は、多くの場合異なる。従って、送信されたあるデータストリームは、別のものに先立って終了し得る。そのような状況において、終了したデータストリームに対応するＯＦＤＭトーンブロック内のデータは、一実施形態によればゼロまたはいくつかの他の好適な予め定められた値に設定される。
【００７６】
上記の複数の独立したデータストリームを送信するべく複数のＯＦＤＭトーンブロックを含むＯＦＤＭ信号は、本明細書において直交周波数分割多元接続（ＯＦＤＭＡ）信号とも称される。一実施形態によれば、ＷＬＡＮは、複数のダウンリンクＯＦＤＭＡデータユニットおよびアップリンクＯＦＤＭＡデータユニットを使用する。複数のダウンリンクＯＦＤＭＡデータユニットは、単一のＡＰから複数のクライアント局へと（すなわち、ポイントツーマルチポイントに）同期して送信される。アップリンクＯＦＤＭＡデータユニットは、複数のクライアント局により共同で単一のＡＰに（すなわち、マルチポイントツーポイントに）送信される。いくつかの実施形態に応じて、ダウンリンクＯＦＤＭＡおよびアップリンクＯＦＤＭＡのためのフレームフォーマット、変調符号化スキーム（ＭＣＳ）、時空間ストリームの数、トーンの間隔、および／またはシグナリングスキームは異なる。いくつかの実施形態において、ＯＦＤＭＡデータユニット内の複数のＯＦＤＭデータユニットは、異なるＭＣＳ、時空間ストリームの数、トーンの間隔、および／またはシグナリングスキームを有する。
【００７７】
ダウンリンクおよび／またはアップリンクＯＦＤＭＡデータユニットのためのＰＨＹフレームフォーマットの様々な実施形態は、図１６、２２、２３、２４、２５Ａ、２５Ｂ、２６Ａおよび２６Ｂに関して説明される。以下の複数の実施形態において、複数のＯＦＤＭトーンブロックは、ＩＥＥＥ８０２．１１ａｃ規格において規定されたＰＨＹフォーマットに実質的に類似するフォーマットを有する。複数の他の実施形態において、複数のＯＦＤＭトーンブロックは、ＩＥＥＥ８０２．１１ａ規格、ＩＥＥＥ８０２．１１ｎ規格、またはまだ規格化されていない通信プロトコルにおいて規定されたＰＨＹフォーマットのような別の通信プロトコルに実質的に類似するフォーマットを有する。
【００７８】
一実施形態において、２０ＭＨｚよりも大きいかまたはこれに等しい帯域幅にわたる複数のＯＦＤＭトーンブロックのための複数のＯＦＤＭデータユニットは、ＩＥＥＥ８０２．１１ｎおよび／またはＩＥＥＥ８０２．１１ａｃに規定される同一のＭＣＳおよび「レガシ」トーンプランを用いて生成される。本明細書において言及されるように、トーンプランは、好適なサイズの高速フーリエ変換（ＦＦＴ）に対応するどのＯＦＤＭトーンがデータトーン、パイロットトーン、および／またはガードトーンに対して指定されているかを示す複数のインデックスの予め定められたシーケンスである。例えば一実施形態において、２０ＭＨｚにわたるＯＦＤＭトーンブロックは、４つのパイロットトーン（インデックス−２１、−７、＋７、および＋２１）、直流トーン（インデックス０）、ガードトーン（インデックス−３２〜−２９および２９〜３１）、および５２個のデータトーン（残りのインデックス）を有するＩＥＥＥ８０２．１１ａｃに対するレガシトーンプランによるサイズ６４のＦＦＴを用いる。いくつかの実施形態において、４０ＭＨｚ、８０ＭＨｚ、または１６０ＭＨｚにわたるＯＦＤＭトーンブロックは、ＩＥＥＥ８０２．１１ａｃにおいて規定された対応する複数のレガシトーンプランによるサイズ１２８、２５６、および５１２のＦＦＴを各々用いる。
【００７９】
いくつかの実施形態において、１０ＭＨｚ、５ＭＨｚ、または２．５ＭＨｚ等、２０ＭＨｚよりも小さい帯域幅にわたる複数のＯＦＤＭトーンブロックを含む通信チャネルが分割される。一実施形態において、２０ＭＨｚよりも小さい帯域幅にわたるＯＦＤＭトーンブロックは、レガシトーンプランとは異なるトーンプランを用いる。図８は、一実施形態による、１０ＭＨｚの帯域幅にわたり、サイズ３２のＦＦＴを用いるＯＦＤＭトーンブロックのための例示的なトーンプラン８００の図である。トーンプラン８００は、２つのパイロットトーン（インデックス−７および＋７）、直流トーン（インデックス０）、ガードトーン８０２‐１および８０２‐２（インデックス−１６〜−１４および１４〜１５）、および２４個のデータトーン８０４‐１、８０４‐２、８０４‐３、および８０４‐４（残りのインデックス）を有する。
【００８０】
図９Ａは、一実施形態による、８０ＭＨｚの通信チャネルのための例示的なＯＦＤＭＡデータユニットを図示する図である。アップリンク方向で、クライアント局２５‐１のようなクライアント局は一実施形態において、サイズ２５６のＦＦＴ（例えば、「フルサイズ」のＦＦＴ）を用いて、通信チャネルにわたるＯＦＤＭＡデータユニット９００の一部を生成して送信する。本実施形態において、ＯＦＤＭＡデータユニット９００は、対応する割り当てＯＦＤＭトーンブロックにわたるＯＦＤＭＡデータユニット部分９０２と、ＦＦＴに対して未割当のＯＦＤＭトーンブロックに挿入されたゼロトーン９０４‐１、９０４‐２、および９０４‐３とを含む。図９Ｂは、別の実施形態による、８０ＭＨｚの通信チャネルのためのＯＦＤＭＡデータユニットの例示的な部分を図示する図である。本実施形態において、クライアント局は、好適なＦＦＴサイズ（すなわち、２０ＭＨｚに対してサイズ６４のＦＦＴ、４０ＭＨｚに対してサイズ１２８のＦＦＴ等）を用いて、クライアント局に割り当てられたＯＦＤＭトーンブロックのみにわたるＯＦＤＭＡデータユニット部分９１０を生成して送信する。
【００８１】
図１０は、様々な実施形態による、ＯＦＤＭＡデータユニットまたはＯＦＤＭＡデータユニット部分を生成する例示的なＰＨＹ処理ユニット１０００のブロック図である。図１を参照すると、ＡＰ１４およびクライアント局２５‐１は一実施形態において、ＰＨＹ処理ユニット１０００のようなＰＨＹ処理ユニットを各々含む。様々な実施形態および／またはシナリオにおいて、ＰＨＹ処理ユニット１０００は、例えば図７Ａ、図７Ｂ、図７Ｃ、図９Ａ、または図９Ｂの複数のデータユニットのうちの１つのような複数のＯＦＤＭデータユニットを生成する。ＰＨＹ処理ユニット１０００は、一般に１または０の長いシーケンスの発生を低減するべく送信されるべき情報ビットストリームをスクランブルするスクランブラ１００２を含む。ＦＥＣエンコーダ１００４は、スクランブルされた情報ビットをエンコードして、エンコードされたデータビットを生成する。一実施形態において、ＦＥＣエンコーダ１００４は、２値畳み込みコード（ＢＣＣ）エンコーダを含む。別の実施形態において、ＦＥＣエンコーダ１００４は、２値畳み込みエンコーダを含み、その次にパンクチャリングブロックが続く。なおも別の実施形態において、ＦＥＣエンコーダ１００４は、低密度パリティ検査（ＬＤＰＣ）エンコーダを含む。
【００８２】
一実施形態において、ストリームパーサ１００６は、複数のエンコードされたデータビットを受信してパースし、１または複数の空間ストリームにする。各空間ストリーム（図１０に示される実施形態では２つの空間ストリーム）について、コンスタレーションマッパ１０１０は、ＯＦＤＭシンボルの複数の異なるサブキャリアに対応するコンスタレーションポイントにエンコードされたデータビットをマッピングする。より具体的には、各空間ストリームについて、コンスタレーションマッパ１０１０は、長さｌｏｇ２（Ｍ）の各ビットシーケンスを、Ｍ個のコンスタレーションポイントのうちの１つに変換する。いくつかの実施形態において、ＰＨＹ処理ユニット１０００は、複数の並列処理経路、例えば各空間ストリームに対して１つの経路を含む。複数の他の実施形態において、単一の処理経路は、複数の空間ストリームに用いられる。
【００８３】
ＦＥＣエンコーダ１００４がＢＣＣエンコーダである一実施形態において、インターリーバ１００８は、コンスタレーションマッパ１０１０に先立って複数のエンコードされたデータビットを受信して、複数のビットをインターリーブし（すなわち、複数のビットの順序を変更し）、隣接ノイズのビットの複数の長いシーケンスがレシーバにおけるデコーダに入るのを防止する。別の実施形態において、インターリーバ１００８は省略されている。ＦＥＣエンコーダ１００４がＬＤＰＣエンコーダである一実施形態において、ＬＤＰＣトーンマッパ１０１２は、トーン再マッピング関数に応じて複数のコンスタレーションポイントを再度順序づける。一般に、トーン再マッピング関数は、連続した符号化された情報ビットまたは情報ビットのブロックがＯＦＤＭシンボルにおける不連続なトーンにマッピングされて、連続した複数のＯＦＤＭトーンが送信中に悪影響を受けた場合に、レシーバにおいてデータの回復を容易にするように規定される。いくつかの実施形態において、ＬＤＰＣトーンマッパ１０１２は省略されている。
【００８４】
一実施形態において、各ストリーム（または含まれている場合には、複数のＬＤＰＣトーンマッパ１０１２）に対するコンスタレーションマッパ１０１０の出力は、時空間ブロックコーダ（ＳＴＢＣ）１０１４により操作される。一実施形態において、時空ブロックコーダ１０１４は、単一のコンスタレーションシンボルの出力を取って、複数の別個の無線トランスミッタによる送信のための複数の送信チェーンにマッピングし、複数の空間ストリームを時空間ストリームに変換する。ＰＨＹ処理ユニット１０００が複数の空間ストリームによる送信のために複数のデータユニットを生成するように動作する複数の実施形態または状況において、１または複数のサイクリックシフトダイバーシティ（ＣＳＤ）ユニット１０１６は、複数の空間ストリームのうちの１つを除く全てにサイクリックシフトを挿入して、意図されないビーム形成を防止する。一実施形態において、空間マッパ１０１８は、複数の時空間ストリームを送信チェーンにマッピングする。一実施形態において、ＰＨＹ処理ユニット１０００は、各送信チェーンのための逆離散フーリエ変換（ＩＤＦＴ）プロセッサ１０２０を含む。一実施形態において、ＦＥＣエンコーダ１００４、ストリームパーサ１００６、複数のインターリーバ１００８、複数のコンスタレーションマッパ１０１０、複数のＬＤＰＣトーンマッパ１０１２、ＳＴＢＣ１０１４、複数のＣＳＤユニット１０１６、および空間マッパ１０１８は、ＩＥＥＥ８０２．１１ａｃプロトコルに準拠して動作する。
【００８５】
一実施形態において、ＩＤＦＴプロセッサ１０２０は、複数のパイロットトーンをパイロットジェネレータ１０２２から受信し、複数の空間的にマッピングされたコンスタレーションポイントを空間マッパ１０１８から受信する。一実施形態において、ＩＤＦＴプロセッサ１０２０は、ＯＦＤＭトーンブロックおよび複数のパイロットトーン内の複数のデータトーンに対応する複数の空間的にマッピングされたコンスタレーションポイントのブロックを、時間領域信号に変換する。いくつかの実施形態において、ＩＤＦＴプロセッサ１０２０は、時間領域信号に含まれるべきトーン入力１０２４からの１または複数のトーンを処理する。例えば一実施形態において、ＰＨＹ処理ユニット１０００は、ＡＰから（すなわち、ダウンストリームのＯＦＤＭＡデータユニット）送信されるべき複数のユーザのためのＯＦＤＭデータユニットを有するＯＦＤＭＡデータユニットを生成する。本実施形態において、トーン入力１０２４は、別個に生成された別のユーザに対応する複数のデータトーンおよび／またはパイロットトーンを提供する。従ってＩＤＦＴプロセッサ１０２０は、全てのユーザのための全てのトーンに対して、同時に共同でＩＤＦＴを実行する。
【００８６】
別の実施形態において、ＰＨＹ処理ユニット１０００は、クライアント局からＡＰに送信されるべきＯＦＤＭＡデータユニットの一部（すなわち、アップリンクＯＦＤＭＡデータユニットの一部）を生成する。一実施形態において、トーン入力１０２４は、図９Ａに関して上記されたように、フルサイズのＦＦＴを用いてＯＦＤＭＡデータユニットを生成するべく複数の未割当のＯＦＤＭトーンブロックにゼロトーンを提供する。別の実施形態において、クライアント局は、図９Ｂに関して上記されたように、好適なＦＦＴサイズを用いてクライアント局に割り当てられたＯＦＤＭトーンブロックのみにわたるＯＦＤＭＡデータユニット部分を生成して送信する。
【００８７】
図１１は、一実施形態による、チャネル結合を用いるＯＦＤＭＡデータユニットまたはＯＦＤＭＡデータユニットの一部を生成する例示的なＰＨＹ処理ユニット１１００のブロック図である。ＰＨＹ処理ユニット１１００は、ＯＦＤＭＡデータユニットまたはその一部を提供するように構成され、クライアント局は、２またはそれよりも多い隣接しないＯＦＤＭトーンブロック（「結合チャネル」）に割り当てられている。図７Ａ、図７Ｂ、図７Ｃに関して上記されたように、通信チャネルは複数のＯＦＤＭトーンブロックに分割される。図７Ｃに示されるように、ＯＦＤＭトーンブロック７２１および７２３は、ＯＦＤＭトーンブロック７２２により周波数において分離されており、クライアント局ＳＴＡ１のためのデータストリームの複数の部分に割り当てられて、これらを含み、チャネル結合技術を用いる。いくつかの実施形態において、ＰＨＹ処理ユニット１１００は、複数の異なるＯＦＤＭトーンブロックに対して複数の異なるＭＣＳ値を可能にするべく、別個のエンコーダおよびモジュレータを提供する。一実施形態において、ＰＨＹ処理ユニット１１００は、図１０に関して上記されたようにスクランブラ１００２、パイロットジェネレータ１０２２、複数のトーン入力１０２４、および複数のＩＤＦＴプロセッサ１０２０を含む。一実施形態において、ＰＨＹ処理ユニット１１００は、実質的に並列に動作し、複数の割り当てＯＦＤＭトーンブロックに対応する複数の処理経路１１５０を更に含む。別の実施形態において、処理経路１１５０は単一の処理経路である。図１０に関して上記されたように、複数の処理経路１１５０は各々、ＦＥＣエンコーダ１００４、ストリームパーサ１００６、複数のインターリーバ１００８、複数のコンスタレーションマッパ１０１０、ＬＤＰＣトーンマッパ１０１２、ＳＴＢＣ１０１４、複数のＣＳＤユニット１０１６、および空間マッパ１０１８を含む。
【００８８】
一実施形態において、スクランブラ１００２は、複数のスクランブルされた情報ビットをセグメントパーサ１１４０に提供する。一実施形態において、セグメントパーサ１１４０は、複数のスクランブルされた情報ビットを複数のセグメントに分離して、各セグメントを割り当てＯＦＤＭトーンブロックに渡す。一実施形態において、ＡＰは、クライアント局に１０ＭＨｚ＋１０ＭＨｚ、２０ＭＨｚ＋２０ＭＨｚ、または複数の他の好適な組み合わせ等、同一のサイズの複数のＯＦＤＭトーンブロックを割り当てる。別の実施形態において、ＡＰは、クライアント局に１０ＭＨｚ＋２０ＭＨｚ＋２０ＭＨｚ、１０ＭＨｚ＋４０ＭＨｚ、または複数の他の好適な組み合わせ等、異なるサイズの複数のＯＦＤＭトーンブロックを割り当てる。複数の他の実施形態において、追加の複数のＯＦＤＭトーンブロックは、互いに結合される。例えば、３つまたは４つのＯＦＤＭトーンブロックが互いに結合される。
【００８９】
一実施形態において、結合チャネルである各ＯＦＤＭトーンブロックは、非結合チャネルのシナリオと同一のトーンプランを用いる。例えば一実施形態において、１０ＭＨｚのＯＦＤＭトーンブロックは、ＩＥＥＥ８０２．１１ａｃに対するレガシトーンプランを有するサイズ６４のＦＦＴを用いる２０ＭＨｚのＯＦＤＭトーンブロックと結合される場合、図８に示されるトーンプランに対応する。一実施形態において、同一のクライアント局に割り当てられた各ＯＦＤＭトーンブロックは、同一のＭＣＳ値を用いる。いくつかの実施形態において、同一のクライアント局に割り当てられた各ＯＦＤＭトーンブロックは、異なるＭＣＳ値を有する。一実施形態において、クライアント局に割り当てられた各ＯＦＤＭトーンブロックは、同一の数の時空間ストリームを有する。
【００９０】
図１２は、別の実施形態による、チャネル結合を用いてＯＦＤＭＡデータユニットまたはＯＦＤＭＡデータユニット部分を生成する例示的なＰＨＹ処理ユニット１２００のブロック図である。ＰＨＹ処理ユニット１２００は、ＯＦＤＭＡデータユニットまたはその一部を提供するように構成され、クライアント局は、２またはそれよりも多い隣接しないＯＦＤＭトーンブロックに割り当てられている。一実施形態において、ＰＨＹ処理ユニット１２００は、図１０に関して上記されたようにスクランブラ１００２、ＦＥＣエンコーダ１００４、ストリームパーサ１００６、パイロットジェネレータ１０２２、複数のトーン入力１０２４、および複数のＩＤＦＴプロセッサ１０２０を含む。図１２において示される実施形態において、ＰＨＹ処理ユニット１２００は、各ユーザのためのジョイントエンコーダを提供する。例えば、ＦＥＣエンコーダ１００４は、シングルユーザに割り当てられたＯＦＤＭトーンブロック全体に渡ってジョイントエンコードを実行する。セグメントパーサ１２４０は、ストリームパーサ１００６からの複数の空間ストリームを複数のストリームセグメントに分離する。一実施形態において、ＰＨＹ処理ユニット１２００は、実質的に並列に動作し、複数の割り当てＯＦＤＭトーンブロックに対応する複数の処理経路１２５０を含む。別の実施形態において、処理経路１２５０は単一の処理経路である。図１０に関して上記されたように、複数の処理経路１２５０は各々、複数のインターリーバ１００８、複数のコンスタレーションマッパ１０１０、ＬＤＰＣトーンマッパ１０１２、ＳＴＢＣ１０１４、複数のＣＳＤユニット１０１６、および空間マッパ１０１８を含む。一実施形態において、セグメントパーサ１２４０は、ストリームパーサ１００６からのＯＦＤＭトーンブロックに対する空間ストリームを、対応する処理経路１２５０に渡す。
【００９１】
図１３は、なおも別の実施形態による、チャネル結合を用いてＯＦＤＭＡデータユニットまたはＯＦＤＭＡデータユニット部分を生成する例示的なＰＨＹ処理ユニット１３００のブロック図である。ＰＨＹ処理ユニット１３００は、ＯＦＤＭＡデータユニットまたはその一部を提供するように構成され、クライアント局は、各ＯＦＤＭトーンブロックに同一のＭＣＳ値を用いる２またはそれよりも多い隣接しないＯＦＤＭトーンブロックに割り当てられている。一実施形態において、ＰＨＹ処理ユニット１３００は、図１０に関して上記されたスクランブラ１００２、ＦＥＣエンコーダ１００４、ストリームパーサ１００６、複数のインターリーバ１００８、複数のコンスタレーションマッパ１０１０、複数のＬＤＰＣトーンマッパ１０１２、ＳＴＢＣ１０１４、複数のＣＳＤユニット１０１６、空間マッパ１０１８、パイロットジェネレータ１０２２、複数のトーン入力１０２４、および複数のＩＤＦＴプロセッサ１０２０、ならびに空間マッパ１０１８からの複数の空間ストリームを分割して割り当てＯＦＤＭトーンブロックにし、複数の分割された空間ストリームをＩＤＦＴプロセッサ１０２０に提供するように構成された複数のトーンアロケータ１３４０を含む。
【００９２】
図１４Ａは、一実施形態による、８０ＭＨｚの通信チャネルのチャネル結合のシナリオのための例示的なＯＦＤＭＡデータユニットを図示する図である。アップリンク方向で、ＰＨＹ処理ユニット１１００、１２００または１３００のようなＰＨＹ処理ユニットは一実施形態において、サイズ２５６のＦＦＴ（例えば、「フルサイズ」のＦＦＴ）を用いて、通信チャネルにわたるＯＦＤＭＡデータユニット１４００の一部を生成して送信する。本実施形態において、ＯＦＤＭＡデータユニット１４００は、第１の割り当てＯＦＤＭトーンブロックにわたる第１のＯＦＤＭＡデータユニット部分１４０２、第２の割り当てＯＦＤＭトーンブロックにわたる第２のＯＦＤＭＡデータユニット部分１４０４、およびＦＦＴに対する複数の未割当のＯＦＤＭトーンブロックに挿入されたゼロトーン１４０６‐１および１４０６‐２を含む。
【００９３】
図１４Ｂは、別の実施形態による、チャネル結合のシナリオのためのＯＦＤＭＡデータユニットの例示的な部分を図示する図である。本実施形態においてアップリンク方向で、ＰＨＹ処理ユニットは、割り当てられたＯＦＤＭトーンブロック１４５２および１４５４のみにわたるＯＦＤＭＡデータユニット部分１４５０を生成して送信する。一実施形態において、ＰＨＹ処理ユニットは、好適なＦＦＴサイズ（すなわち、２０ＭＨｚ用のサイズ６４のＦＦＴ、４０ＭＨｚ用のサイズ１２８のＦＦＴ等）を用いる複数の別個の送信チェーンを用いて、ＯＦＤＭトーンブロック１４５２および１４５４を介してデータを生成して送信する。
【００９４】
図１５Ａは、一実施形態による、チャネル結合を用いてＯＦＤＭＡデータユニットまたはＯＦＤＭＡデータユニット部分を生成する例示的なＰＨＹ処理ユニット１５００のブロック図である。一実施形態において、ＰＨＹ処理ユニット１５００は、アップリンク送信用のクライアント局に割り当てられた複数のＯＦＤＭトーンブロックのみにわたる、ＯＦＤＭＡデータユニット部分１４５０のようなＯＦＤＭＡデータユニット部分を生成して送信するように構成される。いくつかの実施形態において、ＰＨＹ処理ユニット１５００は、クライアント局用の各割り当てＯＦＤＭトーンブロックを介してＯＦＤＭＡデータユニット部分の一部をフィルタリングして送信する複数の別個の送信チェーン１５０２を含む。一実施形態において、送信チェーン１５０２‐１は、ＯＦＤＭデータユニット１４５２に対応し、送信チェーン１５０２‐２は、ＯＦＤＭデータユニット１４５４に対応する。様々な実施形態において、各送信チェーン１５０２は、図１０、図１１、図１２、または図１３に示されるＩＤＦＴプロセッサ１０２０のようなＩＤＦＴプロセッサ１５２０を含む。一実施形態において、ＩＤＦＴプロセッサ１５２０は、対応する割り当てＯＦＤＭトーンブロック内の複数のトーンのみを用いてＩＤＦＴを実行する。ガードインターバル（ＧＩ）挿入およびウィンドウ化ユニット１５４２は、ＩＤＦＴプロセッサ１５２０から受信されたＯＦＤＭシンボルにＯＦＤＭシンボルの巡回拡張子をプリペンドして、スペクトル減衰を増大させるべく各シンボルのエッジをスムージングする。ＧＩ挿入の出力およびユニット１５４２のウィンドウ化は、信号をアナログ信号に変換して信号を送信用の無線周波数（ＲＦ）にアップコンバートするアナログおよびＲＦ周波数ユニット１５４４に提供される。
【００９５】
図１５Ｂは、別の実施形態による、チャネル結合を用いてＯＦＤＭＡデータユニットまたはＯＦＤＭＡデータユニット部分を生成する例示的なＰＨＹ処理ユニット１５５０のブロック図である。一実施形態において、ＰＨＹ処理ユニット１５５０は、アップリンク送信用のクライアント局に割り当てられた複数のＯＦＤＭトーンブロックのみにわたる、ＯＦＤＭＡデータユニット部分１４５０のようなＯＦＤＭＡデータユニット部分を生成して送信するように構成される。いくつかの実施形態において、ＰＨＹ処理ユニット１５５０は、クライアント局用の各割り当てＯＦＤＭトーンブロックに対応する複数の別個の送信チェーン１５５２を含む。一実施形態において、送信チェーン１５５２‐１は、ＯＦＤＭデータユニット１４５２に対応し、送信チェーン１５５２‐２は、ＯＦＤＭデータユニット１４５４に対応する。様々な実施形態において、各送信チェーン１５５２は、図１５Ａに関して上記されたＩＤＦＴプロセッサ１５２０およびＧＩ挿入・ウィンドウ化ユニット１５４２を含む。
【００９６】
一実施形態において、ＰＨＹ処理ユニット１５５０は、単一の無線送信機（すなわち、広帯域無線送信機）による送信のために各ＧＩ挿入・ウィンドウ化ユニット１５４２からの複数の出力をフィルタリングして組み合わせるように構成されている。例えば一実施形態において、各送信チェーン１５５２は、各ＧＩ挿入・ウィンドウ化ユニット１５４２からの出力をフィルタリングする、デジタルフィルタのようなローパスフィルタ１５５６を含む。一実施形態において、信号乗算器１５５８は、フェーザ１５６０を組み合わせて複数のフィルタリングされた出力のうちの１つを除いた全てに周波数シフトを提供する。一実施形態において、フェーザ１５６０は、複数の割り当てＯＦＤＭトーンブロック間の周波数分離に対応する周波数シフトを提供するように構成されている。フィルタリングしてシフトされた各出力は、信号コンバイナ１５６２により組み合わされ、信号をアナログ信号に変換してアナログ信号を送信用のＲＦ周波数にアップコンバートするアナログ・ＲＦユニット１５５４に単一の時間領域信号として提供される。
【００９７】
図１６は、一実施形態による、ＯＦＤＭ変調によりＡＰ１４が通信チャネルを介して複数のクライアント局に送信するように構成された例示的なＯＦＤＭＡデータユニット１６００のブロック図である。一実施形態においてＡＰ１４は、図７Ａ、図７Ｂ、および図７Ｃに関して上記されたように通信チャネルを複数のＯＦＤＭトーンブロックに分割して複数のＯＦＤＭトーンブロックを複数のクライアント局に割り当てる。ＯＦＤＭＡデータユニット１６００は、第１の通信プロトコルに準拠する。複数の他の実施形態において、ＯＦＤＭＡデータユニット１６００に類似した第１の通信プロトコルに準拠する複数のＯＦＤＭＡデータユニットは、例えば２０ＭＨｚ、４０ＭＨｚ、８０ＭＨｚ、１６０ＭＨｚ、３２０ＭＨｚ、６４０ＭＨｚ、または他の好適な複数の帯域幅等の帯域幅を占有し得る。図１６の実施形態において、通信チャネルは、８０ＭＨｚの帯域幅にわたり、２０ＭＨｚの４つの等しい幅のＯＦＤＭトーンブロックに分割される。４つの等しい幅のＯＦＤＭトーンブロックは、ＡＰ１４により４つのクライアント局（例えば、ＳＴＡ１、ＳＴＡ２、ＳＴＡ３、およびＳＴＡ４）に割り当てられる。複数の他の実施形態において、２つまたはそれよりも多いＯＦＤＭトーンブロックは、図１１、図１２、図１３、図１４Ａ、図１４Ｂ、図１５Ａ、および図１５Ｂに関して上記されたように、チャネル結合技術を用いて同一のクライアントデバイスに割り当てられる。いくつかの実施形態において、ＯＦＤＭトーンブロックは、通信チャネル内で２．５ＭＨｚ、５ＭＨｚ、１０ＭＨｚ、２０ＭＨｚ、４０ＭＨｚ、８０ＭＨｚ、１６０ＭＨｚのサブバンド、または他の好適な複数のサブバンド等、異なるサブバンドにわたる。
【００９８】
一実施形態において、ＯＦＤＭＡデータユニット１６００は、各割り当てＯＦＤＭトーンブロックに対応する複数のＯＦＤＭデータユニット１６４０を含む。ＯＦＤＭＡデータユニット１６００は、「混合モード」の状況、すなわち、ＷＬＡＮ１０が第１の通信プロトコルではなく、レガシ通信プロトコルに準拠するクライアント局（例えば、レガシクライアント局２５‐４）を含む場合に好適である。ＯＦＤＭＡデータユニット１６００は、他の複数の状況ならびにいくつかの実施形態において使用される。いくつかの実施形態において、複数のＯＦＤＭデータユニット１６４０は、ＩＥＥＥ８０２．１１ａ、ＩＥＥＥ８０２．１１ｇ、および／またはＩＥＥＥ８０２．１１ｎ等のＩＥＥＥ８０２．１１規格に実質的に類似した複数のＰＨＹフォーマットを有する。一実施形態において、各ＯＦＤＭデータユニット１６４０は、同一のＰＨＹフォーマットを有する。別の実施形態において、ＯＦＤＭＡデータユニット１６００は、複数の異なるＰＨＹフォーマットを有する複数のＯＦＤＭデータユニットを含む。
【００９９】
一実施形態において、ＯＦＤＭＡデータユニット１６００、従って各ＯＦＤＭデータユニット１６４０は、プリアンブル部分１６０１およびデータ部分１６１６（例えば、対応するクライアント局に対するデータフィールド）を含む。複数の他の実施形態において、ＯＦＤＭデータユニット１６４０は、データ部分１６１６を省略する。一実施形態において、各ＯＦＤＭデータユニット１６４０のプリアンブル部分１６０１は、少なくともレガシ部分１６０２および非レガシ部分１６０３を含む。一実施形態において、レガシ部分１６０２は、レガシショートトレーニングフィールド（Ｌ‐ＳＴＦ）１６０４、レガシロングトレーニングフィールド（Ｌ‐ＬＴＦ）１６０５、およびレガシ信号（Ｌ‐ＳＩＧ）フィールド１６０６を含む。従って、Ｌ‐ＳＴＦ１６０４、Ｌ‐ＬＴＦ１６０５、およびＬ‐ＳＩＧ１６０６の各々は一実施形態において、ＯＦＤＭＡデータユニット１６００の全帯域幅の２０ＭＨｚのサブバンドの対応する数に渡って反復される。一実施形態において、図１６の各ＯＦＤＭトーンブロック１６４０は、２０ＭＨｚの幅を有する。別の実施形態において、図１６の各ＯＦＤＭトーンブロック１６４０は、４０ＭＨｚの幅を有する。一実施形態によれば、ＯＦＤＭトーンブロックが４０ＭＨｚの幅を有する場合、レガシ部分１６０２（すなわち、Ｌ‐ＳＴＦ、Ｌ‐ＬＴＦ、およびＬ‐ＳＩＧ）は、上方の２０ＭＨｚの半分および下方の２０ＭＨｚの半分で複製され、上方の２０ＭＨｚの複数のサブチャネルは、下方の２０ＭＨｚにおける複数のサブチャネルに対して９０°位相シフトされる。
【０１００】
非レガシ部分１６０３は、ＨＥＷ信号（ＨＥＷ‐ＳＩＧＡ）フィールド１６０８、ＨＥＷショートトレーニングフィールド（ＨＥＷ‐ＳＴＦ）１６１０、Ｍ個のＨＥＷロングトレーニングフィールド（ＨＥＷ‐ＬＴＦ）１６１２、および第３のＨＥＷ信号フィールド（ＨＥＷ‐ＳＩＧＢ）１６１４を含み、Ｍは整数である。Ｌ‐ＳＴＦ１６０４、Ｌ‐ＬＴＦ１６０５、Ｌ‐ＳＩＧ１６０６、ＨＥＷ‐ＳＩＧＡ１６０８、ＨＥＷ‐ＳＴＦ１６１０、Ｍ個のＨＥＷ‐ＬＴＦ１６１２、およびＨＥＷ‐ＳＩＧＢ１６１４の各々は、整数の１または複数のＯＦＤＭシンボルを含む。例えば一実施形態において、ＨＥＷ‐ＳＩＧＡ１６０８は、２つのＯＦＤＭシンボルを含む。例えば別の実施形態において、プリアンブル部分１６０１の非レガシ部分１６０３は、ＨＥＷ信号フィールド１６０８に対する複数の追加のＯＦＤＭシンボルを含む。いくつかの実施形態において、ＨＥＷ‐ＳＩＧＢフィールド１６１４は省略されている。
【０１０１】
一実施形態によれば、プリアンブル部分１６０１のレガシ部分１６０２（すなわち、Ｌ‐ＳＴＦ、Ｌ‐ＬＴＦ、およびＬ‐ＳＩＧ）は、複数のＯＦＤＭデータユニット１６４０の全てにおいて同一である。別の実施形態において、少なくともＬ‐ＳＩＧフィールドが複数のＯＦＤＭデータユニット１６４０のうちの少なくともいくつかにおいて異なっており、例えば複数のＯＦＤＭデータユニット１６４０のうちの少なくともいくつかは、異なる持続時間を有する。プリアンブル部分１６０１の非レガシ部分１６０３（すなわち、ＨＥＷ‐ＳＩＧＡで開始する）については、複数のＯＦＤＭデータユニット１６４０の内容は、複数の異なるクライアント局のデータレート、データ量、構成（例えば、アンテナ数、サポートされる複数の入力の数、多入力多出力（ＭＩＭＯ）のデータストリーム等）のような複数の要因に応じて異なるクライアント局に対して異なり得る。いくつかの実施形態および／またはシナリオにおいて、少なくとも１つのパディングＯＦＤＭシンボルを含む非レガシ部分１６０３および／またはデータ部分１６１６が生成される。
【０１０２】
一実施形態において、ＡＰは、データ部分１６１６の内部でゼロパディングを使用して、各ＯＦＤＭデータユニット１６４０が同一の持続時間および／またはＯＦＤＭシンボルの数（すなわち、最も長いＯＦＤＭデータユニットの持続時間）を有することを確実にする。一実施形態において、複数のＡＰのＭＡＣユニットは、ＭＡＣプロトコルデータユニット（ＭＰＤＵ）に含まれる１または複数のＭＡＣサービスデータユニット（ＭＳＤＵ）をゼロパディングする。同様に、ＭＡＣプロトコルデータユニットは、ＰＨＹプロトコルデータユニット（ＰＰＤＵ）に含まれる。例えばＭＳＤＵをゼロパディングすることにより、ＭＰＤＵおよびＰＰＤＵの長さは増大する。
【０１０３】
いくつかの実施形態において、ＡＰは、複数の追加のＨＥＷロングトレーニングフィールドを非レガシ部分１６０３へと挿入する。一実施形態において、ＡＰは、各ＯＦＤＭトーンブロックが同一の数のＨＥＷ‐ＬＴＦフィールドを有するようにＯＦＤＭＡデータユニットを生成する。例えば一実施形態において、ＡＰは、各ＯＦＤＭデータユニットが同一の数の空間ストリームを用いるように、ＯＦＤＭＡデータユニットを生成する。少なくともいくつかのＯＦＤＭトーンブロックに対して空間ストリームの数が異なる別の実施形態において、ＡＰは、各ＯＦＤＭデータユニットが同一の数（すなわち、最大数）のＨＥＷ‐ＬＴＦフィールドを有するように、追加のＨＥＷ‐ＬＴＦフィールドによりＯＦＤＭＡデータユニットを生成する。
【０１０４】
一実施形態において、ＡＰは、ＯＦＤＭデータユニット１６４０‐２に含まれるべきパディングＯＦＤＭシンボルの数を、ＯＦＤＭデータユニット１６４０‐３のＯＦＤＭシンボルの全数とＯＦＤＭデータユニット１６４０‐２のＯＦＤＭシンボルの全数との間の差として決定する。例えば一実施形態において、少なくとも１つのＯＦＤＭデータユニット１６４０（すなわち、データユニット１６４０‐１、１６４０‐２および１６４０‐４）は、非レガシ部分１６０３およびＯＦＤＭデータユニット１６１６の全長がＯＦＤＭデータユニット１６４０‐３の非レガシ部分１６０３およびデータ部分１６１６の全長に等しくなるようにパディングを含む。
【０１０５】
別の実施形態において、ＡＰは、非レガシ部分１６０３のＯＦＤＭシンボルの数およびＯＦＤＭデータユニット１６４０‐２におけるＯＦＤＭデータユニット１６１６のＯＦＤＭシンボルの数の合計が、非レガシ部分１６０３のＯＦＤＭシンボルの数およびＯＦＤＭデータユニット１６４０‐３におけるＯＦＤＭデータユニット１６１６のＯＦＤＭシンボルの数の合計に等しくなるように、少なくとも１つのパディングＯＦＤＭシンボルを含むＯＦＤＭデータユニット１６４０‐２を生成する。
【０１０６】
一実施形態において、ＡＰは、各ユーザに対するデータバイト数およびＭＣＳ値に基づいて各ユーザに対するＯＦＤＭシンボルの数（Ｎｓｙｍ，ｕ）を決定して、各ＯＦＤＭデータユニット１６４０がＮｓｙｍ＝最大値（Ｎｓｙｍ，ｕ）に等しいシンボル数を有するように複数のパディングＯＦＤＭシンボルを挿入する。いくつかの実施形態において、ＡＰは、プリアンブル部分１６０１の非レガシ部分１６０３に基づいてＯＦＤＭシンボルの数を決定する。この場合、例えばＯＦＤＭトーンブロックにおけるＨＥＷ‐ＬＴＦの数は、（例えば、ＯＦＤＭＡデータユニットの複数の異なるユーザに対する空間ストリームの数が異なるので）少なくともいくつかのＯＦＤＭトーンブロックについて異なる。そのような一実施形態において、ＡＰは、Ｎｓｙｍ，ｕ＝Ｎｓｙｍ，ｕ（データ）＋Ｎｓｙｍ，ｕ（プリアンブル）であるときの各ユーザに対するＯＦＤＭシンボルの数を決定する。別の実施形態において、ＡＰは、Ｎｓｙｍ，ｕ＝Ｎｓｙｍ，ｕ（データ）＋Ｄｅｌｔａ＿ＨＥＷＬＴＦであるときの各ユーザに対するＯＦＤＭシンボルの数を決定する。Ｄｅｌｔａ＿ＨＥＷＬＴＦは、ＯＦＤＭＡデータユニット１６００に対する全てのユーザの中の最小のＨＥＷ‐ＬＴＦの数により減算された現在のユーザのＨＥＷ‐ＬＴＦの数である。なおも別の実施形態において、ＡＰは、Ｎｓｙｍ（プリアンブル＋データ）＝最大値（Ｎｓｙｍ，ｕ（データ）＋ＮＨＥＷＬＴＦ，ｕ）であるときの各ユーザに対するＯＦＤＭシンボルの数を決定する。いくつかの実施形態において、ＡＰは、ＨＥＷＬＴＦシンボルの追加された数またはデルタ値により減らされたＮｓｙｍ（データ）の値としてＬ‐ＳＩＧ１６０６におけるＬ‐ＬＥＮＧＴＨフィールドを設定するデータフィールドシンボルの数を決定する。一実施形態において、ＡＰは、アップリンクＯＦＤＭＡデータユニットにおける各クライアント局に対するパディングＯＦＤＭシンボルの数を決定してパディングＯＦＤＭシンボルの決定された数または別の好適なインジケータを用いて同期フレームを送信し、各クライアント局に複数のＰＨＹパラメータ（例えばＮｓｙｍ）を通知する。次に、各クライアント局は、同期フレームに含まれる複数のＰＨＹパラメータに応じてアップリンクＯＦＤＭＡデータユニットの一部を共同で送信する。
【０１０７】
いくつかの実施形態において、ＡＰは、ＯＦＤＭＡデータユニット１６００における現在のデータユニットがダウンリンクＯＦＤＭＡデータユニットであることをレシーバにシグナリングするように、ＯＦＤＭＡインジケータ（ＯＩ）１６５０を設定する。一実施形態によれば、ＯＦＤＭＡインジケータ１６５０は、（ｉ）多元接続モードまたは（ｉｉ）標準モードのうちの１つを示すように設定される。一実施形態において、ＯＦＤＭＡインジケータ１６５０は、１ビットを含み、このビットの第１の値は標準モードを示し、ビットの第２の値は多元接続モードを示す。いくつかの実施形態において、ＯＦＤＭＡインジケータ１６５０は、変調符号化スキーム（ＭＣＳ）インジケータまたは他の好適なサブフィールドと組み合わされる。例えば一実施形態において、標準モードは、（例えば、ＩＥＥＥ８０２．１１ａｃプロトコルに準拠する）レガシレシーバデバイスにより有効であると判断された複数のＭＣＳ値に対応するが、多元接続モードは、（例えば、ＩＥＥＥ８０２．１１ａｃプロトコルに準拠しない）レガシレシーバデバイスにより無効と判断された（またはサポートされない）ＭＣＳ値に対応する。複数の他の実施形態において、ＯＦＤＭＡインジケータ１６５０は、複数の標準モードＭＣＳ値および複数の距離延長モードＭＣＳ値を示す複数のビットを有する。
【０１０８】
一実施形態において、ＯＦＤＭＡインジケータ１６５０は、ＡＰが「１」に設定して、現在のデータユニットがダウンリンクＯＦＤＭＡデータユニットであることをレシーバにシグナリングする複数のＬ‐ＳＩＧフィールドの各々における「予約されたビット」である（ＩＥＥＥ８０２．１１ａおよび８０２．１１ｎ規格は、Ｌ‐ＳＩＧにおける「予約されたビット」を「０」に指定する）。更に、ＡＰは、最も長いＯＦＤＭデータユニット１６４０および非レガシ部分１６０３（すなわち、ＯＦＤＭデータユニット１６４０‐３）の持続時間であるＴに対応するように、複数のＬ‐ＳＩＧフィールドの各々における長さおよびレートサブフィールドを設定する。別の実施形態によれば、ＯＦＤＭＡインジケータ１６５０は、ＡＰが「０」に設定して、現在のデータユニットがダウンリンクＯＦＤＭＡデータユニットであることをレシーバにシグナリングする複数のＨＥＷ‐ＳＩＧＡフィールドの各々における「予約されたビット」である。
【０１０９】
いくつかの実施形態において、ＯＦＤＭＡインジケータ１６５０は、ＨＥＷ‐ＳＩＧＡ１６０８内にグループＩＤサブフィールドを含む。一実施形態において、グループＩＤサブフィールドは、ＯＦＤＭＡグループ（すなわち、ＯＦＤＭＡデータユニット１６００をデコードすることを意図する複数のクライアント局）を識別する。そのような一実施形態において、グループＩＤサブフィールドは、マルチユーザ（ＭＵ）ＭＩＭＯデータユニット、ＯＦＤＭＡデータユニット、またはシングルユーザデータユニットのいずれかを示すグループＩＤ値を含む。本実施形態において、ＯＦＤＭＡデータユニットと非ＯＦＤＭＡデータユニットを区別するべく、別個の指示フィールドは必要とされず、従ってレシーバは、グループＩＤサブフィールドをパースすることによりどのタイプのデータユニットかを判断し得る。一実施形態において、グループＩＤサブフィールドは、ＯＦＤＭＡおよびＭＵ‐ＭＩＭＯが同一のデータユニット内で共に用いられることを示す。
【０１１０】
別の実施形態において、ＯＦＤＭＡインジケータ１６５０は、ＯＦＤＭＡ指示サブフィールド（すなわち、データユニットがＯＦＤＭＡデータユニットであることを示す）およびグループＩＤサブフィールド（すなわち、複数のクライアント局のうちのどのグループがデータユニットをデコードすることを意図されるかを示す）の双方を含む。いくつかの実施形態において、ＯＦＤＭＡインジケータ１６５０は、ＯＦＤＭＡグループ内のどのクライアント局が対応するＯＦＤＭトーンブロックをデコードすることを意図するかを示すユーザＩＤサブフィールドも含む。一実施形態において、ＯＦＤＭＡインジケータ１６５０は、対応する各ＯＦＤＭトーンブロックをデコードするためのＭＣＳ、空間ストリームの数、符号化スキーム、時空間ブロック符号化、または他の複数のＰＨＹパラメータをシグナリングするように構成される。複数の異なるＯＦＤＭトーンブロックにおける全ユーザに対するＨＥＷ‐ＬＴＦの数が同一であるいくつかの実施形態において（すなわち、複数のクライアント局の中で最大のＮｓｔｓに対する数をパディングし、またはこれに対応するＨＥＷ‐ＬＴＦの挿入）、ＯＦＤＭＡインジケータ１６５０は、現在のクライアント局のＮｓｔｓおよび全てのクライアント局の中で最大のＮｓｔｓの双方をシグナリングする。
【０１１１】
いくつかの実施形態において、ＯＦＤＭＡインジケータ１６５０は、どのＯＦＤＭトーンブロックがクライアント局に割り当てられたかを示すトーンブロック割り当て指示を含む。一実施形態において、トーンブロック割り当て指示は、ユーザＩＤをＯＦＤＭトーンブロックＩＤにマッピングするマッピングテーブルである。いくつかの実施形態において、ＯＦＤＭＡインジケータ１６５０は、後続のＯＦＤＭＡデータユニットに対しては異なっており、これによりＡＰが１データユニット当たりのベースで複数のＯＦＤＭトーンブロックを動的に分割し、および／またはクライアント局に割り当てることを可能にする。複数の他の実施形態において、トーンブロック割り当て指示は省略され、例えば、この場合、ＯＦＤＭトーンブロック割り当てがより長い持続時間に対して固定されている（例えば、予め定められた複数のデータユニットが送信された後にＯＦＤＭＡグループが形成されるか、または変更されたときに固定される）。
【０１１２】
複数の他の実施形態において、ＡＰは、データユニットが上記のもの以外の複数の技術を用いたダウンリンクＯＦＤＭＡデータユニットであることをシグナリングする。例えば一実施形態によれば、ＡＰは、ダウンリンクＯＦＤＭＡデータユニットを送信する期間を予約するべくＭＡＣ層シグナリングを用いる。本実施形態において、ＭＡＣ層シグナリングは、ダウンリンクＯＦＤＭＡデータユニット１６００の持続時間Ｔを指定するべく使用される。別の実施形態において、ＭＡＣ層シグナリングは、ダウンリンクＯＦＤＭＡデータユニット１６００の持続時間Ｔを指定するのではなく、各クライアント局がダウンリンクＯＦＤＭＡデータユニット１６００の各受信確認を送信すべき異なる各時間を指定する。別の実施形態において、ＡＰまたはクライアント局は、ダウンリンクＯＦＤＭＡデータユニット１６００に対応する全てのクライアント局が各受信確認を同時に送信すべき単一の時間を指定するべく、ＭＡＣ層シグナリングを使用する。
【０１１３】
いくつかの実施形態において、Ｌ‐ＳＩＧ１６０６およびＨＥＷ‐ＳＩＧＡ１６０８は、ＩＥＥＥ８０２．１１ａｃ規格において規定された対応するフィールドの変調と同一の変調を有する。従って、ＨＥＷ‐ＳＩＧＡ１６０８の第１のサブフィールドは、Ｌ‐ＳＩＧフィールドと同じように変調される。他方、ＨＥＷ‐ＳＩＧＡ１６０８の第２のサブフィールドは、Ｌ‐ＳＩＧフィールドの変調と比較して９０°回転される。ＨＥＷ‐ＳＩＧＡ１６０８の第３のサブフィールドを有するいくつかの実施形態において、第２のサブフィールドは、Ｌ‐ＳＩＧフィールドおよび第１のサブフィールドと同じように変調されるが、第３のサブフィールドは、Ｌ‐ＳＩＧフィールド、第１のサブフィールド、および第２のサブフィールドの変調と比較して９０°回転される。
【０１１４】
一実施形態において、ＯＦＤＭデータユニット１６４０におけるＨＥＷ‐ＳＩＧＡ１６０８のＬ‐ＳＩＧ１６０６および複数のサブフィールドの変調は、ＩＥＥＥ８０２．１１ａｃ規格（例えば、図５のデータユニット５００）に準拠するデータユニットにおける複数の対応するフィールドの変調に対応するので、ＩＥＥＥ８０２．１１ａ規格および／またはＩＥＥＥ８０２．１１ｎ規格に準拠して動作するように構成された複数のレガシクライアント局は、少なくともいくつかの状況においてＯＦＤＭデータユニット１６４０がＩＥＥＥ８０２．１１ａｃ規格に準拠し、それに応じてＯＦＤＭデータユニット１６４０を処理すると想定する。例えば、ＩＥＥＥ８０２．１１ａ規格に準拠するクライアント局は、データユニット１６４０のプリアンブルのレガシＩＥＥＥ８０２．１１ａ規格部分を理解し、Ｌ‐ＳＩＧ１６０６に示された持続時間に応じてデータユニットの持続時間（またはデータユニット持続時間）を設定する。一実施形態によれば、例えばレガシクライアント局２５‐４は、Ｌ‐ＳＩＧフィールド１６０６に示されたレートおよび長さ（例えばバイト数）に基づいてデータユニットに対する持続時間を算出する。一実施形態において、Ｌ‐ＳＩＧフィールド１６０６におけるレートおよび長さは、レガシ通信プロトコルに準拠して動作するように構成されたクライアント局がレートおよび長さに基づいて、データユニット１６４０の実際の持続時間に対応するか、または少なくともこれに近いパケット持続時間（Ｔ）を算出するように設定される。一実施形態において、例えば、レートは、ＩＥＥＥ８０２．１１ａ規格により規定された最低レート（すなわち６Ｍｂｐｓ）を示すように設定され、長さは、最低レートを用いて計算されたパケット持続時間がデータユニット１６４０の実際の持続時間に少なくとも近くなるように計算された値に設定される。
【０１１５】
一実施形態において、ＩＥＥＥ８０２．１１ａ規格に準拠するレガシクライアント局は、データユニット１６４０を受信する場合、例えば、Ｌ‐ＳＩＧフィールド１６０６のレートフィールドおよび長さフィールドを用いてデータユニット１６４０に対するパケット持続時間を計算し、一実施形態において、クリアチャネル評価（ＣＣＡ）を実行する前に、計算されたパケット持続時間が終了するまで待機する。従って、本実施形態において、通信媒体は、少なくともデータユニット１６４０の持続時間中にレガシクライアント局によるアクセスから保護される。一実施形態において、レガシクライアント局は、データユニット１６４０を継続してデコードするが、データユニット１６４０の終わりで（例えば、フレームチェックシーケンス（ＦＣＳ）を用いる）エラーチェックを行わない。
【０１１６】
同様に一実施形態において、ＩＥＥＥ８０２．１１ｎ規格に準拠して動作するように構成されたレガシクライアント局は、データユニット１６４０を受信するときに、データユニット１６４０のＬ‐ＳＩＧ１６０６に示されたレートおよび長さに基づいてデータユニット１６４０のパケット持続時間（Ｔ）を計算する。レガシクライアント局は、ＨＥＷ信号フィールド（ＨＥＷ‐ＳＩＧＡ）の第１のサブフィールドの変調をＢＰＳＫとして検出し、データユニット１６４０がＩＥＥＥ８０２．１１ａ規格に準拠するレガシデータユニットであると想定する。一実施形態において、レガシクライアント局は、データユニット１６４０を継続してデコードするが、データユニットの終りで（例えば、フレームチェックシーケンス（ＦＣＳ）を用いる）エラーチェックを行わない。いずれの場合も、ＩＥＥＥ８０２．１１ｎ規格に準拠して、レガシクライアント局は一実施形態において、クリアチャネル評価（ＣＣＡ）を実行する前に、計算されたパケット持続時間（Ｔ）が終了するまで待機する。従って、埋め込みにおいて通信媒体は、データユニット１６４０の持続時間中にレガシクライアント局によるアクセスから保護される。
【０１１７】
一実施形態において、第１の通信プロトコルではなくＩＥＥＥ８０２．１１ａｃ規格に準拠して動作するように構成されたレガシクライアント局は、データユニット１６４０を受信するときに、データユニット１６４０のＬ‐ＳＩＧ１６０６に示されたレートおよび長さに基づいてデータユニット１６４０のパケット持続時間（Ｔ）を計算する。しかし、一実施形態においてレガシクライアント局は、データユニット１６４０の変調に基づいて、データユニット１６４０がＩＥＥＥ８０２．１１ａｃ規格に準拠しないことを検出することができない。いくつかの実施形態において、データユニット１６４０におけるＨＥＷ信号フィールド１６０８の１または複数サブフィールドは、データユニット１６４０をデコードするときにレガシクライアント局に意図的にエラーを検出させ、従ってデータユニット１６４０をデコードするのを停止（または「ドロップ」）させるようにフォーマットされている。一実施形態において、例えば、データユニット１６４０のＨＥＷ‐ＳＩＧＡ１６０８は、ＳＩＧＡフィールドがＩＥＥＥ８０２．１１ａｃ規格に準拠してレガシデバイスによりデコードされる場合に、意図的にエラーを生じさせるようにフォーマットされる。更に、実施形態において、ＩＥＥＥ８０２．１１ａｃ規格に準拠して、ＶＨＴ‐ＳＩＧＡフィールドをデコードするときにエラーが検出されると、クライアント局は、データユニット１６４０をドロップし、クリアチャネル評価（ＣＣＡ）を実行する前に、例えばデータユニット１６４０のＬ‐ＳＩＧ１６０６に示されたレートおよび長さに基づいて算出された計算されたパケット持続時間（Ｔ）が終了するまで待機する。従って、一実施形態において通信媒体は、ＯＦＤＭデータユニット１６４０の持続時間中にレガシクライアント局によるアクセスから保護される。
【０１１８】
いくつかの実施形態において、複数の標準モードデータユニットに用いられるプリアンブルと比較して異なるプリアンブルフォーマットが、複数の多元接続モードデータユニットに用いられる。複数のそのような実施形態において、データユニットを受信するデバイスは、データユニットのプリアンブルのフォーマットに基づいて、データユニットが標準モードデータユニットであるか、または多元接続モードデータユニットであるかを自動的に検出し得る。図１７Ａは、一実施形態による標準モードデータユニット１７００を図示する図である。標準モードデータユニット１７００は、標準モードプリアンブル１７０１を含む。一般に、標準モードプリアンブル１７０１は、図１６のＯＦＤＭデータユニット１６４０のプリアンブル１６０１と同一である。一実施形態において、プリアンブル１７０１はＨＥＷ‐ＳＩＧＡフィールド１７０８を含み、これは第１のＨＥＷ‐ＳＩＧＡ１フィールド１７０８‐１および第２のＨＥＷ‐ＳＩＧＡ２フィールド１７０８‐１を含む。一実施形態において、プリアンブル１７０１のＨＥＷ‐ＳＩＧＡフィールド１７０８（例えば、ＨＥＷ‐ＳＩＧＡ１  １７０８‐１またはＨＥＷ‐ＳＩＧＡ２  １７０８‐２）は、ＯＦＤＭＡ指示１７０２を含む。一実施形態において、ＯＦＤＭＡ指示１７０２は、多元接続モードまたは標準モードがデータユニット１７００に用いられるか否かを示すように設定されている。一実施形態において、ＯＦＤＭＡ指示１７０２は、１ビットを含み、このビットの第１の値は標準モードを示し、ビットの第２の値は多元接続モードを示す。以下により詳細に説明されるように、一実施形態においてデータユニット１７００を受信するデバイスは、プリアンブル１７０１のフォーマットに基づいて、プリアンブル１７０１が多元接続モードプリアンブルではなく標準モードプリアンブルであることを検出することができる。一実施形態において、プリアンブル１７０１が標準モードプリアンブルであることを検出すると、受信デバイスはＯＦＤＭＡ指示１７０２に基づいて、多元接続モードまたは標準モードがデータ部分１６１６のＯＦＤＭシンボルに用いられるか否かを判断して、データ部分１６１６をこれに応じてデコードする。いくつかの実施形態において、多元接続モードが使用されていることをＯＦＤＭＡ指示１７０２が示すと、標準モードＯＦＤＭシンボルに用いられるトーンの間隔と比較して小さいトーンの間隔によるＯＦＤＭ変調を用いて、プリアンブル１７０１の一部の複数のＯＦＤＭシンボル（例えば、ＨＥＷ‐ＬＴＦおよびＨＥＷ‐ＳＩＧＢ）、ならびにデータ部分１６１６の複数のＯＦＤＭシンボルが生成される。
【０１１９】
図１７Ｂは、一実施形態による多元接続モードデータユニット１７５０を図示する図である。多元接続モードデータユニット１７５０は、多元接続モードプリアンブル１７５１を含む。一般に、データユニット１７５０は、データユニット１７５０のプリアンブル１７５１がデータユニット１７００のプリアンブル１７０１とは異なるようにフォーマットされることを除き、図１７Ａのデータユニット１７００に類似する。一実施形態において、プリアンブル１７５１は、プリアンブル１７５１が標準モードプリアンブルではなく、多元接続モードプリアンブルであることを、ＨＥＷ通信プロトコルに準拠して動作する受信デバイスが判断できるようにフォーマットされている。一実施形態において、多元接続モードプリアンブル１７５１は、Ｌ‐ＳＴＦ１６０４、Ｌ‐ＬＴＦ１６０５、およびＬ‐ＳＩＧ１６０６、ならびに１または複数の第１のＨＥＷ信号フィールド（ＨＥＷ‐ＳＩＧＡ）１７５２を含む。一実施形態において、プリアンブル１７５０は、Ｌ‐ＳＩＧフィールド１６０６に続く１または複数の二次Ｌ‐ＳＩＧ１７５４を更に含む。いくつかの実施形態において、複数の二次Ｌ‐ＳＩＧ１７５４の次には、第２のＬ‐ＬＴＦフィールド（Ｌ‐ＬＴＦ２）１７５６が続く。複数の他の実施形態において、プリアンブル１７５１は、Ｌ‐ＳＩＧ１７５４および／またはＬ‐ＬＴＦ２  １７５６を省略する。いくつかの実施形態において、プリアンブル１７５１は、ＨＥＷ‐ＳＴＦ１７５８、１または複数のＨＥＷ‐ＬＴＦフィールド１７６０、および第２のＨＥＷ信号フィールド（ＨＥＷ‐ＳＩＧＢ）１７６２も含む。複数の他の実施形態において、プリアンブル１７５１は、ＨＥＷ‐ＳＴＦ１７５８、ＨＥＷ‐ＬＴＦ１７６０、および／またはＨＥＷ‐ＳＩＧＢ１７６２を省略している。一実施形態において、データユニット１７５０は、データ部分１６１６（図１７Ｂに図示せず）も含む。いくつかの実施形態において、複数のＨＥＷ信号フィールド（ＨＥＷ‐ＳＩＧＡ）１７５２は、データフィールド１６１６と同一の多元接続モードを用いて変調される。
【０１２０】
一実施形態において、複数のＨＥＷ‐ＳＩＧＡ１７５２の１または複数のシンボルは、例えば、ＢＰＳＫに代えてＱＢＰＳＫを用いて変調され、ＨＥＷ通信プロトコルに準拠して動作する受信デバイスにより標準モードと多元接続モードとの間の自動検出を可能にする。例えば標準モードプリアンブルがＬ‐ＳＩＧ１６０６のフィールドの後に２つのＢＰＳＫシンボルおよび１つのＱ‐ＢＰＳＫシンボルを含む一実施形態において、多元接続モードプリアンブルは、Ｌ‐ＳＩＧ１６０６のフィールドの後に３つのＢＰＳＫシンボルおよび１つのＱ‐ＢＰＳＫシンボルを含む。例えば自動検出が標準モードと多元接続モードを区別するいくつかの実施形態において、信号帯域幅、ＭＣＳ値、または他の好適なビットを示すべく用いられるビット等のいくつかのビットは、ＨＥＷ‐ＳＩＧＡ１７５２から省略されている。
【０１２１】
プリアンブル１７５１が１または複数の二次Ｌ‐ＳＩＧ１７５４を含む一実施形態において、Ｌ‐ＳＩＧ１７５４の各々の内容は、データユニット１７５０のＬ‐ＳＩＧ１６０６の内容と同一である。一実施形態において、データユニット１７５０を受信する受信デバイスは、Ｌ‐ＳＩＧフィールド１６０６、１７５４の反復を検出することにより、プリアンブル１７５１が多元接続モードプリアンブルに対応していると判断する。更に、一実施形態において、Ｌ‐ＳＩＧ１６０６のレートサブフィールドおよび長さサブフィールドの双方が、従って二次Ｌ‐ＳＩＧ１７５４のレートサブフィールドおよび長さサブフィールドが固定（例えば、予め定められた）値に設定される。この場合、一実施形態において、Ｌ‐ＳＩＧフィールド１６０６、１７５４の反復を検出すると、受信デバイスは、反復する複数のＬ‐ＳＩＧフィールドの固定値を追加のトレーニング情報として用いてチャネル推定を改善する。しかし、いくつかの実施形態において、Ｌ‐ＳＩＧ１６０６の少なくとも長さサブフィールド、従って二次Ｌ‐ＳＩＧ１７５４の少なくとも長さフィールドは、固定値に設定されない。例えば一実施形態において、長さフィールドは、これに代えて、データユニット１７５０の実際の長さに基づいて判断された値に設定される。そのような一実施形態において、受信デバイスは、まずＬ‐ＳＩＧ１６０６をデコードし、次にＬ‐ＳＩＧ１６０６における長さサブフィールドの値を用いて、Ｌ‐ＳＩＧフィールド１６０６、１７５４における反復を検出する。別の実施形態において、受信デバイスは、まずＬ‐ＳＩＧフィールド１６０６、１７５４の反復を検出し、次に検出された複数のＬ‐ＳＩＧフィールド１６０６、１７５４を組み合わせてＬ‐ＳＩＧフィールド１６０６、１７５４のデコードの信頼性を改善し、および／または複数のＬ‐ＳＩＧフィールド１６０６、１７５４における冗長情報を用いてチャネル推定を改善する。
【０１２２】
プリアンブル１７５１がＬ‐ＬＴＦ２  １７５６を含む一実施形態において、Ｌ‐ＬＴＦ２  １７５６のＯＦＤＭシンボルは、多元接続モードを用いて生成される。プリアンブル１７５１がＬ‐ＬＴＦ２  １７５６を含む別の実施形態において、Ｌ‐ＬＴＦ２  １７５６のＯＦＤＭシンボルは、標準モードを用いて生成される。一実施形態において、例えば、Ｌ‐ＬＴＦ１６０５において用いられるダブルガードインターバル（ＤＧＩ）が、データユニット１７５０が送信デバイスから受信デバイスへと進む通信チャネルに対して十分に長い場合、Ｌ‐ＬＴＦ２  １７５６の複数のＯＦＤＭシンボルは、標準モードを用いて生成され、または代替的に、プリアンブル１７５１は、Ｌ‐ＬＴＦ２  １７５６を省略する。
【０１２３】
別の実施形態において、プリアンブル１７５１は、二次Ｌ‐ＳＩＧ）１７５４を省略するが、Ｌ‐ＬＴＦ２  １７５６を含む。本実施形態において、受信デバイスは、Ｌ‐ＬＴＦ２  １７５６の存在を検出することにより、プリアンブル１７５１が多元接続モードプリアンブルであることを検出する。図１８Ａ〜図１８Ｂは、２つの例示的な実施形態による、Ｌ‐ＬＴＦ２  １７５６として用いるのに好適なＬＴＦの２つの可能なフォーマットを図示する図である。まず図１８Ａを参照すると、第１の例示的な実施形態において、Ｌ‐ＬＴＦ２  １８００は、Ｌ‐ＬＴＦ１６０５と同様に、すなわちレガシ通信プロトコル（例えば、ＩＥＥＥ８０２．１１ａ／ｎ／ａｃ規格）により規定されたようにフォーマットされる。具体的には、図示された実施形態において、Ｌ‐ＬＴＦ２  １８００は、ダブルガードインターバル（ＤＧＩ）１８０２を含み、その次にロングトレーニングシーケンス１８０４、１８０６の２つの反復が続く。ここで図１８Ｂを参照すると、別の例示的な実施形態において、Ｌ‐ＬＴＦ２  １８０８は、Ｌ‐ＬＴＦ１６０５とは異なるようにフォーマットされる。具体的には、図示された実施形態において、Ｌ‐ＬＴＦ２  １８０８は、第１のノーマルガードインターバル１８１０、ロングトレーニングシーケンス１８１２の第１の反復、第２のノーマルガードインターバル１８１４、およびロングトレーニングシーケンス１８１６の第２の反復を含む。
【０１２４】
再び図１７Ｂを参照すると、一実施形態においてＨＥＷ‐ＳＩＧＡ）１７５２が多元接続モードを用いて生成される。一実施形態において、ＨＥＷ‐ＳＩＧＡ１７５２の数は、標準モードプリアンブル１７０１のＨＥＷ‐ＳＩＧＡ１７０８の数と同じである。同様に、一実施形態においてＨＥＷ‐ＳＩＧＡ１７５２の内容は、標準モードプリアンブル１７０１のＨＥＷ‐ＳＩＧＡ１７０８の内容と同じである。複数の他の実施形態において、ＨＥＷ‐ＳＩＧＡ１７５２の数および／または内容は、標準モードプリアンブル１７０１のＨＥＷ‐ＳＩＧＡ１７０８の数および／または内容と異なる。一実施形態において、データユニット１７５０を受信するデバイスは、プリアンブル１７５１が多元接続モードプリアンブルに対応していると検出したことに基づいて多元接続モードを用いてＨＥＷ‐ＳＩＧＡ１７５２をデコードして、多元接続モードについて規定されるようにＨＥＷ‐ＳＩＧＡ１７５２を適切に解釈する。
【０１２５】
プリアンブル１７５１がＬ‐ＳＩＧ１７５４および／またはＬ‐ＬＴＦ２  １７５６を省略する一実施形態において、受信デバイスは、多元接続モードおよび標準モードを用いるＨＥＷ‐ＳＩＧＡフィールドの自己相関に基づいて、多元接続モードまたは標準モードを用いてプリアンブルにおけるＨＥＷ‐ＳＩＧＡフィールドが生成されるか否かを検出することにより、プリアンブルが多元接続モードプリアンブル１７５１に対応するか、または通常モードのプリアンブル１７０１に対応するかを判断する。図１９Ａ〜図１９Ｂは、各々一実施形態による、標準モードプリアンブル１７０１のＨＥＷ‐ＳＩＧＡ１７０８および多元接続モードプリアンブル１７５１のＨＥＷ‐ＳＩＧＡ１７５２の図である。図示された実施形態において、標準モードプリアンブル１７０１のＨＥＷ‐ＳＩＧＡ１７０８は、第１のＮＧＩ１９０２、第１のＨＥＷ‐ＳＩＧＡフィールド１９０４、第２のＮＧＩ１９０６、および第２のＨＥＷ‐ＳＩＧＡフィールド１９０８を含む。他方、多元接続モードプリアンブル１７５１のＨＥＷ‐ＳＩＧＡ１７５２は、第１のＬＧＩ１９１０、第１のＨＥＷ‐ＳＩＧＡフィールド１９１２、第２のＬＧＩ１９１４、および第２のＨＥＷ‐ＳＩＧＡフィールド１９１６を含む。一実施形態において、受信デバイスは、図１９Ａに図示される構造のようなノーマルガードインターバル構造を用いてＨＥＷ‐ＳＩＧＡフィールドの第１の自己相関を実行し、図１９Ｂに図示される構造のようなロングガードインターバル構造を用いて第２の自己相関を実行し、複数の自己相関結果の比較を実行する。一実施形態において、ロングガードインターバルを用いるＨＥＷ‐ＳＩＧＡフィールドの自己相関がノーマルガードインターバルを用いるＨＥＷ‐ＳＩＧＡフィールドの自己相関の結果と比較して大きい結果を生成する場合、受信デバイスは、プリアンブルが多元接続モードプリアンブル１７５１に対応すると判断する。他方、一実施形態において、ノーマルガードインターバルを用いるＨＥＷ‐ＳＩＧＡフィールドの自己相関がロングガードインターバルを有するＨＥＷ‐ＳＩＧＡフィールドの自己相関の結果と比較して大きい結果を生成した場合、受信デバイスは、プリアンブルが標準モードプリアンブル１７０１に対応すると判断する。
【０１２６】
再び図１７Ｂを参照すると、一実施形態においてプリアンブル１７５１は、レガシクライアント局がデータユニット１７５０の持続時間を判断し、および／またはデータユニットがレガシ通信プロトコルに準拠しないと判断できるようにフォーマットされる。更に、一実施形態において、プリアンブル１７５１は、データユニットがＨＥＷ通信プロトコルに準拠することを、ＨＥＷプロトコルに準拠して動作するクライアント局が判断できるようにフォーマットされる。例えば、Ｌ‐ＳＩＧ１７５４および／またはＬ‐ＬＴＦ２  １７５６および／またはＨＥＷ‐ＳＩＧＡ１７５２等、プリアンブル１７５１のＬ‐ＳＩＧ１６０６の直ぐ後の少なくとも２つのＯＦＤＭシンボルが、ＢＰＳＫ変調を用いて変調される。この場合、一実施形態において、レガシクライアント局は、データユニット１７５０をレガシデータユニットとして処理し、Ｌ‐ＳＩＧ１６０６に基づいてデータユニットの持続時間を判断し、判断される持続時間中に媒体にアクセスするのを控える。更に、一実施形態において、ＨＥＷ‐ＳＩＧ１７５２のうちの１または複数等、プリアンブル１７５１の１または複数の他のＯＦＤＭシンボルは、Ｑ‐ＢＰＳＫ変調を用いて変調され、データユニット１７５０がＨＥＷ通信プロトコルに準拠していることを、ＨＥＷ通信プロトコルに準拠して動作するクライアント局が検出することを可能にする。
【０１２７】
いくつかの実施形態において、ＨＥＷ通信プロトコルは、ビーム形成および／またはマルチユーザＭＩＭＯ（ＭＵ‐ＭＩＭＯ）送信を可能にする。引き続き図１７Ｂを参照すると、プリアンブル１７５１がＨＥＷ‐ＳＴＦ１７５８およびＨＥＷ‐ＬＴＦ１７６０を含む実施形態において、ＡＰ１４は、ＨＥＷ‐ＳＴＦ１７５８を開始するビーム形成および／またはマルチユーザ送信を適用する。換言すれば、一実施形態において、プリアンブル１７５１の複数のフィールドは、ＨＥＷ‐ＳＴＦ１７５８に先行し、オムニ指向性であり、マルチユーザモードでデータユニット１７５０の全ての意図された受信者により受信されることを意図するが、ＨＥＷ‐ＳＴＦフィールド１７５８、ならびにＨＥＷ‐ＳＴＦフィールド１７５８に続く複数のプリアンブルフィールド、およびプリアンブル１７５１に続くデータ部分はビーム形成され、および／またはデータユニット１７５０の意図された異なる受信者により受信されることを意図した異なる複数の部分を含む。一実施形態において、ＨＥＷ‐ＳＩＧＢフィールド１７６２は、ＭＵ‐ＭＩＭＯモードのデータユニット１７５０の意図された複数の受信者についてのユーザ固有情報を含む。ＨＥＷ‐ＳＩＧＢフィールド１７６２は、実施形態に応じて、標準モードまたは多元接続モードを用いて生成される。同様に、ＨＥＷ‐ＳＴＦ１７５８は、実施形態に応じて、標準モードまたは多元接続モードを用いて生成される。一実施形態において、ＨＥＷ‐ＳＴＦ１７５８に用いられるトレーニングシーケンスは、ＩＥＥＥ８０２．１１ａｃプロトコル等、レガシ通信プロトコルにおいて規定されたシーケンスである。
【０１２８】
いくつかの実施形態において、レシーバデバイスは、ＨＥＷ‐ＳＴＦフィールド１７５８を用いて、データ部分７１６を受信する自動利得制御（ＡＧＣ）処理を再度開始する。一実施形態において、ＨＥＷ‐ＳＴＦは、ＶＨＴ‐ＳＴＦと同一の持続時間（すなわち４マイクロ秒）を有する。複数の他の実施形態において、ＨＥＷ‐ＳＴＦは、ＶＨＴ‐ＳＴＦよりも長い持続時間を有する。一実施形態において、ＨＥＷ‐ＳＴＦは、周波数領域において４つのトーン毎に１つのゼロでないトーンが存在し、ＩＥＥＥ８０２．１１ａｃと同一のトーンの間隔を用いるように、ＶＨＴ‐ＳＴＦと同一の時間領域の周期性を有する。１／Ｎのトーンの間隔を有する複数の他の実施形態において、ＨＥＷ‐ＳＴＦは、４×Ｎトーン毎に１つのゼロでないトーンを有する。データユニットの全帯域幅が２０ＭＨｚよりも大きい（例えば、４０ＭＨｚ、８０ＭＨｚ等）複数の実施形態において、ＨＥＷ‐ＳＴＦは、ＩＥＥＥ８０２．１１ａｃにおけるものと同一のより広い帯域幅のＶＨＴ‐ＳＴＦ（すなわち、４０ＭＨｚ、８０ＭＨｚ、１６０ＭＨｚ等の全帯域幅に対する２０ＭＨｚのＶＨＴ‐ＳＴＦの複製）を用いる。
【０１２９】
図２０Ａは、一実施形態による、多元接続モードデータユニット２０００を図示するブロック図である。データユニット２０００は、多元接続モードプリアンブル２００１を含む。一般に、多元接続モードプリアンブル２００１は、プリアンブル１７５１のＬ‐ＳＩＧ１６０６および二次Ｌ‐ＳＩＧ１７５４が組み合わされて、プリアンブル２００１における単一のＬ‐ＳＩＧフィールド２００６になっていることを除き、図１７Ｂの多元接続モードプリアンブル１７５１に類似する。図２０Ｂは、一実施形態によるＬ‐ＳＩＧフィールド２００６を図示する図である。図２０Ｂの実施形態において、Ｌ‐ＳＩＧフィールド２００６は、ダブルガードインターバル２０１０と、プリアンブル１７５１におけるＬ‐ＳＩＧフィールド１６０６の内容を含む第１のＬ‐ＳＩＧフィールド２０１２と、プリアンブル１７５１における二次Ｌ‐ＳＩＧ２フィールド１７５４の内容を含む第２のＬ‐ＳＩＧフィールド２０１４とを含む。様々な実施形態において、Ｌ‐ＳＩＧフィールド２００６は、図１７ＢのＬ‐ＳＩＧフィールド１６０６、１７５４に関して上述されたように、固定値に設定されるか、または変数値に設定された長さサブフィールドを含む。様々な実施形態において、Ｌ‐ＳＩＧフィールド２００６の冗長（反復される）ビットは、図１７ＢのＬ‐ＳＩＧフィールド１６０６、１７５４に関する上述の改善されたチャネル推定に用いられる。
【０１３０】
一実施形態において、データユニット２０００を受信するレガシクライアント局は、Ｌ‐ＳＩＧフィールド２００６がノーマルガードインターバルを含むものと想定する。図２０Ｃに図示されるように、本実施形態では、レガシクライアント局において想定される複数のＬ‐ＳＩＧ情報ビット用のＦＦＴウィンドウは、実際のＬ‐ＳＩＧフィールド２０１２と比較してシフトされる。一実施形態において、レガシクライアント局により予期されたようにＦＦＴウィンドウ内の複数のコンスタレーションポイントがＢＰＳＫ変調に対応することを確実にして、従ってレガシクライアント局がＬ‐ＳＩＧフィールド２０１２を適切にデコードすることを可能にするべく、Ｌ‐ＳＩＧフィールド２０１２の変調は、標準のＢＰＳＫ変調に対して位相シフトされる。例えば、２０ＭＨｚのＯＦＤＭシンボルにおいて、ノーマルガードインターバルが０．８μｓであり、ダブルガードインターバルが１．６μｓである場合、Ｌ‐ＳＩＧフィールド２０１２のＯＦＤＭトーンｋの変調は、次式から見られ得る元のＬ‐ＳＩＧの対応するＯＦＤＭトーンｋに対してシフトされる。
【数１】
0006508838.tif 000002
【０１３１】
従って一実施形態において、Ｌ‐ＳＩＧフィールド２０１２は、標準ＢＰＳＫではなく反転Ｑ‐ＢＰＳＫを用いて変調される。従って、一実施形態において、例えばビット値１は−ｊに変調され、ビット値０はｊに変調されて、標準の｛１，−１｝ＢＰＳＫ変調ではなく｛ｊ，−ｊ｝変調をもたらす。一実施形態において、Ｌ‐ＳＩＧフィールド２０１２の反転Ｑ‐ＢＰＳＫ変調の結果として、レガシクライアント局は、Ｌ‐ＳＩＧフィールド２０１２を適切にデコードし、一実施形態において、Ｌ‐ＳＩＧ２０１２フィールドに基づいてデータユニット２０００の持続時間を判断し得る。他方、一実施形態においてＨＥＷプロトコルに準拠して動作するクライアント局は、Ｌ‐ＳＩＧフィールド２０１２の反復を検出し、またはレガシクライアント局のＦＦＴウィンドウ内におけるＬ‐ＳＩＧフィールドの反転Ｑ‐ＢＰＳＫ変調を検出することにより、プリアンブル２００１が多元接続モードプリアンブルであることを自動検出し得る。あるいは他の実施形態において、ＨＥＷプロトコルに準拠して動作するクライアント局は、ＨＥＷ‐ＳＩＧＡフィールド１７５２の変調またはフォーマットに基づく等、上述の複数の他の検出方法を用いて、プリアンブル２００１が多元接続モードプリアンブルであることを検出する。
【０１３２】
図１７Ａ〜図１７Ｂおよび図２０Ａを参照すると、いくつかの実施形態においてロングガードインターバルは、標準モードプリアンブル（例えばプリアンブル１７０１）および多元接続モードプリアンブル（例えばプリアンブル１７５１またはプリアンブル２００１）の双方の最初のＯＦＤＭシンボルに用いられる。例えば、図１７Ａ〜図１７Ｂを参照すると、一実施形態において、Ｌ‐ＳＴＦフィールド１６０４、Ｌ‐ＬＴＦフィールド１６０５およびＬ‐ＳＩＧフィールド１６０６、１７５４、ならびにＨＥＷ‐ＳＩＧＡフィールド１７５２は、ロングガードインターバルを用いて各々生成される。同様に、図２０Ａを参照すると、一実施形態において、Ｌ‐ＳＴＦフィールド１６０４、Ｌ‐ＬＴＦフィールド１６０５、Ｌ‐ＳＩＧフィールド２００６、およびＨＥＷ‐ＳＩＧＡフィールド１７５２は、ロングガードインターバルを用いて生成される。一実施形態において、受信デバイスは、様々な実施形態におけるＨＥＷ‐ＳＩＧＡフィールド１７５２の変調（例えばＱ‐ＢＰＳＫ）に基づき、またはＨＥＷ‐ＳＩＧＡフィールド１７５２に含まれる指示に基づいて、プリアンブルが標準モードプリアンブルに対応するか、または多元接続モードプリアンブルに対応するかを判断し得る。更に、図１７Ｂのプリアンブル１７５１と同様に、図２０Ａのプリアンブル２００１は、実施形態および／またはシナリオに応じて第２のＬ‐ＬＴＦ２フィールド１７５６を含み、あるいは省略する。
【０１３３】
図２１は、一実施形態による、ＨＥＷ‐ＳＩＧＡフィールド２１００のフォーマットを図示するブロック図である。いくつかの実施形態において、データユニット１７５０またはデータユニット２０００のＨＥＷ‐ＳＩＧＡフィールド１７５２は、ＨＥＷ‐ＳＩＧＡフィールド２１００としてフォーマットされる。いくつかの実施形態において、ＨＥＷ‐ＳＩＧＡフィールド１７０８は、ＨＥＷ‐ＳＩＧＡフィールド２１００としてフォーマットされる。ＨＥＷ‐ＳＩＧＡフィールド２１００は、ダブルガードインターバル２１０２、ＨＥＷ‐ＳＩＧＡフィールド２１０４の第１の反復、およびＨＥＷ‐ＳＩＧＡフィールド２１０６の第２の反復を含む。例示的な実施形態において、ＤＧＩは１．８μｓであり、ＨＥＷ‐ＳＩＧＡの各反復は３．２μｓである。一実施形態において、ＨＥＷ‐ＳＩＧＡフィールド２１００における反復される複数のビットは、ＨＥＷ‐ＳＩＧＡフィールド２１００のデコードの信頼性を高めるべく用いられる。一実施形態において、ＨＥＷ‐ＳＩＧＡフィールド２１００のフォーマットは、ＨＥＷ‐ＳＩＧＡフィールド２１００のフォーマットを用いるプリアンブルのＨＥＷ‐ＳＩＧＡフィールドの自己相関と標準モードで用いられる標準ＨＥＷ‐ＳＩＧＡフィールドフォーマットを用いるプリアンブルのＨＥＷ‐ＳＩＧＡフィールドの自己相関との間の比較に基づいて、多元接続モードプリアンブルを自動検出するべく用いられる。
【０１３４】
図２２は、別の実施形態による、例示的なダウンリンクＯＦＤＭＡデータユニット２２００のブロック図である。図２２において、一実施形態によれば８０ＭＨｚの通信チャネルは、４つの隣接ＯＦＤＭトーンブロック２２４１、２２４２、２２４３および２２４４に分割されている。ＯＦＤＭトーンブロック２２４１およびＯＦＤＭトーンブロック２２４２は隣接しており、各々は１０ＭＨｚの帯域幅を有し、従ってＯＦＤＭトーンブロック２２４１およびＯＦＤＭトーンブロック２２４２は共に、レガシＷＬＡＮ通信プロトコルの最小チャネル帯域幅（すなわち、２０ＭＨｚのレガシトーンブロック）に等しい帯域幅にわたる。ＯＦＤＭトーンブロック２２４３は、２０ＭＨｚの帯域幅を有する。ＯＦＤＭトーンブロック２２４４は、４０ＭＨｚの帯域幅にわたる。ＯＦＤＭトーンブロック２２４２および２２４４は、２つのクライアント局ＳＴＡ２およびＳＴＡ３に対する独立したデータストリームに各々割り当てられ、またこれらを含む。本明細書において説明されるように、ＯＦＤＭトーンブロック２２４１および２２４３は、ＯＦＤＭトーンブロック２２４２により周波数において分離されており、クライアント局ＳＴＡ１のためのデータストリームの複数の部分に割り当てられて、これらを含み、チャネル結合技術を用いる。
【０１３５】
一実施形態において、ＯＦＤＭＡデータユニット２２００、従って各ＯＦＤＭデータユニット２２４１、２２４２、２２４３、および２２４４は、プリアンブル部分２２０１およびデータ部分１６１６（例えば、対応するクライアント局に対するデータフィールド）を含む。複数の他の実施形態において、複数のＯＦＤＭデータユニットの少なくともいくつかは、データ部分１６１６を省略する。一実施形態において、各ＯＦＤＭデータユニットのプリアンブル部分２２０１は、少なくともレガシ部分２２０２および非レガシ部分２２０３を含む。一般に、レガシ部分２２０２および非レガシ部分２２０３は、図１６のＯＦＤＭデータユニット１６４０のレガシ部分１６０２および非レガシ部分１６０３と各々同一である。
【０１３６】
一実施形態において、通信チャネルの２０ＭＨｚの各サブバンド（すなわち、レガシトーンブロック）は、レガシクライアント局が２０ＭＨｚのサブバンドに対するＬ‐ＳＩＧフィールド１６０６を適切にデコードし得るようにＬ‐ＳＴＦ１６０４、Ｌ‐ＬＴＦ１６０５、およびＬ‐ＳＩＧ１６０６を有するレガシ部分２２０２を含む。図２２の実施形態において、第１のレガシトーンブロック２２６１は、ＯＦＤＭトーンブロック２２４１および２２４２にわたり、第２のレガシトーンブロック２２６２は、ＯＦＤＭトーンブロック２２４３にわたり、第３のレガシトーンブロック２２６３は、ＯＦＤＭトーンブロック２２４４の部分２２４４‐１にわたり、第４のレガシトーンブロック２２６４は、ＯＦＤＭトーンブロック２２４４の部分２２４４‐２にわたる。一実施形態において、ＯＦＤＭデータユニット２２４１および２２４２のレガシ部分２２０２は、同一の２０ＭＨｚのサブバンド（すなわち、レガシトーンブロック２２６１）にわたり、従って周波数において重複する。本実施形態において、ＯＦＤＭデータユニット２２４１および２２４２は、同一のレガシ部分２２０２を用いる。
【０１３７】
一実施形態において、各レガシトーンブロック２２６１、２２６２、２２６３、および２２６４に対応するＬ‐ＳＩＧフィールド１６０６は、各レガシトーンブロック内の複数のＯＦＤＭデータユニットに対する持続時間を示す。いくつかの実施形態において、ＯＦＤＭＡデータユニット２２００の各レガシトーンブロックに対応するＬ‐ＳＩＧフィールド１６０６は同一の値を有し、例えば複数の対応するＯＦＤＭデータユニットは、（例えば、ＯＦＤＭシンボルパディングの結果として）同一の持続時間を有する。複数の他の実施形態において、複数のレガシトーンブロックのＬ‐ＳＩＧフィールド１６０６は、少なくともいくつかの異なる値を有する。チャネル結合が用いられ、クライアント局が複数のＯＦＤＭトーンブロックに割り当てられる一実施形態において、同一のクライアント局に割り当てられた複数のＯＦＤＭトーンブロックを含む異なる２０ＭＨｚのサブバンドに対応するＬ‐ＳＩＧフィールドは、クライアント局によりデコードされた各Ｌ‐ＬＥＮＧＴＨ値が同一のパケット持続時間を示すように同一のＬ‐ＬＥＮＧＴＨ値を有する。例えば図２２の実施形態において、ＯＦＤＭデータユニット２２４１および２２４３におけるＬ‐ＳＩＧフィールド１６０６のＬ‐ＬＥＮＧＴＨ値は、同一の値を示す。
【０１３８】
いくつかの実施形態において、レガシトーンブロック２２６１、２２６２、２２６３、および２２６４の少なくともレガシ部分２２０２は、レガシトーンプランを用いて変調される。一実施形態において、ＯＦＤＭＡデータユニット２２００における少なくとも１つのＯＦＤＭトーンブロックの非レガシ部分２２０３およびデータ部分１６１６は、非レガシトーンプラン（すなわち、レガシトーンプランと異なるトーンプラン）を用いて変調される。例えば、一実施形態において、２０ＭＨｚよりも小さい帯域幅にわたるＯＦＤＭトーンブロックに対応する非レガシ部分２２０３およびデータ部分１６１６は、非レガシトーンプランを用いて変調される。図２２の実施形態において、ＯＦＤＭトーンブロック２２４１およびＯＦＤＭトーンブロック２２４２は各々、１０ＭＨｚの帯域幅にわたり、従って非レガシ部分２２０３に対応する。複数のデータ部分１６１６は、図８に関して説明されたトーンプラン８００のような非レガシトーンプランを用いて変調される。複数の他の実施形態において、レガシ部分２２０２および非レガシ部分２２０３は、レガシトーンプランを用いて変調されるが、データ部分１６１６は、非レガシトーンプランを用いて変調される。一実施形態において、非レガシ部分２２０３におけるＨＥＷ‐ＳＩＧＡフィールド１６０８のうちの少なくともいくつかのＯＦＤＭシンボルは、レガシトーンプランを用いて変調され、従ってＨＥＷ‐ＳＩＧＡフィールド１６０８は、ＯＦＤＭトーンブロック２２４１および２２４２に対応する複数のＯＦＤＭデータユニットにより共有される。
【０１３９】
図２３は、一実施形態による、低減されたトーンの間隔を用いる例示的なダウンリンクＯＦＤＭＡデータユニット２３００のブロック図である。トーンの間隔は、ＯＦＤＭトーンブロックの複数のサブキャリア周波数の間で離間される。一般に、ＯＦＤＭＡデータユニット２３００はＯＦＤＭＡデータユニット２２００と同一である。しかし、一実施形態において少なくともいくつかのＯＦＤＭトーンブロックは、対応するＯＦＤＭデータユニットの少なくとも一部に対して低減されたトーンの間隔を用いる。図２３の実施形態において、（ＯＦＤＭトーンブロック２２４１およびＯＦＤＭトーンブロック２２４２に代えて）第１のＯＦＤＭトーンブロック２３４１および第２のＯＦＤＭトーンブロック２３４２が、低減されたトーンの間隔を用いる。複数の他の実施形態において、ＯＦＤＭＡデータユニット２３００は、ＯＦＤＭＡデータユニット２３００の少なくとも一部に対する各ＯＦＤＭトーンブロックに低減されたトーンの間隔を用いる。
【０１４０】
図２３の実施形態において、第１のレガシトーンブロック２３６１は、ＯＦＤＭトーンブロック２３４１およびＯＦＤＭトーンブロック２３４２にわたる。いくつかの実施形態において、レガシトーンブロック２３６１、２２６２、２２６３および２２６４の少なくともレガシ部分２２０２は、例えばＩＥＥＥ８０２．１１ａｃに準拠するレガシトーンの間隔（すなわち、複数のトーン間の３１２．５ｋＨｚの離間）を用いて変調される。一実施形態において、ＯＦＤＭＡデータユニット２３００における少なくとも１つのＯＦＤＭトーンブロックの非レガシ部分２２０３およびデータ部分１６１６は、レガシトーンの間隔と比較して低減されたトーンの間隔を用いて変調される。一実施形態において、ＨＥＷ‐ＳＩＧＡフィールド１６０８および／またはＨＥＷ‐ＳＴＦ１６１０のような非レガシ部分２２０３の少なくともいくつかのＯＦＤＭシンボルは、レガシトーンの間隔を用いて変調され、従ってＨＥＷ‐ＳＩＧＡフィールド１６０８は、ＯＦＤＭトーンブロック２３４１およびＯＦＤＭトーンブロック２３４２に対応する複数のＯＦＤＭデータユニットにより共有される。いくつかの実施形態において、ＯＦＤＭトーンブロック２３４１および２３４２に対応する複数のＯＦＤＭデータユニットは、図２２に関して上記されたように、非レガシトーンの間隔と組み合わせて非レガシトーンプランを用いる。
【０１４１】
いくつかの実施形態において、例えばレガシトーンブロックのための標準モード（すなわち、２０ＭＨｚ）は、６４ポイントの離散フーリエ変換（ＤＦＴ）を用いて６４個のＯＦＤＭトーン（例えば、トーンインデックス−３２〜＋３１）をもたらすが、ＯＦＤＭＡデータユニット２３００における少なくともいくつかのＯＦＤＭトーンブロックは、レガシトーンブロックにおける少なくともいくつかのＯＦＤＭシンボルに１２８ポイントのＤＦＴを用いて、同一の帯域幅において１２８個のＯＦＤＭトーン（例えば、インデックス−６４〜＋６３）をもたらす。この場合、トーンの間隔は、同一のトーンプランを用いつつ、標準モードＯＦＤＭシンボルと比較して２分の１（１／２）だけ低減される。別の例として、レガシトーンブロックのための標準モードは、６４ポイントの離散フーリエ変換（ＤＦＴ）を用いて、６４個のＯＦＤＭトーンをもたらすが、ＯＦＤＭＡデータユニット２３００は、レガシトーンブロックにおける少なくともいくつかのＯＦＤＭシンボルに２５６ポイントのＤＦＴを用いて、同一の帯域幅の２５６個のＯＦＤＭトーンをもたらす。この場合、トーンの間隔は、標準モードＯＦＤＭシンボルと比較して４分の１（１／４）だけ低減される。複数のそのような実施形態において、例えば１．６μｓのロングガードインターバルの持続時間が用いられる。しかし、一実施形態において、多元接続モードＯＦＤＭシンボルにおける情報部分の持続時間は、（例えば３．２μｓ〜６．４μｓに）増大し、全ＯＦＤＭシンボルの持続時間に対するガードインターバル部分の持続時間に対するパーセンテージは、依然として同一である。従ってこの場合に、より長いガードインターバルシンボルによる効率性のロスは、少なくともいくつかの実施形態において回避される。様々な実施形態において、本明細書において用いられる「ロングガードインターバル」という用語は、増大されたガードインターバルの持続時間およびガードインターバルの持続時間を実質的に増大させる減少されたＯＦＤＭトーンの間隔を含む。複数の他の実施形態において、４ｘ、８ｘ等の他の倍数、または他の好適な複数の値が低減されたトーンの間隔に用いられる。
【０１４２】
いくつかの実施形態において、ＯＦＤＭＡデータユニット２３００は、距離延長モードと組み合わせた低減されたトーンの間隔を用いる。一実施形態において、距離延長モードは、比較的長いチャネル遅延広がり（例えば、屋外通信チャネル）または一般により低いＳＮＲ値を特徴とする複数の通信チャネルと共に用いられる。一実施形態において、距離延長モードは、距離延長符号化スキーム（例えば、ブロックエンコード、ビット単位の複製、またはシンボル複製）、信号変調スキーム（例えば、位相偏移変調または直交振幅変調）、または距離延長符号化スキームおよび信号変調スキームの双方に対応する。距離延長モードは、第２のモード（例えば、標準符号化スキームを用いる標準モード）と比較して距離を増大させ、および／または信号雑音（ＳＮＲ）比を低減するように構成され、このＳＮＲで、距離延長モードに準拠するＰＨＹデータユニットの首尾よいデコードが実行される。様々な実施形態において、距離延長モードは、標準モードと比較して送信のデータレートを低減し、増大した距離および／または低減したＳＮＲ比の首尾よいデコードを実現する。
【０１４３】
いくつかの実施形態において、ＯＦＤＭＡデータユニット２３００は、標準モード、多元接続モード、および距離延長モードのいずれかをサポートする。一実施形態において、ＯＦＤＭＡデータユニット２３００は、標準モード、多元接続モード、距離延長モード、および多元接続モードと組み合わせた距離延長モードのいずれかをサポートする。一実施形態において、ＯＦＤＭＡデータユニット２３００によりサポートされる少なくともいくつかのモードは、図１６に関して上記されたＯＦＤＭＡインジケータ１６５０のようなモードインジケータにより受信デバイスに示される。別の実施形態において、少なくともいくつかのモードは、図１７Ａ、図１７Ｂ、図１８Ａ、図１８Ｂ、図１９Ａ、図１９Ｂ、図２０Ａ、図２０Ｂ、図２０Ｃ、または図２１に関して上記されたようにプリアンブル部分２２０１の異なるフォーマットにより受信デバイスに示される。
【０１４４】
図２４は、一実施形態による、例示的なアップリンクＯＦＤＭＡデータユニット２４００のブロック図である。一般に、ＯＦＤＭＡデータユニット２４００は、ＯＦＤＭＡデータユニット２２００と同一である。しかし、一実施形態においてＯＦＤＭＡデータユニット２４００の第１の部分２４５１は、第１のクライアント局により生成して送信され、ＯＦＤＭＡデータユニット２４００の第２の部分２４５２は、アクセスポイントによる受信のために第２のクライアント局により生成して送信される。いくつかの実施形態において、ＨＥＷ‐ＳＩＧＡフィールド１６０８内のＯＦＤＭＡインジケータ１６５０および／または他の複数のサブフィールドは省略されており、例えばＡＰは、既に決定された対応する複数のＰＨＹパラメータを有する。
【０１４５】
図２４に示される実施形態において、通信チャネルは、レガシトーンブロック２４６１（すなわち、２０ＭＨｚ）にわたり、２つの隣接ＯＦＤＭトーンブロック２４４１および２４４２に分割され、その各々は１０ＭＨｚのサブバンドにわたる。一実施形態において、ＯＦＤＭトーンブロック２４４１は、クライアント局ＳＴＡ１（例えば、クライアント２５‐１）からのデータストリームの一部に割り当てられ（すなわち、ＡＰ１４により）、またこれを含み、ＯＦＤＭトーンブロック２４４２は、クライアント局ＳＴＡ２（例えば、クライアント２５‐２）からのデータストリームの一部に割り当てられ、またこれを含む。例えば、一実施形態においてクライアント２５‐１およびクライアント２５‐２は、図１６に関して上記されたようにＯＦＤＭＡグループのメンバである。複数の他の実施形態において、通信チャネルは、図７Ａ、図７Ｂ、図７Ｃ、図９Ａ、図９Ｂ、図１４Ａ、または図１４Ｂに関して上記されたように、４０ＭＨｚ、８０ＭＨｚ、１６０ＭＨｚの帯域幅、または他の好適な帯域幅を有し、好適な数のクライアント局のために分割されている。
【０１４６】
一実施形態において、ＯＦＤＭＡグループの各クライアント局は、対応する割り当てＯＦＤＭトーンブロックを決定する。いくつかの実施形態において、クライアント局は、ＡＰ１４から受信され、どのＯＦＤＭトーンブロックが特定のクライアント局に割り当てられているかの指示等、複数のＰＨＹパラメータを含む同期フレームに基づいて、対応する割り当てＯＦＤＭトーンブロックを決定する。一実施形態において、ＯＦＤＭＡグループの各クライアント局は、同期フレームの受信に続く短フレーム間スペース（ＳＩＦＳ）の後のＯＦＤＭＡデータユニット２４００の対応する部分を送信する。
【０１４７】
図２５Ａは、ＯＦＤＭＡデータユニット２４００の第１の部分２４５１等、例示的なアップリンクＯＦＤＭデータユニット部分のブロック図である。いくつかの実施形態において、クライアント局２５‐１は、図１０、図１１、図１２、図１３、図１４Ａ、図１４Ｂ、１５Ａ、および図１５Ｂに関して上記されたＯＦＤＭＡデータユニット２４００の第１の部分２４５１を生成して送信する、ＰＨＹ処理ユニット１０００、１１００、１２００、１３００、１５００および／または１５５０等のＰＨＹ処理ユニットを含む。図２５Ｂは、一実施形態による、ＯＦＤＭＡデータユニット２４００の第２の部分２４５２等、別の例示的なアップリンクＯＦＤＭデータユニット部分のブロック図である。いくつかの実施形態において、クライアント局２５‐２は、図１０、図１１、図１２、図１３、図１４Ａ、図１４Ｂ、１５Ａ、および図１５Ｂに関して上記されたＯＦＤＭＡデータユニット２４００の第２の部分２４５２を生成して送信する、ＰＨＹ処理ユニット１０００、１１００、１２００、１３００、１５００および／または１５５０等のＰＨＹ処理ユニットを含む。
【０１４８】
いくつかの実施形態において、クライアント局２５‐１は、第１のＯＦＤＭトーンブロック２４４１内で複数のデータトーンおよびパイロットトーンを用いて通信チャネル上で送信するための第１の部分２４５１を生成し、クライアント局２５‐２は、第２のＯＦＤＭトーンブロック２４４２の内部で複数のデータトーンおよびパイロットトーンを用いて通信チャネル上で送信ための第２の部分２４５２を生成する。一実施形態において、クライアント局２５‐１は、第１のＯＦＤＭトーンブロック２４４１および第２のＯＦＤＭトーンブロック２４４２の内部で複数のデータトーンおよびパイロットトーンを用いて第１の部分２４５１を生成して送信する。例えば一実施形態において、クライアント局２５‐１は、第１のＯＦＤＭトーンブロック２４４１および第２のＯＦＤＭトーンブロック２４４２を用いてレガシ部分２２０２を生成して送信し、第１のＯＦＤＭトーンブロック２４４１のみを用いて非レガシ部分２２０３およびデータ部分１６１６を生成して送信する。一実施形態において、クライアント局２５‐２は、第１のＯＦＤＭトーンブロック２４４１および第２のＯＦＤＭトーンブロック２４４２の内部で複数のデータトーンおよびパイロットトーンを用いて第２の部分２４５２を生成して送信する。例えば一実施形態において、クライアント局２５‐２は、第１のＯＦＤＭトーンブロック２４４１および第２のＯＦＤＭトーンブロック２４４２を用いてレガシ部分２２０２を生成して送信し、第２のＯＦＤＭトーンブロック２４４２のみを用いて非レガシ部分２２０３およびデータ部分１６１６を生成して送信する。
【０１４９】
一実施形態において、第１の部分２４５１および第２の部分２４５２の各々は、第１のＯＦＤＭトーンブロック２４４１および第２のＯＦＤＭトーンブロック２４４２の双方にわたるレガシ部分２２０２を含み、従って周波数において重複する。一実施形態において、第１の部分２４５１第２の部分２４５２のレガシ部分２２０２は同一であり、従ってＡＰ１４は、クライアント局２５‐１およびクライアント局２５‐２が各レガシ部分２２０２を送信するときに実質的に同一の信号を受信する。一実施形態において、第１の部分２４５１の非レガシ部分２２０３およびデータ部分１６１６は、第１のＯＦＤＭトーンブロック２４４１のみにわたり、第２の部分２４５２の非レガシ部分２２０３およびデータ部分１６１６は、第２のＯＦＤＭトーンブロック２４４２のみにわたり、従って周波数において重複しない。
【０１５０】
一実施形態において、クライアント局２５‐１は、同一の１トーン当たりの送信電力を用いてレガシ部分２２０２、非レガシ部分２２０３、およびデータ部分１６１６を送信するように構成されている。そのような一実施形態において、レガシ部分２２０２の総電力は、非レガシ部分２２０３およびデータ部分１６１６の総電力のおよそ２倍である。いくつかの実施形態において、クライアント局２５‐１は、同一の全送信電力を用いてレガシ部分２２０２、非レガシ部分２２０３、およびデータ部分１６１６を送信するように構成されている。そのような一実施形態において、非レガシ部分２２０３およびデータ部分１６１６の１トーン当たりの電力は、レガシ部分２２０２の１トーン当たりの電力のおよそ２倍である（すなわち、半分のトーンのみを用いるため）。本実施形態において、ＡＰ１４（または他の好適な受信デバイス）は、ＯＦＤＭＡデータユニット２４００を復調する前に１トーン当たりの電力における差を補償し、例えばＬ‐ＬＴＦベースのチャネル推定は、振幅変調信号（すなわち、ＨＥＷ‐ＬＴＦフィールドを省略するグリーンフィールド送信）を復調するべく用いられる。
【０１５１】
図２６Ａは、一実施形態による、レガシデータユニット２６４３を含む例示的なＯＦＤＭＡデータユニット２６００のブロック図である。一般に、ＯＦＤＭＡデータユニット２６００は、ＯＦＤＭＡデータユニット２２００と同一である。しかし、一実施形態においてＯＦＤＭトーンブロック２２６２は、ＯＦＤＭデータユニット２２４３に代えてレガシＯＦＤＭデータユニット２６４３に対応する。明確にするべく、非レガシ部分２２０３は単一のプリアンブル部分として示されている。一実施形態において、レガシＯＦＤＭデータユニット２６４３は、ＩＥＥＥ８０２．１１ａｃのようなレガシ通信プロトコルに実質的に準拠する。いくつかの実施形態において、データ部分１６１６は、レガシＯＦＤＭデータユニット２６４３がＯＦＤＭデータユニット２２４１、２２４２および２２４４と同一の数のＯＦＤＭシンボルを有するように複数のパディングＯＦＤＭシンボルを含む。
【０１５２】
図２６Ｂは、別の実施形態による、レガシデータユニット２６６３を含む例示的なＯＦＤＭＡデータユニット２６５０のブロック図である。一般に、ＯＦＤＭＡデータユニット２６５０は、ＯＦＤＭＡデータユニット２２００と同一である。しかし、一実施形態においてＯＦＤＭトーンブロック２２６２は、ＯＦＤＭデータユニット２２４３に代えてレガシＯＦＤＭデータユニット２６６３に対応する。明確にするべく、非レガシ部分２２０３は単一のプリアンブル部分として示されている。一実施形態において、レガシＯＦＤＭデータユニット２６６３は、ＩＥＥＥ８０２．１１ａまたはＩＥＥＥ８０２．１１ｎのようなレガシ通信プロトコルに実質的に準拠する。いくつかの実施形態において、データ部分１６１６は、パディングＯＦＤＭシンボルを含まない。なぜなら、レガシ通信プロトコルはシンボルパディングをサポートしないからである。
【０１５３】
図２７Ａ、図２７Ｂ、図２７Ｃ、および図２７Ｄは、様々な実施形態によるＯＦＤＭＡデータユニット用のショートトレーニングシーケンスの例示的な図である。一実施形態において、ショートトレーニングシーケンス２７０１は、ＯＦＤＭデータユニット２２４３のＨＥＷ‐ＳＴＦ１６１０等、２０ＭＨｚのサブバンドにわたるＨＥＷ‐ＳＴＦ１６１０に対するトレーニングシーケンスである。一実施形態において、図２５ＡのＯＦＤＭトーンブロック２４４１および２４４２に対応するＨＥＷ‐ＳＴＦ１６１０のような２０ＭＨｚより小さいサブバンドにわたるＨＥＷ‐ＳＴＦ１６１０は、ショートトレーニングシーケンス２７０１の複数の対応するトーン（すなわち、ＯＦＤＭトーンブロック２４４１に対する「上方の」トーンおよびＯＦＤＭトーンブロック２４４２に対する「下方の」トーンブロック）のみを用いる。一実施形態において、ショートトレーニングシーケンス２７０２は、ＯＦＤＭデータユニット２２４４のＨＥＷ‐ＳＴＦ１６１０等、４０ＭＨｚのサブバンドにわたるＨＥＷ‐ＳＴＦ１６１０に対するトレーニングシーケンスである。一実施形態において、ショートトレーニングシーケンス２７０３は、８０ＭＨｚのサブバンドにわたるＨＥＷ‐ＳＴＦ１６１０に対するトレーニングシーケンスである。一実施形態において、ショートトレーニングシーケンス２７０４は、１６０ＭＨｚのサブバンドにわたるＨＥＷ‐ＳＴＦ１６１０に対するトレーニングシーケンスである。
【０１５４】
図２８は、一実施形態による、ＯＦＤＭＡデータユニットを生成する例示的な方法２８００のフロー図である。図１を参照すると、方法２８００は、一実施形態においてネットワークインターフェース１６により実装される。例えば、そのような一実施形態において、ＰＨＹ処理ユニット２０は、方法２８００を実装するように構成されている。また、別の実施形態によれば、ＭＡＣ処理１８は、方法２８００の少なくとも一部を実装するように構成されている。図１を引き続き参照すると、なおも別の実施形態において、方法２８００は、ネットワークインターフェース２７（例えば、ＰＨＹ処理ユニット２９および／またはＭＡＣ処理ユニット２８）により実装される。複数の他の実施形態において、方法２８００は、複数の他の好適なネットワークインターフェースにより実装される。
【０１５５】
ブロック２８０２において、無線ローカルエリアネットワーク（ＷＬＡＮ）通信チャネルのための複数の異なる直交周波数分割多重（ＯＦＤＭ）トーンブロックは、第１のデバイスおよび第２のデバイスを含む複数のデバイスに割り当てられる。一実施形態において、複数の異なるＯＦＤＭトーンブロックは、第１のデバイスに割り当てられた第１のＯＦＤＭトーンブロックおよび第２のデバイスに割り当てられた第２のＯＦＤＭトーンブロックを少なくとも含む。一実施形態において、第２のＯＦＤＭトーンブロックは、第１のＯＦＤＭトーンブロックに隣接する。一実施形態において、第１のＯＦＤＭトーンブロックおよび第２のＯＦＤＭトーンブロックは共に、レガシＷＬＡＮ通信プロトコルの最小チャネル帯域幅に等しい帯域幅にわたる。単なる図示的な例として、一実施形態において第１のＯＦＤＭトーンブロックおよび第２のＯＦＤＭトーンブロックは共に、２０ＭＨｚにわたる。いくつかの実施形態において、ＷＬＡＮ通信チャネルは、図７Ａ、図７Ｂ、図７Ｃに関して上記された複数の通信チャネル、または複数の他の好適な通信チャネルに対応する。
【０１５６】
ブロック２８０４において、直交周波数分割多元接続（ＯＦＤＭＡ）データユニットは、ＷＬＡＮ通信チャネルに対して生成される。ＯＦＤＭＡデータユニットは、プリアンブル部分およびデータ部分を含み、一実施形態においてプリアンブル部分は、ｉ）ＷＬＡＮ通信チャネル全体にわたる少なくともレガシ部分、ｉｉ）第１のＯＦＤＭトーンブロックにわたる第１の非レガシ部分、およびｉｉｉ）第２のＯＦＤＭトーンブロックにわたる第２の非レガシ部分を有する。いくつかの実施形態において、ＯＦＤＭＡデータユニットは、図１６、図１７Ａ、図１７Ｂ、図２０Ａ、図２２、図２３、図２４、図２６Ａ、図２６Ｂに関して上記されたＯＦＤＭＡデータユニット、または複数の他の好適なＯＦＤＭＡデータユニットに対応する。
【０１５７】
一実施形態において、ＯＦＤＭＡデータユニットを生成する段階は、ｉ）第１のデバイスについて受信された第１のデータを用いるデータ部分の第１のＯＦＤＭデータユニットと、ｉｉ）第２のデバイスについて受信された第２のデータを用いるデータ部分の第２のＯＦＤＭデータユニットとを生成する段階と有する。本実施形態において、ＯＦＤＭＡデータユニットを生成する段階は、ｉ）第１のＯＦＤＭトーンブロックにおける複数のトーン上の第１のＯＦＤＭデータユニットと、ｉｉ）第２のＯＦＤＭトーンブロックにおける複数のトーン上の第２のＯＦＤＭデータユニットとを変調する段階も有する。一実施形態において、第１のデータは、第２のデータから独立している。
【０１５８】
一実施形態において、第１のＯＦＤＭデータユニットおよび第２のＯＦＤＭデータユニットを変調する段階は、ｉ）第１のトーンプランを用いる第１のＯＦＤＭトーンブロックにおける複数のトーンに基づく第１のＯＦＤＭデータユニットと、ｉｉ）第２のトーンプランを用いる第２のＯＦＤＭトーンブロックにおける複数のトーンに基づく第２のＯＦＤＭデータユニットとを変調する段階を有する。いくつかの実施形態において、レガシ部分は、少なくとも第１のトーンプランとは異なるレガシトーンプランを用いて変調される（例えば、図８のトーンプラン８００）。一実施形態において、第１の非レガシトーンプランまたは第２の非レガシトーンプランのうちの１または複数は、ＷＬＡＮ通信チャネルの高速フーリエ変換（ＦＦＴ）幅よりも小さいＦＦＴ幅に対応する。いくつかの実施形態において、ＷＬＡＮ通信チャネルのためのＯＦＤＭＡデータユニットを生成する段階は、ＷＬＡＮ通信チャネルの帯域幅全体にわたるようにＯＦＤＭＡデータユニットを変調する段階を有する。別の実施形態において、第１のＯＦＤＭデータユニットおよび第２のＯＦＤＭデータユニットを変調する段階は、ｉ）複数のトーンおよび対応する低減されたトーンの間隔の整数倍の第１のＯＦＤＭトーンブロックと同一の帯域幅を用いる第１のＯＦＤＭデータユニットと、ｉｉ）複数のトーンおよび対応する低減されたトーンの間隔の整数倍の第２のＯＦＤＭトーンブロックと同一の帯域幅を用いる第２のＯＦＤＭデータユニットとを変調する段階を有する。
【０１５９】
別の実施形態において、第１のＯＦＤＭデータユニットおよび第２のＯＦＤＭデータユニットを生成する段階は、第１のデータを用いる複数の第１のデータトーンおよび第１のＯＦＤＭトーンブロックのための複数の第１のパイロットトーンを生成する段階と、第２のデータを用いる複数の第２のデータトーンおよび第２のＯＦＤＭトーンブロックのための複数の第２のパイロットトーンを別個に生成する段階と、複数の第１のデータトーン、複数の第１のパイロットトーン、複数の第２のデータトーン、および複数の第２のパイロットトーンに逆高速フーリエ変換（ＩＦＦＴ）を共に実行する段階とを有する。
【０１６０】
なおも別の実施形態において、第１のＯＦＤＭデータユニットおよび第２のＯＦＤＭデータユニットを生成する段階は、第１のＯＦＤＭデータユニットおよび第２のＯＦＤＭデータユニットが同一の数のＯＦＤＭシンボルを有するように、少なくとも１つのパディングＯＦＤＭシンボルを含む第２のＯＦＤＭデータユニットを生成する段階を有する。一実施形態において、第２のＯＦＤＭデータユニットに含まれるべきパディングＯＦＤＭシンボルの数は、第１のＯＦＤＭデータユニットのＯＦＤＭシンボルの全数と第２のＯＦＤＭデータユニットのＯＦＤＭシンボルの全数との間の差として決定される。
【０１６１】
一実施形態において、第１のＯＦＤＭデータユニットおよび第２のＯＦＤＭデータユニットを生成する段階は、第１の非レガシ部分のＯＦＤＭシンボルの数および第１のＯＦＤＭデータユニットのＯＦＤＭシンボルの数の合計が第２の非レガシ部分のＯＦＤＭシンボルの数および第２のＯＦＤＭデータユニットのＯＦＤＭシンボルの数の合計に等しくなるように、少なくとも１つのパディングＯＦＤＭシンボルを含む第２のＯＦＤＭデータユニットを生成する段階を有する。
【０１６２】
一実施形態において、第１の非レガシ部分および第２の非レガシ部分は、複数の対応するＯＦＤＭデータユニットがｉ）シングルユーザデータユニット、ｉｉ）複数のデバイスのうちの示されたデバイスによりデコードされるべきマルチユーザ多入力多出力データユニット、またはｉｉｉ）複数のデバイスのうちの示されたデバイスによりデコードされるべきＯＦＤＭＡデータユニットの一部のうちのいずれかであるか否かを示す各グループ識別子（ＩＤ）サブフィールドを有する複数の非レガシ信号フィールドを含む。
【０１６３】
別の実施形態において、第１の非レガシ部分および前記第２の非レガシ部分は、前記第１のＯＦＤＭトーンブロックの前記第１のデバイスに対する前記割り当ておよび前記第２のＯＦＤＭトーンブロックの前記第２のデバイスに対する前記割り当てを示す、各トーンブロック割り当て識別子を有する複数の非レガシ信号フィールドを含む。
【０１６４】
図２９は、別の実施形態による、ＯＦＤＭＡデータユニットを生成する例示的な方法２９００のフロー図である。図１を参照すると、方法２９００は、一実施形態においてネットワークインターフェース１６により実装される。例えば、そのような一実施形態において、ＰＨＹ処理ユニット２０は、方法２９００を実装するように構成されている。また、別の実施形態によれば、ＭＡＣ処理１８は、方法２９００の少なくとも一部を実装するように構成されている。図１を引き続き参照すると、なおも別の実施形態において、方法２９００は、ネットワークインターフェース２７（例えば、ＰＨＹ処理ユニット２９および／またはＭＡＣ処理ユニット２８）により実装される。複数の他の実施形態において、方法２９００は、複数の他の好適なネットワークインターフェースにより実装される。
【０１６５】
一実施形態では、ブロック２９０２において、無線ローカルエリアネットワーク（ＷＬＡＮ）通信チャネルのための複数の異なる直交周波数分割多重（ＯＦＤＭ）トーンブロックは、第１のデバイスおよび第２のデバイスを含む複数のデバイスに割り当てられる。一実施形態において、複数の異なるＯＦＤＭトーンブロックは、第１のデバイスに割り当てられた第１のＯＦＤＭトーンブロックおよび第２のＯＦＤＭトーンブロック、ならびに第２のデバイスに割り当てられた第３のＯＦＤＭトーンブロックを少なくとも含む。第１のＯＦＤＭトーンブロックおよび第２のＯＦＤＭトーンブロックは、少なくとも第３のＯＦＤＭトーンブロックにより周波数において分離されている。いくつかの実施形態において、ＷＬＡＮ通信チャネルは、図７Ａ、図７Ｂ、図７Ｃに関して上記された複数の通信チャネル、または複数の他の好適な通信チャネルに対応する。
【０１６６】
ブロック２９０４において、直交周波数分割多元接続（ＯＦＤＭＡ）データユニットは、ＷＬＡＮ通信チャネルに対して生成される。ＯＦＤＭＡデータユニットは、プリアンブル部分およびデータ部分を含む。一実施形態において、プリアンブル部分は、ｉ）少なくとも第１のＯＦＤＭトーンブロックに対応する第１のレガシ部分、ｉｉ）第２のＯＦＤＭトーンブロックに対応する第２のレガシ部分、ｉｉｉ）第１のＯＦＤＭトーンブロックに対応する第１の非レガシ部分、ｉｖ）第２のＯＦＤＭトーンブロックに対応する第２の非レガシ部分、およびｖ）第３のＯＦＤＭトーンブロックに対応する第３の非レガシ部分を少なくとも含む。本実施形態において、第１のレガシ部分は、少なくとも第１のＯＦＤＭトーンブロック上で変調され、第１の非レガシ部分は、第１のＯＦＤＭトーンブロック上で変調され、第２のレガシ部分は、少なくとも第２のＯＦＤＭトーンブロック上で変調され、第２の非レガシ部分は、第２のＯＦＤＭトーンブロック上で変調され、第３の非レガシ部分は、第３のＯＦＤＭトーンブロック上で変調される。いくつかの実施形態において、ＯＦＤＭＡデータユニットは、図１６、図１７Ａ、図１７Ｂ、図２０Ａ、図２２、図２３、図２４、図２６Ａ、図２６Ｂに関して上記されたＯＦＤＭＡデータユニット、または複数の他の好適なＯＦＤＭＡデータユニットに対応する。
【０１６７】
一実施形態において、第１のＯＦＤＭトーンブロックおよび第３のＯＦＤＭトーンブロックは共に、レガシＷＬＡＮ通信プロトコルの最小チャネル帯域幅に等しい帯域幅にわたる。別の実施形態において、第１のレガシ部分は、レガシＷＬＡＮ通信プロトコルの最小チャネル帯域幅に対応するレガシトーンブロック上で変調される。本実施形態において、レガシトーンブロックは、ｉ）第１のＯＦＤＭトーンブロックと周波数において重複し、ｉｉ）第１のＯＦＤＭトーンブロックの帯域幅よりも大きい帯域幅を有する。更なる実施形態において、レガシトーンブロックは、第１のデバイスに割り当てられた第１のＯＦＤＭトーンブロックと、第２のデバイスに割り当てられた第３のＯＦＤＭトーンブロックとを含む。本実施形態において、第１のレガシ部分は、少なくとも第１のＯＦＤＭトーンブロックおよび第３のＯＦＤＭトーンブロック上で変調される。更なる実施形態において、データ部分は、第１のＯＦＤＭトーンブロック上で変調された、第１のデバイスに対する第１のＯＦＤＭデータユニットと、第３のＯＦＤＭトーンブロック上で変調された、第２のデバイスに対する第２のＯＦＤＭデータユニットとを含む。本実施形態において、第１のＯＦＤＭデータユニットおよび第２のＯＦＤＭデータユニットのうちの少なくとも１つは、第１の非レガシ部分および第１のＯＦＤＭデータユニットの全長が第３の非レガシ部分および第２のＯＦＤＭデータユニットの全長に等しくなるように、パディングを含む。
【０１６８】
別の実施形態において、データ部分は、第１のＯＦＤＭトーンブロック上で変調された第１のデバイスに対する第１のＯＦＤＭデータユニットと、第２のＯＦＤＭトーンブロック上で変調された第１のデバイスに対する第２のＯＦＤＭデータユニットとを含む。本実施形態において、第１のレガシ部分および第２のレガシ部分は、ｉ）第１の非レガシ部分および第１のＯＦＤＭデータユニット、ならびにｉｉ）第２の非レガシ部分および第２のＯＦＤＭデータユニットに対する同一の全持続時間を示す複数のレガシ信号フィールドを含む。
【０１６９】
なおも別の実施形態において、第１のＯＦＤＭトーンブロックおよび第２のＯＦＤＭトーンブロックは、同一の変調符号化スキームを用いる。一実施形態において、第１のＯＦＤＭトーンブロックは、第２のＯＦＤＭトーンブロックとは異なる変調符号化スキーム（ＭＣＳ）を用いる。更なる実施形態において、第１のＯＦＤＭトーンブロックおよび第２のＯＦＤＭトーンブロックは、同一の数の時空間ストリームを用いる。別の実施形態において、第１のＯＦＤＭトーンブロックおよび第２のＯＦＤＭトーンブロックは、異なる数の時空間ストリームを用いる。
【０１７０】
一実施形態において、ＷＬＡＮ通信チャネルのためのＯＦＤＭＡデータユニットを生成する段階は、第１のＯＦＤＭトーンブロックに対する第１のデータを、第２のＯＦＤＭトーンブロックに対する第２のデータとは別個にエンコードする段階を有する。別の実施形態において、ＷＬＡＮ通信チャネルのためのＯＦＤＭＡデータユニットを生成する段階は、第１のＯＦＤＭトーンブロックに対する第１のデータを第２のＯＦＤＭトーンブロックに対する第２のデータと共にエンコードおよびインターリーブする段階を含む。
【０１７１】
図３０は、一実施形態による、ＯＦＤＭＡデータユニットを生成する例示的な方法３０００のフロー図である。図１を参照すると、方法３０００は、一実施形態においてネットワークインターフェース１６により実装される。例えば、そのような一実施形態において、ＰＨＹ処理ユニット２０は、方法３０００を実装するように構成されている。また、別の実施形態によれば、ＭＡＣ処理１８は、方法３０００の少なくとも一部を実装するように構成されている。図１を引き続き参照すると、なおも別の実施形態において、方法３０００は、ネットワークインターフェース２７（例えば、ＰＨＹ処理ユニット２９および／またはＭＡＣ処理ユニット２８）により実装される。複数の他の実施形態において、方法３０００は、複数の他の好適なネットワークインターフェースにより実装される。
【０１７２】
ブロック３００２において、無線ローカルエリアネットワーク（ＷＬＡＮ）通信チャネルのための複数の異なる直交周波数分割多重（ＯＦＤＭ）周波数サブバンドは、第１のデバイスおよび第２のデバイスを含む複数のデバイスに割り当てられる。複数の異なるＯＦＤＭ周波数サブバンドは、第１のデバイスに割り当てられた第１のＯＦＤＭ周波数サブバンド、および第２のデバイスに割り当てられた第２のＯＦＤＭ周波数サブバンドを少なくとも含む。いくつかの実施形態において、ＷＬＡＮ通信チャネルは、図７Ａ、図７Ｂ、図７Ｃに関して上記された複数の通信チャネル、または複数の他の好適な通信チャネルに対応する。
【０１７３】
ブロック３００４において、直交周波数分割多元接続（ＯＦＤＭＡ）データユニットは、ＷＬＡＮ通信チャネルに対して生成される。ＯＦＤＭＡデータユニットは、プリアンブル部分およびデータ部分を含み、プリアンブル部分は、レガシトーンの間隔およびレガシトーンプランを用いる第１のＯＦＤＭ周波数サブバンドおよび第２のＯＦＤＭ周波数サブバンドにわたるレガシ部分と、レガシトーンの間隔およびレガシトーンプランを用いる第１のＯＦＤＭ周波数サブバンドおよび第２のＯＦＤＭ周波数サブバンドにわたる第１の非レガシ部分と、非レガシトーンの間隔および非レガシトーンプランを用いる第１のＯＦＤＭ周波数サブバンドにわたる第２の非レガシ部分と、非レガシトーンの間隔および非レガシトーンプランを用いる第２のＯＦＤＭ周波数サブバンドにわたる第３の非レガシ部分とを含む。いくつかの実施形態において、ＯＦＤＭＡデータユニットは、図１６、図１７Ａ、図１７Ｂ、図２０Ａ、図２２、図２３、図２４、図２６Ａ、図２６Ｂに関して上記されたＯＦＤＭＡデータユニット、または複数の他の好適なＯＦＤＭＡデータユニットに対応する。いくつかの実施形態において、レガシトーンの間隔は、非レガシトーンの間隔の整数倍である。
【０１７４】
一実施形態において、ＷＬＡＮ通信チャネルのためのＯＦＤＭＡデータユニットを生成する段階は、ｉ）第１のデバイスについて受信された第１のデータを用いるデータ部分の第１のＯＦＤＭデータユニットと、ｉｉ）第２のデバイスについて受信された第２のデータを用いるデータ部分の第２のＯＦＤＭデータユニットとを生成する段階を有し、第１のデータは、第２のデータから独立している。本実施形態において、ＯＦＤＭＡデータユニットを生成する段階は、第１のＯＦＤＭ周波数サブバンドの非レガシトーンプランを用いる第１のＯＦＤＭデータユニットと、ｉｉ）第２のＯＦＤＭ周波数サブバンドの非レガシトーンプランを用いる第２のＯＦＤＭデータユニットとを変調する段階を更に有する。
【０１７５】
図３１は、一実施形態による、ＯＦＤＭＡデータユニットの一部を生成する例示的な方法３１００のフロー図である。図１を参照すると、方法３１００は、一実施形態においてネットワークインターフェース１６により実装される。例えば、そのような一実施形態において、ＰＨＹ処理ユニット２０は、方法３１００を実装するように構成されている。また、別の実施形態によれば、ＭＡＣ処理１８は、方法３１００の少なくとも一部を実装するように構成されている。図１を引き続き参照すると、なおも別の実施形態において、方法３１００は、ネットワークインターフェース２７（例えば、ＰＨＹ処理ユニット２９および／またはＭＡＣ処理ユニット２８）により実装される。複数の他の実施形態において、方法３１００は、複数の他の好適なネットワークインターフェースにより実装される。
【０１７６】
ブロック３１０２において、無線ローカルエリアネットワーク（ＷＬＡＮ）通信チャネル内での第１の直交周波数分割多重（ＯＦＤＭ）トーンブロックの割り当てが決定される。一実施形態において、第１のＯＦＤＭトーンブロックは、レガシＷＬＡＮ通信プロトコルの最小帯域幅よりも小さい帯域幅を有する。いくつかの実施形態において、ＷＬＡＮ通信チャネルは、図９Ａ、図９Ｂに関して上記された複数の通信チャネル、または複数の他の好適な通信チャネルに対応する。
【０１７７】
ブロック３１０４において、第１の通信デバイスは、第１のＯＦＤＭトーンブロック内で複数のデータトーンおよびパイロットトーンを用いたＷＬＡＮ通信チャネル上での送信のための直交周波数分割多元接続（ＯＦＤＭＡ）データユニットの第１の部分を生成する。いくつかの実施形態において、ＯＦＤＭＡデータユニットの一部は、図２４、２５Ａ、２５Ｂに関して上記されたＯＦＤＭＡデータユニットの一部、または別の好適なＯＦＤＭＡデータユニットに対応する。
【０１７８】
一実施形態において、ＯＦＤＭＡデータユニットの第１の部分を生成する段階は、第１のＯＦＤＭトーンブロックに等しいＦＦＴサイズを有するＯＦＤＭＡデータユニットの第１の部分に対する逆高速フーリエ変換（ＩＦＦＴ）を実行する段階を有する。
【０１７９】
別の実施形態において、ＯＦＤＭＡデータユニットの第１の部分を生成する段階は、第１のＯＦＤＭトーンブロック内に存在しない複数のデータトーンおよび複数のパイロットトーンに対する複数のゼロの値を用いてＷＬＡＮ通信チャネルに等しいＦＦＴサイズを有するＯＦＤＭＡデータユニットの第１の部分に対するＩＦＦＴを実行する段階を有する。
【０１８０】
一実施形態において、第１の通信デバイスは、ＷＬＡＮ通信チャネル上でＯＦＤＭＡデータユニットの第１の部分を、第２の通信デバイスによりＷＬＡＮ通信チャネル上でＯＦＤＭＡデータユニットの第２の部分を送信するのと同時に送信する。本実施形態において、ＯＦＤＭＡデータユニットの第２の部分は、ＷＬＡＮ通信チャネル内の第２のＯＦＤＭトーンブロックにわたる。更なる例において、第１の通信デバイスは、第１のＯＦＤＭトーンブロックおよび第２のＯＦＤＭトーンブロックを用いるＯＦＤＭＡデータユニットにおけるプリアンブル部分のレガシ部分を、第１のＯＦＤＭトーンブロックおよび第２のＯＦＤＭトーンブロックを用いる第２の通信デバイスによりプリアンブル部分のレガシ部分を送信するのと同時に送信する。
【０１８１】
一実施形態において、ＯＦＤＭＡデータユニットの第１の部分を送信することは、第１の通信デバイスにより第１のＯＦＤＭトーンブロックのみを用いる第１のＯＦＤＭデータユニットを、第２の通信デバイスにより第２のＯＦＤＭトーンブロックのみを用いる第２のＯＦＤＭデータユニットを送信するのと同時に送信することを含む。いくつかの実施形態において、レガシ部分および第１のＯＦＤＭデータユニットは、同一の総電力を用いる第１の通信デバイスにより送信される。複数の他の実施形態において、レガシ部分および第１のＯＦＤＭデータユニットは、同一の１トーン当たりの電力を用いる第１の通信デバイスにより送信される。
【０１８２】
図３２は、別の実施形態による、ＯＦＤＭＡデータユニットの一部を生成する例示的な方法３２００のフロー図である。図１を参照すると、方法３２００は、一実施形態においてネットワークインターフェース１６により実装される。例えば、そのような一実施形態において、ＰＨＹ処理ユニット２０は、方法３２００を実装するように構成されている。また、別の実施形態によれば、ＭＡＣ処理１８は、方法３２００の少なくとも一部を実装するように構成されている。図１を引き続き参照すると、なおも別の実施形態において、方法３２００は、ネットワークインターフェース２７（例えば、ＰＨＹ処理ユニット２９および／またはＭＡＣ処理ユニット２８）により実装される。複数の他の実施形態において、方法３２００は、複数の他の好適なネットワークインターフェースにより実装される。
【０１８３】
ブロック３２０２において、無線ローカルエリアネットワーク（ＷＬＡＮ）通信チャネルのための第１の直交周波数分割多重（ＯＦＤＭ）トーンブロックおよび第２のＯＦＤＭトーンブロックの割り当てが決定される。一実施形態において、第１のＯＦＤＭトーンブロックは、ＷＬＡＮ通信チャネルに対応する高速フーリエ変換（ＦＦＴ）サイズよりも小さい第１のＦＦＴサイズに対応し、第２のＯＦＤＭトーンブロックは、ＷＬＡＮ通信チャネルに対応するＦＦＴサイズよりも小さい第２のＦＦＴサイズに対応し、第１のＯＦＤＭトーンブロックおよび第２のＯＦＤＭトーンブロックは、少なくとも第３のＯＦＤＭトーンブロックにより周波数において分離される。いくつかの実施形態において、ＷＬＡＮ通信チャネルは、図１４Ａ、図１４Ｂに関して上記された複数の通信チャネル、または複数の他の好適な通信チャネルに対応する。
【０１８４】
ブロック３２０４において、第１の通信デバイスは、第１のＯＦＤＭトーンブロックおよび第２のＯＦＤＭトーンブロック内で複数のデータトーンおよびパイロットトーンを用いたＷＬＡＮ通信チャネル上での送信のための直交周波数分割多元接続（ＯＦＤＭＡ）データユニットの一部を生成する。いくつかの実施形態において、ＯＦＤＭＡデータユニットの一部は、図２４、２５Ａ、２５Ｂに関して上記されたＯＦＤＭＡデータユニットの一部、または別の好適なＯＦＤＭＡデータユニットに対応する。
【０１８５】
一実施形態において、ＯＦＤＭＡデータユニットの一部を生成する段階は、ｉ）第１のＦＦＴサイズを有するＯＦＤＭＡデータユニットの第１のＯＦＤＭデータユニットに対する逆高速フーリエ変換（ＩＦＦＴ）、およびｉｉ）第２のＦＦＴサイズを有するＯＦＤＭＡデータユニットの第２のＯＦＤＭデータユニットに対するＩＦＦＴを実行する段階を有する。本実施形態において、ＯＦＤＭＡデータユニットの一部を生成する段階は、第１の通信デバイスの複数の別個の無線トランスミッタからの第１のＯＦＤＭデータユニットおよび第２のＯＦＤＭデータユニットをフィルタリングして送信する段階を更に有する。
【０１８６】
別の実施形態において、ＯＦＤＭＡデータユニットの一部を生成する段階は、ｉ）第１のＦＦＴサイズに対応するＩＦＦＴサイズを有するＯＦＤＭＡデータユニットの第１のＯＦＤＭデータユニットに対する逆高速フーリエ変換（ＩＦＦＴ）、およびｉｉ）第２のＦＦＴサイズに対応するＩＦＦＴサイズを有するＯＦＤＭＡデータユニットの第２のＯＦＤＭデータユニットに対するＩＦＦＴを実行する段階と、第１のＯＦＤＭデータユニットおよび第２のＯＦＤＭデータユニットをフィルタリングしてシフトさせる段階と、第１のＯＦＤＭデータユニットおよび第２のＯＦＤＭデータユニットを組み合わせて送信する段階とを有する。
【０１８７】
一実施形態において、ＯＦＤＭＡデータユニットの一部を生成する段階は、第１のＯＦＤＭトーンブロックまたは第２のＯＦＤＭトーンブロック内に存在しない複数のデータトーンおよび複数のパイロットトーンに対する複数のゼロの値を用いてＷＬＡＮ通信チャネルに対応するＦＦＴサイズを有するＯＦＤＭＡデータユニットの一部に対するＩＦＦＴを実行する段階を有する。
【０１８８】
いくつかの実施形態において、第１の通信デバイスは、ＷＬＡＮ通信チャネル上でＯＦＤＭＡデータユニットの一部を、第２の通信デバイスによりＷＬＡＮ通信チャネル上でＯＦＤＭＡデータユニットの別の一部を送信するのと同時に送信する。そのような一実施形態において、ＯＦＤＭＡデータユニットの他の部分は、ＷＬＡＮ通信チャネルの第３のＯＦＤＭトーンブロックにわたる。
【０１８９】
本発明の更なる複数の態様は、以下の複数の付記の１または複数に関する。
【０１９０】
一実施形態において、方法は、無線ローカルエリアネットワーク（ＷＬＡＮ）通信チャネルのための複数の異なる直交周波数分割多重（ＯＦＤＭ）トーンブロックを第１のデバイスおよび第２のデバイスを含む複数のデバイスに割り当てる段階を備え、複数の異なるＯＦＤＭトーンブロックは、第１のデバイスに割り当てられた第１のＯＦＤＭトーンブロックと、第２のデバイスに割り当てられた第２のＯＦＤＭトーンブロックとを少なくとも含み、第１のＯＦＤＭトーンブロックおよび第２のＯＦＤＭトーンブロックは共に、レガシＷＬＡＮ通信プロトコルの最小チャネル帯域幅に等しい帯域幅にわたる。本方法は、ＷＬＡＮ通信チャネルのための直交周波数分割多元接続（ＯＦＤＭＡ）データユニットを生成する段階を更に備え、ＯＦＤＭＡデータユニットは、プリアンブル部分およびデータ部分を含み、プリアンブル部分は、ｉ）ＷＬＡＮ通信チャネル全体にわたる少なくともレガシ部分、ｉｉ）第１のＯＦＤＭトーンブロックにわたる第１の非レガシ部分、およびｉｉｉ）第２のＯＦＤＭトーンブロックにわたる第２の非レガシ部分を有する。
【０１９１】
複数の他の実施形態において、本方法は、以下の特徴のうちの１または複数の任意の好適な組み合せを含む。
【０１９２】
ＷＬＡＮ通信チャネルのためのＯＦＤＭＡデータユニットを生成する段階は、ｉ）第１のデバイスについて受信された第１のデータを用いるデータ部分の第１のＯＦＤＭデータユニットと、ｉｉ）第２のデバイスについて受信された第２のデータを用いるデータ部分の第２のＯＦＤＭデータユニットとを生成する段階と、ｉ）第１のＯＦＤＭトーンブロックにおける複数のトーン上の第１のＯＦＤＭデータユニットと、ｉｉ）第２のＯＦＤＭトーンブロックにおける複数のトーン上の第２のＯＦＤＭデータユニットとを変調する段階とを有し、第１のデータは、第２のデータから独立している。
【０１９３】
ＷＬＡＮ通信チャネルのためのＯＦＤＭＡデータユニットを生成する段階は、ＷＬＡＮ通信チャネルの帯域幅全体にわたるようにＯＦＤＭＡデータユニットを変調する段階を有する。
【０１９４】
第１のＯＦＤＭデータユニットおよび第２のＯＦＤＭデータユニットを変調する段階は、ｉ）第１のトーンプランを用いる第１のＯＦＤＭトーンブロックにおける複数のトーンに基づく第１のＯＦＤＭデータユニットと、ｉｉ）第２のトーンプランを用いる第２のＯＦＤＭトーンブロックにおける複数のトーンに基づく第２のＯＦＤＭデータユニットとを変調する段階を有し、レガシ部分は、少なくとも第１のトーンプランとは異なるレガシトーンプランを用いて変調される。
【０１９５】
いくつかの実施形態において、第１の非レガシトーンプランまたは第２の非レガシトーンプランのうちの１または複数は、ＷＬＡＮ通信チャネルの高速フーリエ変換（ＦＦＴ）幅よりも小さいＦＦＴ幅に対応する。
【０１９６】
第１のＯＦＤＭデータユニットおよび第２のＯＦＤＭデータユニットを生成する段階は、第１のデータを用いる複数の第１のデータトーンおよび第１のＯＦＤＭトーンブロックのための複数の第１のパイロットトーンを生成する段階と、第２のデータを用いる複数の第２のデータトーンおよび第２のＯＦＤＭトーンブロックのための複数の第２のパイロットトーンを別個に生成する段階と、複数の第１のデータトーン、複数の第１のパイロットトーン、複数の第２のデータトーン、および複数の第２のパイロットトーンに逆高速フーリエ変換（ＩＦＦＴ）を共に実行する段階とを有する。
【０１９７】
第１のＯＦＤＭデータユニットおよび第２のＯＦＤＭデータユニットを生成する段階は、第１のＯＦＤＭデータユニットおよび第２のＯＦＤＭデータユニットが同一の数のＯＦＤＭシンボルを有するように、少なくとも１つのパディングＯＦＤＭシンボルを含む第２のＯＦＤＭデータユニットを生成する段階を有する。
【０１９８】
本方法は、第２のＯＦＤＭデータユニットに含まれるべきパディングＯＦＤＭシンボルの数を、第１のＯＦＤＭデータユニットのＯＦＤＭシンボルの全数と第２のＯＦＤＭデータユニットのＯＦＤＭシンボルの全数との間の差として決定する段階を更に備える。
【０１９９】
第１のＯＦＤＭデータユニットおよび第２のＯＦＤＭデータユニットを生成する段階は、第１の非レガシ部分のＯＦＤＭシンボルの数および第１のＯＦＤＭデータユニットのＯＦＤＭシンボルの数の合計が第２の非レガシ部分のＯＦＤＭシンボルの数および第２のＯＦＤＭデータユニットのＯＦＤＭシンボルの数の合計に等しくなるように、少なくとも１つのパディングＯＦＤＭシンボルを含む第２のＯＦＤＭデータユニットを生成する段階を有する。
【０２００】
いくつかの実施形態において、第１の非レガシ部分および第２の非レガシ部分は、複数の対応するＯＦＤＭデータユニットがｉ）シングルユーザデータユニット、ｉｉ）複数のデバイスのうちの示されたデバイスによりデコードされるべきマルチユーザ多入力多出力データユニット、またはｉｉｉ）複数のデバイスのうちの示されたデバイスによりデコードされるべきＯＦＤＭＡデータユニットの一部のうちのいずれかであるか否かを示す各グループ識別子（ＩＤ）サブフィールドを有する複数の非レガシ信号フィールドを含む。
【０２０１】
いくつかの実施形態において、第１の非レガシ部分および前記第２の非レガシ部分は、前記第１のＯＦＤＭトーンブロックの前記第１のデバイスに対する前記割り当ておよび前記第２のＯＦＤＭトーンブロックの前記第２のデバイスに対する前記割り当てを示す、各トーンブロック割り当て識別子を有する複数の非レガシ信号フィールドを含む。
【０２０２】
第１のＯＦＤＭデータユニットおよび第２のＯＦＤＭデータユニットを変調する段階は、ｉ）複数のトーンおよび対応する低減されたトーンの間隔の整数倍の第１のＯＦＤＭトーンブロックと同一の帯域幅を用いる第１のＯＦＤＭデータユニットと、ｉｉ）複数のトーンおよび対応する低減されたトーンの間隔の整数倍の第２のＯＦＤＭトーンブロックと同一の帯域幅を用いる第２のＯＦＤＭデータユニットとを変調する段階を有する。
【０２０３】
別の実施形態において、装置は、無線ローカルエリアネットワーク（ＷＬＡＮ）通信チャネルのための複数の異なる直交周波数分割多重（ＯＦＤＭ）トーンブロックを第１のデバイスおよび第２のデバイスを含む複数のデバイスに割り当てるように構成された１または複数の集積回路を有するネットワークインターフェースデバイスを備え、複数の異なるＯＦＤＭトーンブロックは、第１のデバイスに割り当てられた第１のＯＦＤＭトーンブロックと、第２のデバイスに割り当てられた第２のＯＦＤＭトーンブロックとを少なくとも含み、第１のＯＦＤＭトーンブロックおよび第２のＯＦＤＭトーンブロックは共に、レガシＷＬＡＮ通信プロトコルの最小チャネル帯域幅に等しい帯域幅にわたり、１または複数の集積回路は、ＷＬＡＮ通信チャネルのための直交周波数分割多元接続（ＯＦＤＭＡ）データユニットを生成するように更に構成され、ＯＦＤＭＡデータユニットは、プリアンブル部分およびデータ部分を含み、プリアンブル部分は、ｉ）ＷＬＡＮ通信チャネル全体にわたる少なくともレガシ部分、ｉｉ）第１のＯＦＤＭトーンブロックにわたる第１の非レガシ部分、およびｉｉｉ）第２のＯＦＤＭトーンブロックにわたる第２の非レガシ部分を含む。
【０２０４】
複数の他の実施形態において、装置は、以下の特徴のうちの１または複数の任意の好適な組み合せを含む。
【０２０５】
１または複数の集積回路は、ｉ）第１のデバイスについて受信された第１のデータを用いるデータ部分の第１のＯＦＤＭデータユニットと、ｉｉ）第２のデバイスについて受信された第２のデータを用いるデータ部分の第２のＯＦＤＭデータユニットとを生成し、ｉ）第１のＯＦＤＭトーンブロックにおける複数のトーン上の第１のＯＦＤＭデータユニットと、ｉｉ）第２のＯＦＤＭトーンブロックにおける複数のトーン上の第２のＯＦＤＭデータユニットとを変調するように構成され、第１のデータは、第２のデータから独立している。
【０２０６】
ＯＦＤＭＡデータユニットは、ＷＬＡＮ通信チャネルの帯域幅全体にわたる。
【０２０７】
１または複数の集積回路は、ｉ）第１のトーンプランを用いる第１のＯＦＤＭトーンブロックにおける複数のトーン上の第１のＯＦＤＭデータユニットと、ｉｉ）第２のトーンプランを用いる第２のＯＦＤＭトーンブロックにおける複数のトーン上の第２のＯＦＤＭデータユニットとを変調するように構成され、レガシ部分は、少なくとも第１のトーンプランとは異なるレガシトーンプランを用いて変調される。
【０２０８】
第１の非レガシトーンプランまたは第２の非レガシトーンプランのうちの１または複数は、ＷＬＡＮ通信チャネルの高速フーリエ変換（ＦＦＴ）幅よりも小さいＦＦＴ幅に対応する。
【０２０９】
１または複数の集積回路は、第１のデータを用いる複数の第１のデータトーンおよび第１のＯＦＤＭトーンブロックのための複数の第１のパイロットトーンを生成し、第２のデータを用いる複数の第２のデータトーンおよび第２のＯＦＤＭトーンブロックのための複数の第２のパイロットトーンを別個に生成し、複数の第１のデータトーン、複数の第１のパイロットトーン、複数の第２のデータトーン、および複数の第２のパイロットトーンに逆高速フーリエ変換（ＩＦＦＴ）を共に実行するように構成される。
【０２１０】
１または複数の集積回路は、第１のＯＦＤＭデータユニットおよび第２のＯＦＤＭデータユニットが同一の数のＯＦＤＭシンボルを有するように、少なくとも１つのパディングＯＦＤＭシンボルを含む第２のＯＦＤＭデータユニットを生成するように構成される。
【０２１１】
第１の非レガシ部分および第２の非レガシ部分は、複数の対応するＯＦＤＭデータユニットがｉ）シングルユーザデータユニット、ｉｉ）複数のデバイスのうちの示されたデバイスによりデコードされるべきマルチユーザ多入力多出力データユニット、またはｉｉｉ）複数のデバイスのうちの示されたデバイスによりデコードされるべきＯＦＤＭＡデータユニットの一部のうちのいずれかであるか否かを示す各グループ識別子（ＩＤ）サブフィールドを有する複数の非レガシ信号フィールドを含む。
【０２１２】
一実施形態において、方法は、無線ローカルエリアネットワーク（ＷＬＡＮ）通信チャネル内で第１の直交周波数分割多重（ＯＦＤＭ）トーンブロックの割り当てを決定する段階と、第１の通信デバイスにおいて、第１のＯＦＤＭトーンブロック内で複数のデータトーンおよび複数のパイロットトーンを用いたＷＬＡＮ通信チャネル上での送信のための直交周波数分割多元接続（ＯＦＤＭＡ）データユニットの第１の部分を生成する段階とを備え、第１のＯＦＤＭトーンブロックの帯域幅は、レガシＷＬＡＮ通信プロトコルの最小帯域幅よりも小さい。
【０２１３】
複数の他の実施形態において、方法は、以下の特徴のうちの１または複数の任意の好適な組み合せを含む。
【０２１４】
ＯＦＤＭＡデータユニットの第１の部分を生成する段階は、第１のＯＦＤＭトーンブロックに等しいＦＦＴサイズを有するＯＦＤＭＡデータユニットの第１の部分に対する逆高速フーリエ変換（ＩＦＦＴ）を実行する段階を有する。
【０２１５】
ＯＦＤＭＡデータユニットの第１の部分を生成する段階は、第１のＯＦＤＭトーンブロック内に存在しない複数のデータトーンおよび複数のパイロットトーンに対する複数のゼロの値を用いてＷＬＡＮ通信チャネルに等しいＦＦＴサイズを有するＯＦＤＭＡデータユニットの第１の部分に対するＩＦＦＴを実行する段階を有する。
【０２１６】
本方法は、第１の通信デバイスによりＷＬＡＮ通信チャネル上でＯＦＤＭＡデータユニットの第１の部分を、第２の通信デバイスによりＷＬＡＮ通信チャネル上でＯＦＤＭＡデータユニットの第２の部分を送信するのと同時に送信する段階を更に備え、ＯＦＤＭＡデータユニットの第２の部分は、ＷＬＡＮ通信チャネル内の第２のＯＦＤＭトーンブロックにわたる。
【０２１７】
本方法は、第１の通信デバイスにより第１のＯＦＤＭトーンブロックおよび第２のＯＦＤＭトーンブロックを用いるＯＦＤＭＡデータユニットにおけるプリアンブル部分のレガシ部分を、第１のＯＦＤＭトーンブロックおよび第２のＯＦＤＭトーンブロックを用いる第２の通信デバイスによりプリアンブル部分のレガシ部分を送信するのと同時に送信する段階を更に備える。
【０２１８】
ＯＦＤＭＡデータユニットの第１の部分を送信する段階は、第１の通信デバイスにより第１のＯＦＤＭトーンブロックのみを用いる第１のＯＦＤＭデータユニットを、第２の通信デバイスにより第２のＯＦＤＭトーンブロックのみを用いる第２のＯＦＤＭデータユニットを送信するのと同時に送信する段階を有する。
【０２１９】
レガシ部分および第１のＯＦＤＭデータユニットは、同一の総電力を用いる第１の通信デバイスにより送信される。
【０２２０】
レガシ部分および第１のＯＦＤＭデータユニットは、同一の１トーン当たりの電力を用いる第１の通信デバイスにより送信される。
【０２２１】
なおも別の実施形態において、第１の通信デバイスは、無線ローカルエリアネットワーク（ＷＬＡＮ）通信チャネル内で第１の直交周波数分割多重（ＯＦＤＭ）トーンブロックの割り当てを決定するように構成された１または複数の集積回路を有するネットワークインターフェースデバイスを備え、第１のＯＦＤＭトーンブロックの帯域幅は、レガシＷＬＡＮ通信プロトコルの最小帯域幅よりも小さく、１または複数の集積回路は、第１の通信デバイスにおいて、第１のＯＦＤＭトーンブロック内で複数のデータトーンおよび複数のパイロットトーンを用いたＷＬＡＮ通信チャネル上での送信のための直交周波数分割多元接続（ＯＦＤＭＡ）データユニットの第１の部分を生成するように更に構成される。
【０２２２】
複数の他の実施形態において、デバイスは、以下の特徴のうちの１または複数の任意の好適な組み合せを含む。
【０２２３】
１または複数の集積回路は、第１のＯＦＤＭトーンブロックに等しいＦＦＴサイズを有するＯＦＤＭＡデータユニットの第１の部分に対する逆高速フーリエ変換（ＩＦＦＴ）を実行することを含む、ＯＦＤＭＡデータユニットの第１の部分を生成するように構成される。
【０２２４】
１または複数の集積回路は、第１のＯＦＤＭトーンブロック内に存在しない複数のデータトーンおよび複数のパイロットトーンに対する複数のゼロの値を用いてＷＬＡＮ通信チャネルに等しいＦＦＴサイズを有するＯＦＤＭＡデータユニットの第１の部分に対するＩＦＦＴを実行することを含む、ＯＦＤＭＡデータユニットの第１の部分を生成するように構成される。
【０２２５】
１または複数の集積回路は、第１の通信デバイスによりＷＬＡＮ通信チャネル上でＯＦＤＭＡデータユニットの第１の部分を、第２の通信デバイスによりＷＬＡＮ通信チャネル上でＯＦＤＭＡデータユニットの第２の部分を送信するのと同時に送信するように構成され、ＯＦＤＭＡデータユニットの第２の部分は、ＷＬＡＮ通信チャネル内の第２のＯＦＤＭトーンブロックにわたる。
【０２２６】
１または複数の集積回路は、第１のＯＦＤＭトーンブロックおよび第２のＯＦＤＭトーンブロックを用いるＯＦＤＭＡデータユニットにおけるプリアンブル部分のレガシ部分を、第１のＯＦＤＭトーンブロックおよび第２のＯＦＤＭトーンブロックを用いる第２の通信デバイスによりプリアンブル部分のレガシ部分を送信するのと同時に送信するように構成される。
【０２２７】
一実施形態において、方法は、無線ローカルエリアネットワーク（ＷＬＡＮ）通信チャネルのための複数の異なる直交周波数分割多重（ＯＦＤＭ）トーンブロックを、第１のデバイスおよび第２のデバイスを含む複数のデバイスに割り当てる段階と、ＷＬＡＮ通信チャネルのための直交周波数分割多元接続（ＯＦＤＭＡ）データユニットを生成する段階とを備え、複数の異なるＯＦＤＭトーンブロックは、第１のデバイスに割り当てられた第１のＯＦＤＭトーンブロックおよび第２のＯＦＤＭトーンブロックと、第２のデバイスに割り当てられた第３のＯＦＤＭトーンブロックとを少なくとも含み、第１のＯＦＤＭトーンブロックおよび第２のＯＦＤＭトーンブロックは、少なくとも第３のＯＦＤＭトーンブロックにより周波数において分離され、ＯＦＤＭＡデータユニットは、プリアンブル部分およびデータ部分を含み、プリアンブル部分は、ｉ）少なくとも第１のＯＦＤＭトーンブロックに対応する第１のレガシ部分と、ｉｉ）第２のＯＦＤＭトーンブロックに対応する第２のレガシ部分と、ｉｉｉ）第１のＯＦＤＭトーンブロックに対応する第１の非レガシ部分と、ｉｖ）第２のＯＦＤＭトーンブロックに対応する第２の非レガシ部分と、ｖ）第３のＯＦＤＭトーンブロックに対応する第３の非レガシ部分とを少なくとも含み、第１のレガシ部分は、少なくとも第１のＯＦＤＭトーンブロック上で変調され、第１の非レガシ部分は、第１のＯＦＤＭトーンブロック上で変調され、第２のレガシ部分は、少なくとも第２のＯＦＤＭトーンブロック上で変調され、第２の非レガシ部分は、第２のＯＦＤＭトーンブロック上で変調され、第３の非レガシ部分は、第３のＯＦＤＭトーンブロック上で変調される。
【０２２８】
複数の他の実施形態において、方法は、以下の特徴のうちの１または複数の任意の好適な組み合せを含む。
【０２２９】
第１のＯＦＤＭトーンブロックおよび第３のＯＦＤＭトーンブロックは共に、レガシＷＬＡＮ通信プロトコルの最小チャネル帯域幅幅に等しい帯域幅にわたる。
【０２３０】
第１のレガシ部分は、レガシＷＬＡＮ通信プロトコルの最小チャネル帯域幅に対応するレガシトーンブロック上で変調され、レガシトーンブロックは、ｉ）第１のＯＦＤＭトーンブロックと周波数において重複し、ｉｉ）第１のＯＦＤＭトーンブロックの帯域幅よりも大きい帯域幅を有する。
【０２３１】
レガシトーンブロックは、第１のデバイスに割り当てられた第１のＯＦＤＭトーンブロックと、第２のデバイスに割り当てられた第３のＯＦＤＭトーンブロックとを含み、第１のレガシ部分は、少なくとも第１のＯＦＤＭトーンブロックおよび第３のＯＦＤＭトーンブロック上で変調される。
【０２３２】
データ部分は、第１のＯＦＤＭトーンブロック上で変調された、第１のデバイスに対する第１のＯＦＤＭデータユニットと、第３のＯＦＤＭトーンブロック上で変調された、第２のデバイスに対する第２のＯＦＤＭデータユニットとを含み、第１のＯＦＤＭデータユニットおよび第２のＯＦＤＭデータユニットのうちの少なくとも１つは、第１の非レガシ部分および第１のＯＦＤＭデータユニットの全長が第３の非レガシ部分および第２のＯＦＤＭデータユニットの全長に等しくなるように、パディングを含む。
【０２３３】
データ部分は、第１のＯＦＤＭトーンブロック上で変調された第１のデバイスに対する第１のＯＦＤＭデータユニットと、第２のＯＦＤＭトーンブロック上で変調された第１のデバイスに対する第２のＯＦＤＭデータユニットとを含み、第１のレガシ部分および第２のレガシ部分は、ｉ）第１の非レガシ部分および第１のＯＦＤＭデータユニット、ならびにｉｉ）第２の非レガシ部分および第２のＯＦＤＭデータユニットに対する同一の全持続時間を示す複数のレガシ信号フィールドを含む。
【０２３４】
第１のＯＦＤＭトーンブロックおよび第２のＯＦＤＭトーンブロックは、同一の変調符号化スキームを用いる。
【０２３５】
第１のＯＦＤＭトーンブロックは、第２のＯＦＤＭトーンブロックとは異なる変調符号化スキーム（ＭＣＳ）を用いる。
【０２３６】
第１のＯＦＤＭトーンブロックおよび第２のＯＦＤＭトーンブロックは、同一の数の時空間ストリームを用いる。
【０２３７】
第１のＯＦＤＭトーンブロックおよび第２のＯＦＤＭトーンブロックは、異なる数の時空間ストリームを用いる。
【０２３８】
ＷＬＡＮ通信チャネルのためのＯＦＤＭＡデータユニットを生成する段階は、第１のＯＦＤＭトーンブロックに対する第１のデータを、第２のＯＦＤＭトーンブロックに対する第２のデータとは別個にエンコードする段階を有する。
【０２３９】
ＷＬＡＮ通信チャネルのためのＯＦＤＭＡデータユニットを生成する段階は、第１のＯＦＤＭトーンブロックに対する第１のデータを第２のＯＦＤＭトーンブロックに対する第２のデータと共にエンコードおよびインターリーブする段階を含む。
【０２４０】
別の実施形態において、装置は、無線ローカルエリアネットワーク（ＷＬＡＮ）通信チャネルのための複数の異なる直交周波数分割多重（ＯＦＤＭ）トーンブロックを、第１のデバイスおよび第２のデバイスを含む複数のデバイスに割り当て、ＷＬＡＮ通信チャネルのための直交周波数分割多元接続（ＯＦＤＭＡ）データユニットを生成するように構成された１または複数の集積回路を有するネットワークインターフェースデバイスを備え、複数の異なるＯＦＤＭトーンブロックは、第１のデバイスに割り当てられた第１のＯＦＤＭトーンブロックおよび第２のＯＦＤＭトーンブロックと、第２のデバイスに割り当てられた第３のＯＦＤＭトーンブロックとを少なくとも含み、第１のＯＦＤＭトーンブロックおよび第２のＯＦＤＭトーンブロックは、少なくとも第３のＯＦＤＭトーンブロックにより周波数において分離され、ＯＦＤＭＡデータユニットは、プリアンブル部分およびデータ部分を含み、プリアンブル部分は、ｉ）少なくとも第１のＯＦＤＭトーンブロックに対応する第１のレガシ部分と、ｉｉ）第２のＯＦＤＭトーンブロックに対応する第２のレガシ部分と、ｉｉｉ）第１のＯＦＤＭトーンブロックに対応する第１の非レガシ部分と、ｉｖ）第２のＯＦＤＭトーンブロックに対応する第２の非レガシ部分と、ｖ）第３のＯＦＤＭトーンブロックに対応する第３の非レガシ部分とを少なくとも含み、第１のレガシ部分は、少なくとも第１のＯＦＤＭトーンブロック上で変調され、第１の非レガシ部分は、第１のＯＦＤＭトーンブロック上で変調され、第２のレガシ部分は、少なくとも第２のＯＦＤＭトーンブロック上で変調され、第２の非レガシ部分は、第２のＯＦＤＭトーンブロック上で変調され、第３の非レガシ部分は、第３のＯＦＤＭトーンブロック上で変調される。
【０２４１】
複数の他の実施形態において、デバイスは、以下の特徴のうちの１または複数の任意の好適な組み合せを含む。
【０２４２】
第１のＯＦＤＭトーンブロックおよび第３のＯＦＤＭトーンブロックは共に、レガシＷＬＡＮ通信プロトコルの最小チャネル帯域幅に等しい帯域幅にわたる。
【０２４３】
第１のレガシ部分は、レガシＷＬＡＮ通信プロトコルの最小チャネル帯域幅に対応するレガシトーンブロック上で変調され、レガシトーンブロックは、ｉ）第１のＯＦＤＭトーンブロックと周波数において重複し、ｉｉ）第１のＯＦＤＭトーンブロックの帯域幅よりも大きい帯域幅を有する。
【０２４４】
レガシトーンブロックは、第１のデバイスに割り当てられた第１のＯＦＤＭトーンブロックと、第２のデバイスに割り当てられた第３のＯＦＤＭトーンブロックとを含み、第１のレガシ部分は、少なくとも第１のＯＦＤＭトーンブロックおよび第３のＯＦＤＭトーンブロック上で変調される。
【０２４５】
データ部分は、第１のＯＦＤＭトーンブロック上で変調された、第１のデバイスに対する第１のＯＦＤＭデータユニットと、第３のＯＦＤＭトーンブロック上で変調された、第２のデバイスに対する第２のＯＦＤＭデータユニットとを含み、第１のＯＦＤＭデータユニットおよび第２のＯＦＤＭデータユニットのうちの少なくとも１つは、第１の非レガシ部分および第１のＯＦＤＭデータユニットの全長が第３の非レガシ部分および第２のＯＦＤＭデータユニットの全長に等しくなるように、パディングを含む。
【０２４６】
１または複数の集積回路は、第１のＯＦＤＭトーンブロックに対する第１のデータを、第２のＯＦＤＭトーンブロックに対する第２のデータとは別個にエンコードするように構成される。
【０２４７】
一実施形態において、方法は、無線ローカルエリアネットワーク（ＷＬＡＮ）通信チャネルのための第１の直交周波数分割多重（ＯＦＤＭ）トーンブロックおよび第２のＯＦＤＭトーンブロックの割り当てを決定する段階と、第１の通信デバイスにおいて、第１のＯＦＤＭトーンブロックおよび第２のＯＦＤＭトーンブロック内で複数のデータトーンおよび複数のパイロットトーンを用いたＷＬＡＮ通信チャネル上での送信のための直交周波数分割多元接続（ＯＦＤＭＡ）データユニットの一部を生成する段階とを備え、第１のＯＦＤＭトーンブロックは、ＷＬＡＮ通信チャネルに対応するＦＦＴサイズよりも小さい第１の高速フーリエ変換（ＦＦＴ）サイズに対応し、第２のＯＦＤＭトーンブロックは、ＷＬＡＮ通信チャネルに対応するＦＦＴサイズよりも小さい第２のＦＦＴサイズに対応し、第１のＯＦＤＭトーンブロックおよび第２のＯＦＤＭトーンブロックは、少なくとも第３のＯＦＤＭトーンブロックにより周波数において分離される。
【０２４８】
複数の他の実施形態において、方法は、以下の特徴のうちの１または複数の任意の好適な組み合せを含む。
【０２４９】
ＯＦＤＭＡデータユニットの一部を生成する段階は、ｉ）第１のＦＦＴサイズを有するＯＦＤＭＡデータユニットの第１のＯＦＤＭデータユニットに対する逆高速フーリエ変換（ＩＦＦＴ）、およびｉｉ）第２のＦＦＴサイズを有するＯＦＤＭＡデータユニットの第２のＯＦＤＭデータユニットに対するＩＦＦＴを実行する段階と、第１の通信デバイスの複数の別個の無線トランスミッタからの第１のＯＦＤＭデータユニットおよび第２のＯＦＤＭデータユニットをフィルタリングして送信する段階とを有する。
【０２５０】
ＯＦＤＭＡデータユニットの一部を生成する段階は、ｉ）第１のＦＦＴサイズに対応するＩＦＦＴサイズを有するＯＦＤＭＡデータユニットの第１のＯＦＤＭデータユニットに対する逆高速フーリエ変換（ＩＦＦＴ）、およびｉｉ）第２のＦＦＴサイズに対応するＩＦＦＴサイズを有するＯＦＤＭＡデータユニットの第２のＯＦＤＭデータユニットに対するＩＦＦＴを実行する段階と、第１のＯＦＤＭデータユニットおよび第２のＯＦＤＭデータユニットをフィルタリングしてシフトさせる段階と、第１のＯＦＤＭデータユニットおよび第２のＯＦＤＭデータユニットを組み合わせて送信する段階とを有する。
【０２５１】
ＯＦＤＭＡデータユニットの一部を生成する段階は、第１のＯＦＤＭトーンブロックまたは第２のＯＦＤＭトーンブロック内に存在しない複数のデータトーンおよび複数のパイロットトーンに対する複数のゼロの値を用いてＷＬＡＮ通信チャネルに対応するＦＦＴサイズを有するＯＦＤＭＡデータユニットの一部に対するＩＦＦＴを実行する段階を有する。
【０２５２】
本方法は、第１の通信デバイスによりＷＬＡＮ通信チャネル上でＯＦＤＭＡデータユニットの一部を、第２の通信デバイスによりＷＬＡＮ通信チャネル上でＯＦＤＭＡデータユニットの別の一部を送信するのと同時に送信する段階を更に備え、ＯＦＤＭＡデータユニットの他の部分は、ＷＬＡＮ通信チャネルの第３のＯＦＤＭトーンブロックにわたる。
【０２５３】
一実施形態において、方法は、無線ローカルエリアネットワーク（ＷＬＡＮ）通信チャネルのための複数の異なる直交周波数分割多重（ＯＦＤＭ）周波数サブバンドを、第１のデバイスおよび第２のデバイスを含む複数のデバイスに割り当てる段階と、ＷＬＡＮ通信チャネルのための直交周波数分割多元接続（ＯＦＤＭＡ）データユニットを生成する段階とを備え、複数の異なるＯＦＤＭ周波数サブバンドは、第１のデバイスに割り当てられた第１のＯＦＤＭ周波数サブバンドと、第２のデバイスに割り当てられた第２のＯＦＤＭ周波数サブバンドとを少なくとも含み、ＯＦＤＭＡデータユニットは、プリアンブル部分およびデータ部分を含み、プリアンブル部分は、レガシトーンの間隔およびレガシトーンプランを用いる第１のＯＦＤＭ周波数サブバンドおよび第２のＯＦＤＭ周波数サブバンドにわたるレガシ部分と、レガシトーンの間隔およびレガシトーンプランを用いる第１のＯＦＤＭ周波数サブバンドおよび第２のＯＦＤＭ周波数サブバンドにわたる第１の非レガシ部分と、非レガシトーンの間隔および非レガシトーンプランを用いる第１のＯＦＤＭ周波数サブバンドにわたる第２の非レガシ部分と、非レガシトーンの間隔および非レガシトーンプランを用いる第２のＯＦＤＭ周波数サブバンドにわたる第３の非レガシ部分とを含む。
【０２５４】
複数の他の実施形態において、方法は、以下の特徴のうちの１または複数の任意の好適な組み合せを含む。
【０２５５】
ＷＬＡＮ通信チャネルのためのＯＦＤＭＡデータユニットを生成する段階は、ｉ）第１のデバイスについて受信された第１のデータを用いるデータ部分の第１のＯＦＤＭデータユニットと、ｉｉ）第２のデバイスについて受信された第２のデータを用いるデータ部分の第２のＯＦＤＭデータユニットとを生成する段階と、ｉ）第１のＯＦＤＭ周波数サブバンドの非レガシトーンプランを用いる第１のＯＦＤＭデータユニットと、ｉｉ）第２のＯＦＤＭ周波数サブバンドの非レガシトーンプランを用いる第２のＯＦＤＭデータユニットとを変調する段階とを有し、第１のデータは、第２のデータから独立している。
【０２５６】
レガシトーンの間隔は、非レガシトーンの間隔の整数倍である。
【０２５７】
別の実施形態において、装置は、無線ローカルエリアネットワーク（ＷＬＡＮ）通信チャネルのための複数の異なる直交周波数分割多重（ＯＦＤＭ）周波数サブバンドを、第１のデバイスおよび第２のデバイスを含む複数のデバイスに割り当て、ＷＬＡＮ通信チャネルのための直交周波数分割多元接続（ＯＦＤＭＡ）データユニットを生成するように構成された１または複数の集積回路を有するネットワークインターフェースデバイスを備え、複数の異なるＯＦＤＭ周波数サブバンドは、第１のデバイスに割り当てられた第１のＯＦＤＭ周波数サブバンドと、第２のデバイスに割り当てられた第２のＯＦＤＭ周波数サブバンドとを少なくとも含み、ＯＦＤＭＡデータユニットは、プリアンブル部分およびデータ部分を含み、プリアンブル部分は、レガシトーンの間隔およびレガシトーンプランを用いる第１のＯＦＤＭ周波数サブバンドおよび第２のＯＦＤＭ周波数サブバンドにわたるレガシ部分と、レガシトーンの間隔およびレガシトーンプランを用いる第１のＯＦＤＭ周波数サブバンドおよび第２のＯＦＤＭ周波数サブバンドにわたる第１の非レガシ部分と、非レガシトーンの間隔および非レガシトーンプランを用いる第１のＯＦＤＭ周波数サブバンドにわたる第２の非レガシ部分と、非レガシトーンの間隔および非レガシトーンプランを用いる第２のＯＦＤＭ周波数サブバンドにわたる第３の非レガシ部分とを含む。
【０２５８】
複数の他の実施形態において、デバイスは、以下の特徴のうちの１または複数の任意の好適な組み合せを含む。
【０２５９】
１または複数の集積回路は、ｉ）第１のデバイスについて受信された第１のデータを用いるデータ部分の第１のＯＦＤＭデータユニットと、ｉｉ）第２のデバイスについて受信された第２のデータを用いるデータ部分の第２のＯＦＤＭデータユニットとを生成し、ｉ）第１のＯＦＤＭ周波数サブバンドの非レガシトーンプランを用いる第１のＯＦＤＭデータユニットと、ｉｉ）第２のＯＦＤＭ周波数サブバンドの非レガシトーンプランを用いる第２のＯＦＤＭデータユニットとを変調するように構成され、第１のデータは、第２のデータから独立している。
【０２６０】
レガシトーンの間隔は、非レガシトーンの間隔の整数倍である。
【０２６１】
上記の様々なブロック、オペレーションおよび技術の少なくともいくつかは、ハードウェア、複数のファームウェア命令を実行するプロセッサ、複数のソフトウェア命令を実行するプロセッサまたはそれらの任意の組み合わせを使用して実装され得る。ソフトウェア命令もしくはファームウェア命令を実行するプロセッサを使用して実装される場合、ソフトウェア命令もしくはファームウェア命令は、ＲＡＭもしくはＲＯＭ、またはフラッシュメモリ、プロセッサ、ハードディスクドライブ、光学ディスクドライブ、テープドライブ等の磁気ディスク、光学ディスク、または他のストレージ媒体等の任意のコンピュータ可読メモリに格納され得る。同様に、ソフトウェア命令もしくはファームウェア命令は、例えば、コンピュータ可読ディスクもしくは他の可搬式コンピュータストレージメカニズム上、または通信媒体によることを含む、任意の既知もしくは所望の提供方法により、ユーザもしくはシステムに提供され得る。通常、通信媒体は、複数のコンピュータ可読命令、データ構造体、プログラムモジュールまたは搬送波もしくは他の搬送メカニズム等の変調データ信号における他のデータを実施する。「変調データ信号」という用語は、信号中の情報をエンコードするように設定もしくは変更された複数の特性のうちの１または複数を有する信号を意味する。限定ではなく例として、通信媒体としては、有線ネットワークもしくは直接の有線接続等の有線媒体、ならびに音響、無線周波、赤外線および他の無線媒体等の無線媒体が挙げられる。従って、ソフトウェア命令もしくはファームウェア命令は、電話回線、ＤＳＬ回線、ケーブルテレビ回線、光ファイバ回線、無線通信チャネル、インターネット等（これらは、可搬式のストレージ媒体によりそのようなソフトウェアを提供するのと同一もしくは互換的なものとみなされる）通信チャネルを介してユーザもしくはシステムに提供され得る。ソフトウェア命令またはファームウェア命令は、プロセッサにより実行されると、プロセッサに様々な動作を実行させる機械可読命令を含み得る。
【０２６２】
ハードウェアに実装される場合、ハードウェアは離散コンポーネント、集積回路、特定用途向け集積回路（ＡＳＩＣ）等のうちの１または複数を含んでもよい。
【０２６３】
本発明は、本発明を限定するのではなく専ら例示することを意図した複数の具体的な例を参照して説明されてきたが、本発明の範囲を逸脱することなく、開示された複数の実施形態に対して様々な変更、追加および／または削除が行われてもよい。
【図１】
0006508838.tif 000003
【図２Ａ】
0006508838.tif 000004
【図２Ｂ】
0006508838.tif 000005
【図３】
0006508838.tif 000006
【図４】
0006508838.tif 000007
【図５】
0006508838.tif 000008
【図６Ａ】
0006508838.tif 000009
【図６Ｂ】
0006508838.tif 000010
【図７Ａ】
0006508838.tif 000011
【図７Ｂ】
0006508838.tif 000012
【図７Ｃ】
0006508838.tif 000013
【図８】
0006508838.tif 000014
【図９Ａ】
0006508838.tif 000015
【図９Ｂ】
0006508838.tif 000016
【図１０】
0006508838.tif 000017
【図１１】
0006508838.tif 000018
【図１２】
0006508838.tif 000019
【図１３】
0006508838.tif 000020
【図１４Ａ】
0006508838.tif 000021
【図１４Ｂ】
0006508838.tif 000022
【図１５Ａ】
0006508838.tif 000023
【図１５Ｂ】
0006508838.tif 000024
【図１６】
0006508838.tif 000025
【図１７Ａ】
0006508838.tif 000026
【図１７Ｂ】
0006508838.tif 000027
【図１８Ａ】
0006508838.tif 000028
【図１８Ｂ】
0006508838.tif 000029
【図１９Ａ】
0006508838.tif 000030
【図１９Ｂ】
0006508838.tif 000031
【図２０Ａ】
0006508838.tif 000032
【図２０Ｂ】
0006508838.tif 000033
【図２０Ｃ】
0006508838.tif 000034
【図２１】
0006508838.tif 000035
【図２２】
0006508838.tif 000036
【図２３】
0006508838.tif 000037
【図２４】
0006508838.tif 000038
【図２５Ａ】
0006508838.tif 000039
【図２５Ｂ】
0006508838.tif 000040
【図２６Ａ】
0006508838.tif 000041
【図２６Ｂ】
0006508838.tif 000042
【図２７Ａ】
0006508838.tif 000043
【図２７Ｂ】
0006508838.tif 000044
【図２７Ｃ】
0006508838.tif 000045
【図２７Ｄ】
0006508838.tif 000046
【図２８】
0006508838.tif 000047
【図２９】
0006508838.tif 000048
【図３０】
0006508838.tif 000049
【図３１】
0006508838.tif 000050
【図３２】
0006508838.tif 000051